(57)【要約】  本発明は、異常な血小板レベルを有する患者の決定、診断、予後診断、治療ガイダンス、治療モニタリング、リスク評価および／またはリスク層別化のための方法に関連し、方法は、その患者の試料を提供することと、その試料中のプロアドレノメジュリン（ｐｒｏＡＤＭ）またはその１以上のフラグメントのレベルを決定することと、を含み、ここで、ｐｒｏＡＤＭまたはその１以上のフラグメントのそのレベルは、その患者の異常な血小板レベルと相関する。本発明の実施形態では、ｐｒｏＡＤＭまたはその１以上のフラグメントの高い重症度のレベルは、対象における低血小板レベルを示し、その後、患者の治療を開始または修正して、その状態を改善する。本発明のいくつかの実施形態では、方法は、血小板のレベル、ＰＣＴもしくはその１以上のフラグメントのレベル、血小板減少症のうちの１つ以上のマーカー、および／または炎症反応のうちの１つ以上のマーカーなどの患者から単離された試料における１つ以上の追加マーカーのレベルを決定することを含む。【特許請求の範囲】
【請求項１】
患者の異常な血小板レベルの決定、診断、予後診断、治療ガイダンス、治療モニタリング、リスク評価および／またはリスク層別化のための方法であって、
ａ．前記患者の試料を提供することと、
ｂ．前記試料中のプロアドレノメジュリン（ｐｒｏＡＤＭ）またはその１以上のフラグメントのレベルを決定することと、を含み、
ｃ．ｐｒｏＡＤＭまたはその１以上のフラグメントの前記レベルが、前記患者の前記異常な血小板レベルと相関する、方法。
【請求項２】
前記試料中のｐｒｏＡＤＭまたはその１以上のフラグメントのレベルに基づく、血小板減少症および／または播種性血管内凝固症候群（ＤＩＣ）などの凝固系の調節不全の診断、予後診断、リスク評価および／またはリスク層別化を含む、請求項１に記載の方法。
【請求項３】
前記患者が、重篤であるか、または重篤であると診断されている、請求項１に記載の方法。
【請求項４】
前記試料が、重篤であるという診断の時点または診断後に前記患者から単離される、請求項３に記載の方法。
【請求項５】
前記患者が、感染症と診断されている、請求項１〜４のいずれか１項に記載の方法。
【請求項６】
前記患者が、敗血症、重症敗血症または敗血症性ショックと診断されている、請求項１〜５のいずれか１項に記載の方法。
【請求項７】
前記患者が、１つ以上の既存の器官不全と診断されており、かつ／または外傷後もしくは手術後の患者である、請求項１〜６のいずれか１項に記載の方法。
【請求項８】
前記患者が、播種性血管内凝固症候群（ＤＩＣ）もしくは血小板減少症などの前記凝固系の調節不全と診断されている、ならびに／または、前記患者が、血管、脾臓、骨髄などの前記凝固系および／もしくは免疫系と関連する器官の機能不全と診断されている、請求項１〜７のいずれか１項に記載の方法。
【請求項９】
ｐｒｏＡＤＭの前記レベルが、前記血小板レベルと逆相関する、請求項１〜８のいずれか１項に記載の方法。
【請求項１０】
前記試料が、血液試料、血清試料、血漿試料および／または尿試料からなる群から選択される、請求項１〜９のいずれか１項に記載の方法。
【請求項１１】
ｐｒｏＡＤＭまたはその１以上のフラグメントのレベルを決定することが、ＭＲ−ｐｒｏＡＤＭのレベルを決定することを含む、請求項１〜１０のいずれか１項に記載の方法。
【請求項１２】
ａ．高い重症度レベル（またはカットオフ値）を下回るｐｒｏＡＤＭもしくはその１以上のフラグメントのレベルが、正常もしくは高い血小板レベルを示しており、または
ｂ．高い重症度レベル（またはカットオフ値）以上であるｐｒｏＡＤＭもしくはその１以上のフラグメントのレベルが、低い血小板レベルおよび／もしくは血小板減少症および／もしくは播種性血管内凝固症候群（ＤＩＣ）の存在もしくはその発症の可能性を示しており、
ｃ．ｐｒｏＡＤＭまたはそのフラグメントの高い重症度レベル（またはカットオフ値）が、６．５ｎｍｏｌ／ｌ、６．９５ｎｍｏｌ／ｌ、または好ましくは１０．９ｎｍｏｌ／ｌを超えるレベルである、請求項１〜１１のいずれか１項に記載の方法。
【請求項１３】
前記高い重症度レベル（カットオフ値）以上であるｐｒｏＡＤＭまたはその１以上のフラグメントの前記レベルが、低い血小板レベルおよび／または血小板減少症および／または播種性血管内凝固症候群（ＤＩＣ）の前記存在またはその発症の可能性に対処する前記患者の治療の開始または修正を示す、請求項１２に記載の方法。
【請求項１４】
前記治療が、血液もしくは血小板輸血；血清、血漿もしくは特定の細胞もしくはそれらの組み合わせなどの血液成分の輸血；栓球の形成を促進する薬物の投与；原因治療の開始；または脾臓摘出の実施からなる群から選択される、請求項１３に記載の方法。
【請求項１５】
患者における低血小板レベルおよび／または血小板減少症および／または播種性血管内凝固症候群（ＤＩＣ）の前記予後診断、リスク評価および／またはリスク層別化のための方法であり、高い重症度レベル（またはカットオフ値）以上のｐｒｏＡＤＭまたはその１以上のフラグメントのレベルが、有害事象の発生を示している、請求項１２に記載の方法。
【請求項１６】
有害事象が、血小板減少症、ＤＩＣ、感染、器官不全、器官機能不全、および／または死亡のうちの１つ以上を含む、請求項１５に記載の方法。
【請求項１７】
前記患者が、集中治療室（ＩＣＵ）患者であり、
ａ．前記低い重症度レベル（カットオフ値）未満のｐｒｏＡＤＭもしくはその１以上のフラグメントの前記レベルが、ＩＣＵからの前記患者の退院を示し、かつ／または
ｂ．前記高い重症度レベル（カットオフ値）以上のｐｒｏＡＤＭもしくはその１以上のフラグメントの前記レベルが、前記ＩＣＵでの前記患者の前記治療の修正を示している、請求項１２に記載の方法。
【請求項１８】
前記患者から単離された試料中の１つ以上の追加マーカーのレベルを決定することを含む、請求項１〜１７のいずれか１項に記載の方法。
【請求項１９】
前記１つ以上の追加マーカーが、血液試料中の血小板の前記レベルを含む、請求項１８に記載の方法。
【請求項２０】
前記１つ以上の追加マーカーが、ＰＣＴまたはその１以上のフラグメントを含む、請求項１８または１９に記載の方法。
【請求項２１】
前記１つ以上の追加マーカーが、播種性血管内凝固症候群（ＤＩＣ）についての１つ以上のマーカーを含む、請求項１８〜２０のいずれか１項に記載の方法。
【請求項２２】
播種性血管内凝固症候群（ＤＩＣ）についての前記１つ以上のマーカーが、膜微粒子、ｓＣＤ１４−ＳＴ、プロトロンビナーゼ、アンチトロンビンおよび／もしくはアンチトロンビン活性、カチオン性タンパク質１８（ＣＡＰ１８）、フォンウィルブランド因子（ｖＷＦ）切断プロテアーゼ、ＣＲＰと組み合わせたリポタンパク質、フィブリノーゲン、フィブリン、Ｂ２ＧＰ１、ＧＰＩＩｂ−ＩＩＩａ、フィブリンの非変性Ｄダイマー、血小板因子４、ヒストン、ならびに／またはＰＴアッセイからなる群から選択される、請求項２１に記載の方法。
【請求項２３】
異常な血小板レベルを有する患者における有害事象の予後診断、リスク評価またはリスク層別化のための方法であって、
ａ．前記患者の試料を提供することと、
ｂ．前記試料中のプロアドレノメジュリン（ｐｒｏＡＤＭ）またはその１以上のフラグメントのレベルを決定することと、を含み、
ｃ．ｐｒｏＡＤＭまたはその１以上のフラグメントの前記レベルが、前記患者の前記異常な血小板レベルと相関し、および、ｐｒｏＡＤＭまたはその１以上のフラグメントの前記レベルが、その患者で発生する有害事象の前記可能性と相関する、請求項１〜２２のいずれか１項に記載の方法。
【請求項２４】
前記有害事象が、死亡、敗血症関連死亡、器官不全、および／または器官機能不全のうちの１つ以上である、請求項２３に記載の方法。
【請求項２５】
器官不全または器官機能不全が、血小板減少症と関連付けられている、請求項２４に記載の方法。
【請求項２６】
少なくとも１つの追加マーカーまたは臨床パラメータが測定され、好ましくはプロカルシトニン、ヒストン３、ヒストン２Ａ、ヒストン２Ｂ、ヒストン４もしくはその１以上のフラグメント、血小板数、平均血小板体積、および／または前記凝固系の調節不全についての１つ以上のマーカーからなる群から選択される、請求項１〜２５のいずれか１項に記載の方法。
【請求項２７】
前記患者が、感染症もしくは敗血症の症状を示すか、感染症および／もしくは１つ以上の既存の器官不全と診断されるか、または敗血症、重症敗血症もしくは敗血症性ショックに罹患していると診断されている、請求項２３〜２６のいずれか１項に記載の方法。
【請求項２８】
患者の敗血症性血小板減少症の決定、診断、予後診断、治療ガイダンス、治療モニタリング、リスク評価および／またはリスク層別化のための方法であって、
ａ．前記患者の試料を提供することと、
ｂ．前記試料中のプロアドレノメジュリン（ｐｒｏＡＤＭ）またはその１以上のフラグメントのレベルを決定することと、
ｃ．前記試料中のプロカルシトニン（ＰＣＴ）またはその１以上のフラグメントのレベルを決定することと、を含み、
ｄ．プロカルシトニン（ＰＣＴ）またはその１以上のフラグメントのレベルが０．５ｎｇ／ｍｌ以上の場合は、敗血症の存在または敗血症獲得リスクの増加を示し、ｐｒｏＡＤＭレベルまたはその１以上のフラグメントが２．７５ｎｍｏｌ／Ｌ以上の場合は、血小板減少症の存在または血小板減少症獲得のリスク増加を示している、請求項１〜２７のいずれか１項に記載の方法。
【請求項２９】
請求項１〜２８のいずれか１項に記載の方法を実行するためのキットであって、
ａ．ｐｒｏＡＤＭまたはその１以上のフラグメントの前記レベルを決定するための検出試薬と、
ｂ．ｐｒｏＡＤＭの高い重症度レベルに対応する参照レベルなどの参照データを含み、
任意で追加的に対象からの試料中のＰＣＴもしくはその１以上のフラグメントおよび／または請求項２１および２２のいずれかに記載の１つ以上の追加マーカーの前記レベルを決定するための検出試薬を含んでも良く、
前記高い重症度レベルが、６．５ｎｍｏｌ／ｌを超え、好ましくは６．９５ｎｍｏｌ／ｌを超え、より好ましくは１０．９ｎｍｏｌ／ｌを超え、
ならびに任意でＰＣＴレベルおよび／または請求項２１および２２のいずれかに記載の１つ以上の追加マーカーのレベルを超えてもよく、
前記参照データが、コンピュータ可読媒体に記憶され、かつ／または、
前記参照データが、ｐｒｏＡＤＭもしくはその１以上のフラグメントの前記決定されたレベル、ならびに任意で追加的にＰＣＴもしくはその１以上のフラグメントおよび／もしくは請求項２１および２２のいずれかに記載の追加マーカーの前記決定されたレベルを、前記参照データと比較するように構成されたコンピュータ実行可能コードの形態で利用される、
前記キット。
【発明の詳細な説明】
【技術分野】
【０００１】
記述
本発明は、異常な血小板レベルを有する患者の決定、診断、予後診断、治療ガイダンス、治療モニタリング、リスク評価および／またはリスク層別化のための方法に関連し、方法は、その患者の試料を提供することと、その試料中のプロアドレノメジュリン（ｐｒｏＡＤＭ）またはその１以上のフラグメントのレベルを決定することと、を含み、ここで、ｐｒｏＡＤＭまたはその１以上のフラグメントのそのレベルは、その患者の異常な血小板レベルと相関する。本発明の実施形態では、ｐｒｏＡＤＭまたはその１以上のフラグメントの高い重症度レベルは、対象における低血小板レベルを示し、その後、患者の治療を開始または修正して、その状態を改善する。いくつかの実施形態では、方法は、血小板のレベル、ＰＣＴもしくはその１以上のフラグメントのレベル、血小板減少症のうちの１つ以上のマーカー、および／または炎症反応のうちの１つ以上のマーカーなどの患者から単離された試料における１つ以上の追加マーカーのレベルを決定することを含む。
【背景技術】
【０００２】
診断および予防的な測定の大幅な改善にもかかわらず、敗血症の発生率は、入院患者で急速にエスカレートし続けており（１）、死亡率は、１０％〜５４％の範囲で、疾患の重症度のレベル、使用する器官機能不全の定義、および国特有の発生率に依存している（２、３）。したがって、診断テストおよび治療戦略に関する迅速かつ信頼性の高い決定を下すために、敗血症の初期段階では、全体的な病態生理学的宿主反応の観点から、感染負荷および疾患重症度の両方の早期かつ正確な評価が非常に重要である。また、後の段階で、患者の管理、治療モニタリング、臨床的回復の存在下での退院の決定を確実にガイドする。
【０００３】
したがって、現在、敗血症のゴールドスタンダード診断テストが存在しないことは驚くべきことである（４）。プロカルシトニン（ＰＣＴ）の使用は、抗生物質ガイダンスの分野での観察および介入データで、感染負荷評価に関するこの満たされていないニーズを部分的に満たしている（５〜７）。しかしながら、疾患の重症度の正確な測定は、まだ示されていない。
【０００４】
そのため、逐次器官不全評価（ＳＯＦＡ）、急性生理学的および慢性健康評価（ＡＰＡＣＨＥ）ＩＩ、簡易急性生理学（ＳＡＰＳ）ＩＩスコアなどの重症度スコアの使用を含む、多数のバイオマーカーおよび臨床スコアが、結果として提案されている。しかしながら、これらは、各スコアと関連する比較的高い複雑さおよび時間リソース要件のため、日常的に日々の基準で計算されることはほとんどない。新奇なバイオマーカーの使用は、この満たされていない臨床的ニーズを満たすことができるが、もし存在する場合でも、それを広範囲の臨床ルーチンに成功させることはほとんどない（８）。
【０００５】
これらのバイオマーカーのうち、中間領域のプロアドレノメジュリン（ＭＲ−ｐｒｏＡＤＭ）−微小循環を安定化させ、かつ内皮透過性およびその結果生じる器官不全から保護するために複数の組織によって生成されるペプチド（９〜１６）は、−特に、敗血症（１７）、下気道感染症（１８〜２１）、肺移植（２２）、胸部手術（２３）および血液量増加症の分野で、かなりの見込みを示している（ＷＯ２０１７／８９４７４）。実際、内皮および微小循環は、敗血症に対する病態生理学的宿主反応において重要な役割を果たすことが広く認められており（２４、２５）、各器官内の血流の調節および分布は非常に重要であり（２５）、したがって、個々の器官機能不全のスコアと比較した、一般的な宿主反応の重症度に関する代替の指標を提供することができる。
【０００６】
適切な治療戦略を開始するためには、敗血症に対する宿主の反応を理解することが重要である。基本的な要因の１つは、器官機能不全の発生の背後にあるプロセスを理解することである。各器官系は、毛細血管、細動脈、および細静脈の複雑で巨大な網状組織で構成されており、これは微小血管系と呼ばれている。特に炎症反応の間、血小板は、血管の完全性に有害な影響を与える可能性があり、これは例えば、血管関門の透過性の増加につながり得る（５９）。しかしながら、特定の器官は、微小血管の密度および複雑さの程度が異なり、微小循環は、特定の器官に応じて異なる役割を果たす。
【０００７】
敗血症の病態生理および器官不全に対する血小板の寄与は、新たな注目の対象となっている。一般的な血小板数の閾値を使用すると、血小板減少症（血中の血小板の異常に低いレベル）が、ＩＣＵの患者の２０〜５０％を占め、不良な結果と関連付けられている（３８〜４７）。血小板は、凝固におけるよく知られたプレーヤーであり、播種性血管内凝固（ＤＩＣ）に寄与する可能性が高く、さらに免疫反応の必須因子であり、感染および組織の完全性の乱れに反応し、かつ炎症、病原体の殺傷および組織修復に寄与する（４８〜５３）。さらに、敗血症や器官不全などの既存および進行中の重篤な疾患の状況における血小板および血小板減少症の役割は、熱心な研究のトピックである（５４〜５７）。
【０００８】
健康な血管条件下では、血小板は、それらの活性化を妨げる内皮細胞から生成された抑制シグナルに遭遇する。それらは、血管壁に近接して循環し、内皮細胞のライニングの破壊は、これらの阻害シグナルを克服し、かつ血小板の付着、活性化、および凝集を促進し、損傷した血管を一時的に塞ぐ。
【０００９】
活性化された血小板は、内皮細胞および白血球を標的とする炎症誘発性物質およびサイトカインを大量に分泌する。通常の状態では、内皮は、非接着性の表面であるが、血小板によって活性化されると、細胞接着分子および組織因子の発現を含む、大きな変化が生じる。血小板は、グリカンが重要な役割を果たす多段階プロセスに従って、活性化された内皮細胞に付着する。血小板の活性化は、血管緊張をさらに変化させ、構造変化をもたらし、それにより血管透過性を増加させる可能性がある。血液中の血小板凝集体の形成は、敗血症進行の初期の現象である。
【００１０】
したがって、連続的な器官不全評価スコアによって示されるように、発達中の器官機能不全を理解することは、個別の敗血症治療の開発を支援するために重要である。敗血症の診断後の最も早い時点で、ＳＯＦＡスコアを増加または減少させる早期の警告が重要である。しかしながら、これまでのところ、ＳＯＦＡスコアの増加もしくは減少が予想されること、ならびに／または異常な血小板レベル、播種性血管内凝固症候群（ＤＩＣ）および／もしくは関連する器官不全（特に、特定の器官不全）の存在もしくは発症を示す、信頼できる診断および／または予後マーカーは存在しない。
【００１１】
特に重篤患者の場合、血小板減少症の管理は、さまざまなメカニズムが大幅な血小板数の減少：血液希釈（輸液）、血小板消費の増加（ＤＩＣ、血球貪食、血栓症によるなど）、血小板破壊の増加（血小板自己抗体、ヘパリン、薬物によるなど）、血小板産生の低下（細菌毒素、薬物、慢性肝臓疾患によるなど）、または血小板単離の増加（脾機能亢進、低体温症によるなど）につながり得るため、困難になる可能性がある。さらに、血小板数の減少は、季節的および個人的な変動のために重要ではなく、かつ病理学的ではない可能性がある（５８）。さらに、さまざまなシナリオが病理学的に関連することなく血小板減少性の表現型を引き起こす（偽性血小板減少症）。血液試料の凝固またはＥＤＴＡによるｅｘ  ｖｉｖｏ血小板凝集は、偽性血小板減少症の原因となり得、かつ血小板輸血などの治療手段を誤解させる可能性がある。
【００１２】
したがって、血小板レベルの異常な発達、および異常な血小板レベルの関連する重症度を示す診断ならびに予後のツールおよび方法の開発が、緊急に必要である。
【発明の概要】
【００１３】
従来技術における困難に照らして、本発明の根底にある技術的問題は、対象の異常な血小板レベルを決定するための手段の提供である。本発明の１つの目的は、器官不全、特定の器官不全および／または患者の死亡などの異常な血小板レベルと関連する現在またはその後の有害事象の診断、予後診断、治療ガイダンス、治療モニタリング、リスク評価および／またはリスク層別化のための手段を提供することと考えられ得る。したがって、本発明の１つの目的は、１つ以上のバイオマーカーまたはバイオマーカーの組み合わせを提供して、そのような有害事象のリスクが高い患者を識別することである。
【００１４】
本発明の技術的問題の解決策は、独立請求項に提供されている。本発明の好ましい実施形態は、従属請求項で提供されている。
【００１５】
したがって、方法は、患者の異常な血小板レベルの決定、診断、予後診断、治療ガイダンス、治療モニタリング、リスク評価および／またはリスク層別化のための方法に関連し、方法は、
ａ．その患者の試料を提供することと、
ｂ．その試料中のプロアドレノメジュリン（ｐｒｏＡＤＭ）またはその１以上のフラグメントのレベルを決定することと、を含み、
ｃ．ｐｒｏＡＤＭまたはその１以上のフラグメントのそのレベルは、その患者の異常な血小板レベルと相関する。
【００１６】
本発明はまた、例えば、その試料中のプロアドレノメジュリン（ｐｒｏＡＤＭ）またはその１以上のフラグメントのレベルに基づく、播種性血管内凝固症候群（ＤＩＣ）または器官調節不全もしくは器官不全などの血小板減少症および／または関連する医学的状態の診断、予後診断、治療ガイダンス、治療モニタリング、リスク評価および／またはリスク層別化のための方法に関連する。したがって、本発明は、その試料中のプロアドレノメジュリン（ｐｒｏＡＤＭ）またはその１以上のフラグメントのレベルに基づく、血小板減少症および／または播種性血管内凝固症候群（ＤＩＣ）の診断、予後診断、リスク評価および／またはリスク層別化のための方法に関連する。
【００１７】
本発明は、患者の試料中のｐｒｏＡＤＭ、および特にＭＲ−ｐｒｏＡＤＭのレベルが、試料単離の瞬間におけるその患者の血小板数と相関するという驚くべき発見に基づいている。さらにより驚くべきことに、ｐｒｏＡＤＭのレベルの増加が栓球数の減少と相関することがわかった。これらの相関関係は、ベースライン測定後１日目および４日目にｐｒｏＡＤＭ値が増加し、血小板レベルの低下および最終的な死亡率と相関するように、時間とともに持続する。
【００１８】
いくつかの実施形態では、凝固系の不全、異常な血小板レベル、ＤＩＣおよび／または血小板減少症などのその後の有害事象の発生の可能性は、参照レベル（閾値もしくはカットオフ値、および／または人口平均など）と比較して、試料中のｐｒｏＡＤＭまたはそのフラグメントのレベルの比較で評価されてもよく、ここで、参照レベルは、健康な患者、または該当する場合、重篤と診断された患者のｐｒｏＡＤＭまたはそのフラグメントに対応し得る。
【００１９】
しかしながら、当技術分野では、器官ごとに処方される個別化された治療戦略を開発する必要がある。したがって、本発明の方法の大きな利点は、特に、時点０（０日目）に決定されたｐｒｏＡＤＭのレベルに基づいて、腎臓、肝臓、および凝固系について近い将来に発症する可能性がある、特定の器官不全を高い可能性で予測できることである。本明細書で提供される実施例は、ＭＲ−ｐｒｏＡＤＭが、好ましくは凝固、ネフローゼおよび肝器官官系の改善または悪化などの有害事象に関する改善または悪化を著しく良好に予測することができることを実証している。
【００２０】
したがって、本発明の方法は、凝固系の不全、異常な血小板レベル、ＤＩＣおよび／または血小板減少症などの、患者の健康におけるその後の有害事象の可能性を予測することを助けることができる。これは、本発明の方法が、合併症に苦しむ可能性が高い、または将来的に状態がより重大になる高リスク患者を、凝固系の不全、異常な血小板レベル、死亡、ＤＩＣ、および／または血小板減少症などの有害事象に苦しみ、特定の治療措置および／または患者のより強力なモニタリングが必要になる場合があることは予想されないような、健康状態が安定し、または改善さえしている低リスク患者から区別できることを意味している。
【００２１】
方法はまた、血小板減少症および／または播種性血管内凝固症候群（ＤＩＣ）などの低血小板レベルまたは関連する状態の重症度を評価するための方法に関連する。ＰｒｏＡＤＭを定量的または半定量的に使用して、重症度の可能性または既存の状態の重症度を評価することができる。
【００２２】
したがって、本発明は、患者の健康における現在またはその後の有害事象の決定、診断、予後診断、治療ガイダンス、治療モニタリング、リスク評価および／またはリスク層別化のための方法に関連し、方法は、その患者の試料を提供することと、その試料中のアドレノメジュリン（ｐｒｏＡＤＭ）またはその１以上のフラグメントのレベルを決定することと、を含み、ここで、ｐｒｏＡＤＭまたはその１以上のフラグメントのそのレベルは、その患者の健康におけるその後の有害事象の可能性と相関する。
【００２３】
本発明の実施形態において、その後の有害事象は、器官不全、特定の器官不全、死亡、試料を単離した時点から２８〜９０日以内の死亡、異常な血小板レベル、血小板減少症、播種性血管内凝固症候群（ＤＩＣ）および／または肝不全または感染である。
【００２４】
好ましい実施形態では、本発明は、患者の特定の器官不全の決定、診断、予後診断、治療ガイダンス、治療モニタリング、リスク評価および／またはリスク層別化のための方法に関連し、方法は、その患者の試料を提供することと、その試料中のプロアドレノメジュリン（ｐｒｏＡＤＭ）またはその１以上のフラグメントのレベルを決定することと、を含み、ここで、ｐｒｏＡＤＭまたはその１以上のフラグメントのそのレベルは、その患者の特定の器官の不全と相関する。
【００２５】
好ましい実施形態では、本発明は、患者の肝不全の決定、診断、予後診断、治療ガイダンス、治療モニタリング、リスク評価および／またはリスク層別化の方法に関連し、方法は、その患者の試料を提供することと、その試料中のプロアドレノメジュリン（ｐｒｏＡＤＭ）またはその１以上のフラグメントのレベルを決定することと、を含み、ここで、ｐｒｏＡＤＭまたはその１以上のフラグメントのそのレベルは、その患者の肝臓の不全と相関する。
【００２６】
いくつかの実施形態では、患者の特定の器官不全の決定、診断、予後診断、治療ガイダンス、治療モニタリング、リスク評価および／またはリスク層別化のための方法は、血小板レベルが低いもしくは関連する状態にある、またはそれが疑われる患者で実施される。
【００２７】
「特定の器官不全」という用語は、特定の器官の不全を指す。例えば、予後診断の方法の場合、本発明の方法は、任意の器官の不全だけでなく特定の器官の不全を予知するために使用され得る。例えば、この方法を使用して、腎臓、肝臓、および／または血液凝固系の不全を特異的に予知することができる。
【００２８】
本明細書において、器官または系、例えば、肝臓または凝固系の不全は、器官または系のいくつかの生理学的機能の不在またはほとんど不在という意味で、系の完全な故障、および器官または系の恒常性の不均衡を指す、調節不全の両方に関連し得る。軽度の調節不全は、初期の臨床症状なしに発生する場合があるが、進行性の調節不全は、臨床症状につながる系の機能を部分的に喪失し得、強い調節不全は、故障と同等であり得る。
【００２９】
したがって、本発明は、患者における低血小板レベルおよび／または血小板減少症および／または播種性血管内凝固症候群（ＤＩＣ）の予後診断、リスク評価および／またはリスク層別化のための方法に関連し、ここで、高い重症度レベル（またはカットオフ値）以上のｐｒｏＡＤＭまたはその１以上のフラグメントのレベルは、試料を入手した後、１２時間〜１２０時間以内、好ましくは２４時間〜７２時間以内に低血小板レベルおよび／または血小板減少症および／またはＤＩＣを発症する可能性を示す。
【００３０】
本発明の方法の特定の利点は、本発明の方法によって低リスク患者として識別された患者が、例えば、ＩＣＵ、救急部門、個人診療所、または病院から、より迅速に退院できることである。また、リスクの低い患者の場合、患者の健康状態の観察の強度および／または頻度を減らすことができる。したがって、患者を担当する病院または他の医療機関は、どの患者が集中医療ケアおよび観察を必要とするかをより効率的に決めることができる。その結果、例えば、それぞれの病院または施設は、リスクの高い患者のいるＩＣＵベッドをより効率的に占有することができる。これにより、医療担当者がリスクの高い患者に集中できるので、そのような患者の医療ケアの改善につながり、一方でリスクの低い患者は退院することができる。これはまた、そうでなければリスクの低い患者に適用される不必要な措置のための回避された費用から、大きな利益をもたらすであろう。
【００３１】
患者からの試料中のｐｒｏＡＤＭまたはそのフラグメントのレベルが、例えば、ＤＩＣおよび／または血小板減少症もしくは敗血症に続発する血小板減少症と関連する異常な血小板レベルの発生または存在および重症度の可能性に関する重要な情報を提供することができることはまったく驚くべきことであった。
【００３２】
本発明の実施形態における単一パラメータとしてのｐｒｏＡＤＭまたはそのフラグメントの使用は、ｐｒｏＡＤＭが、他のマーカーと比較して、凝固系の不全、異常な血小板レベル、ＤＩＣおよび／または血小板減少症、ならびに血小板数、乳酸などの臨床パラメータまたはＳＯＦＡ、ｑＳＯＦＡ、ＳＡＰＳ  ＩＩもしくはＡＰＡＣＨＥ  ＩＩなどの臨床スコアの予測においてより正確であるため、バイオマーカーまたは臨床スコアなどの他の単一パラメータの使用よりも有利である。
【００３３】
本発明の実施形態では、生理学的障害の症状を示すか、またはその症状を示さない患者は、任意の医療用設定で検査され得る。好ましい実施形態によれば、試料は、医療検査中に患者から単離される。
【００３４】
本発明の実施形態では、患者は、重篤であるか、または重篤であると診断されている。さらなる実施形態によれば、試料は、診断の時点または診断後に患者から単離される。さらに、本発明の方法の実施形態では、診断の時点または診断前に、医学的治療が開始されている。実施形態では、患者は重篤であると診断されており、医学的治療が開始されている。試料は、診断および治療開始の前、それらと同時またはそれらの後に患者から単離されてもよい。
【００３５】
一実施形態では、患者は重篤であるか、または重篤であると診断されている。
【００３６】
一実施形態では、試料は、重篤であるという診断の時点または診断後に患者から単離される。
【００３７】
一実施形態では、患者は、感染症と診断されている。
【００３８】
一実施形態では、患者は、敗血症、重症敗血症または敗血症性ショックと診断されている。
【００３９】
一実施形態では、患者は、１つ以上の既存の器官不全と診断されており、かつ／または外傷後もしくは手術後の患者である。
【００４０】
一実施形態では、患者は、播種性血管内凝固症候群（ＤＩＣ）もしくは血小板減少症などの凝固系の調節不全、ならびに／または血管、脾臓、骨髄などの凝固系および／もしくは免疫系と関連する器官の機能不全と診断されている。
【００４１】
さらなる実施形態によれば、患者は、播種性血管内凝固症候群（ＤＩＣ）に罹患している、またはそれに罹患していると診断されている。
【００４２】
ＤＩＣは、例えば、固形腫瘍、血液癌、リンパ腫、白血病、産科合併症（子癇前症、胎盤早期剥離、羊水塞栓症、流産など）、重傷（重度の外傷、火傷、高熱、広範囲の手術など）、敗血症、重症敗血症、敗血症性ショック、重度の感染症（例えば、細菌、ウイルス、真菌、原生動物、１以上の共感染／重複感染）、輸血反応（ＡＯＢ不適合溶血反応など）、薬物有害反応（例えば、抗感染薬、抗悪性腫瘍薬、抗血栓薬による誘発）、重度のアレルギー反応もしくは毒性反応、または巨大血管腫などの、さまざまなタイプの疾患の状況で発生する可能性がある症候群と見なすことができる。
【００４３】
当業者は、ＤＩＣと関連付けられ得るさらなる状態および疾患を知っている。ＤＩＣは、（多発）器官機能不全／損傷を引き起こす可能性がある（問題が出血または凝固に起因する場合は独立して（「ＤＩＣステージ」に応じる））。広範囲にわたる組織血流の喪失と同時出血の組み合わせにより、死亡のリスクの増大がもたらされる。したがって、ＤＩＣは、深刻な合併症を伴う可能性のある医学的緊急事態である。ＤＩＣの診断の予測が早ければ早いほど、患者の予後は良好である。
【００４４】
ＤＩＣには、Ｖ因子、ＸＩＩＩ−ＡＰ因子、シンゴシン−１−リン酸（Ｓ１Ｐ）、トンボモジュリン、組織因子または組織因子ｐｒｅ−ｍＲＮＡスプライシングに対する抗体、反応性窒素阻害ペプチド（ＲＮＩＰ）フラグメント、ＴＡＦＩａ（ｉ）、プロコアグラントリン脂質、ならびにトロンビン阻害剤などのいくつかの治療法が提案されている。
【００４５】
本発明の実施形態では、ＤＩＣは、（多発）器官機能不全／損傷を引き起こす可能性がある（問題が出血または凝固に起因する場合は独立して（「ＤＩＣステージ」に応じる））。広範囲にわたる組織血流の喪失と同時出血の組み合わせにより、死亡のリスクの増大がもたらされる。
【００４６】
本発明の実施形態では、患者は、例えば、Ｖ因子、ＸＩＩＩ−ＡＰ因子、シンゴシン−１−リン酸（Ｓ１Ｐ）、トンボモジュリン、組織因子または組織因子ｐｒｅ−ｍＲＮＡスプライシングに対する抗体、反応性窒素阻害ペプチド（ＲＮＩＰ）フラグメント、ＴＡＦＩａ（ｉ）、プロコアグラントリン脂質、および／またはトロンビン阻害剤などのＤＩＣの治療を受ける。
【００４７】
さらなる実施形態では、患者が受ける治療は、抗生物質治療、侵襲性機械的換気、非侵襲性機械的換気、腎代替療法、昇圧薬の使用、輸液療法、コルチコステロイド、血液もしくは血小板輸血、脾摘、直接トロンビン阻害剤（レピルジンまたはアルガトロバンなど）、血液希釈剤（ビバリルジンおよびフォンダパリヌクスなど）、ヘパリン誘発性血小板減少症の場合のヘパリンの中止、炭酸リチウム、葉酸、体外血液浄化、および／または器官保護のうちの１つ以上を含む。
【００４８】
本発明の好ましい実施形態では、ｐｒｏＡＤＭのそのレベルは、血小板レベルと逆相関する。
【００４９】
好ましくは、試料は体液であり得る。より好ましくは、試料は、血液試料、血清試料、血漿試料および／または尿試料からなる群から選択される。
【００５０】
好ましくは、方法は、いくつかの実施形態において、ｐｒｏＡＤＭまたはその１以上のフラグメントのレベルを決定することにより実行され、ここで、ｐｒｏＡＤＭのその決定は、試料中のＭＲ−ｐｒｏＡＤＭのレベルを決定することを含む。ＭＲ−ｐｒｏＡＤＭを決定することの使用は、本明細書に記載される任意の所与の実施形態に好適であり、したがって、各実施形態の文脈で考慮され得る。好ましい実施形態では、「ＡＤＭフラグメント」は、ＭＲ−ｐｒｏＡＤＭであると見なされ得る。いくつかの実施形態では、ｐｒｅ−ｐｒｏ−ＡＤＭ、ｐｒｏ−ＡＤＭ、ＡＤＭ自体として知られるペプチド、またはＭＲ−ｐｒｏＡＤＭなどのそのフラグメントなどの、ＡＤＭの任意のフラグメントまたは前駆体を使用することができる。
【００５１】
本発明の別の実施形態によれば、ｐｒｏＡＤＭまたはその１以上のフラグメントのレベルを決定することは、試料中のＭＲ−ｐｒｏＡＤＭのレベルを決定することを含む。
【００５２】
本発明の方法の好ましい実施形態では、
−高い重症度レベル（カットオフ値）を下回るｐｒｏＡＤＭもしくはその１以上のフラグメントのレベルは、正常もしくは高い血小板レベルを示しており、または
−高い重症度レベル（またはカットオフ値）以上であるｐｒｏＡＤＭもしくはその１以上のフラグメントのレベルは、低い血小板レベルおよび／もしくは血小板減少症および／もしくは播種性血管内凝固症候群（ＤＩＣ）の存在もしくはその発症の可能性を示しており、
−ここで、ｐｒｏＡＤＭまたはそのフラグメントの高い重症度レベル（またはカットオフ値）は、６．５ｎｍｏｌ／ｌ、６．９５ｎｍｏｌ／ｌ、または好ましくは１０．９ｎｍｏｌ／ｌを超えるレベルである。
【００５３】
本発明によれば、「その後の有害事象を示す」および「その後の有害事象の不存在を示す」の文脈における「示す」という用語は、リスクおよび／または可能性の尺度として意図される。好ましくは、有害事象の有無の「指標」は、リスク評価として意図されており、典型的には、その事象の絶対的な有無を明確に指すように限定的に解釈されるべきではない。
【００５４】
したがって、「その後の有害事象の不存在を示す」または「その後の有害事象を示す」という用語は、それぞれ有害事象の発生の低または高リスクを示すものとして理解され得る。いくつかの実施形態では、低いリスクは、示された値を超えて検出されたｐｒｏＡＤＭレベルと比較してより低いリスクに関連する。いくつかの実施形態では、高いリスクは、示された値未満で検出されたｐｒｏＡＤＭレベルと比較してより高いリスクに関連する。
【００５５】
上記を念頭に置いて、しかしながら、ｐｒｏＡＤＭの高および／または低い重症度レベルの決定は、本明細書で開示されるカットオフ値を使用する場合のその後の有害事象の有無の決定に関して非常に信頼性が高いため、リスクの推定によって、医療専門家による適切な行動が可能になる。
【００５６】
一部の実施形態において、ｐｒｏＡＤＭの低または中または高重症度レベルは、有害事象に関する患者の身体状態の重症度を示す。
【００５７】
いくつかの実施形態において、ｐｒｏＡＤＭの低または中または高重症度レベルは、血小板減少症または血小板減少症の症候を有する患者の身体状態の重症度を示す。
【００５８】
いくつかの実施形態において、ｐｒｏＡＤＭの低または中または高重症度レベルは、血小板減少症または敗血症に続発する血小板減少症の症候を有する患者の身体状態の重症度を示す。
【００５９】
ｐｒｏＡＤＭまたはそのフラグメントのレベルが、凝固系の不全、異常な血小板レベル、ＤＩＣおよび／または血小板減少症などの、またこれらの時点で治療を受けていた重篤患者の状況におけるその後の有害事象の有無の可能性と相関することはまったく驚くべきことであった。
【００６０】
試料中のＰｒｏＡＤＭレベルは、好ましくはｐｒｏＡＤＭの３つの異なる重症度レベルに割り当てることができる。高レベルのｐｒｏＡＤＭは、高い重症度レベルを示し、中間レベルは、中間重症度レベルを示し、低レベルは、低い重症度レベルを示している。それぞれの重症度レベルのカットオフ値を決定するそれぞれの濃度は、例えば、患者の予後診断、診断および治療開始後の試料単離の時点などの複数のパラメータ、ならびにその試料中のｐｒｏＡＤＭまたはそのフラグメントレベルの決定のために使用される方法に依存する。
【００６１】
本明細書に開示されるカットオフ値は、好ましくは、ＢＲＡＨＭＳ  ＭＲ  ｐｒｏＡＤＭ  ＫＲＹＰＴＯＲアッセイにより患者から得られた血漿試料中のｐｒｏＡＤＭまたはそのフラグメントのタンパク質レベルの測定値を指す。したがって、本明細書に開示される値は、採用される検出／測定方法に応じてある程度変動する可能性があり、本明細書に開示される特定の値はまた、他の方法によって決定される対応する値を読み取ることを意図している。
【００６２】
本発明の一実施形態において、ｐｒｏＡＤＭまたはその１以上のフラグメントの低いおよび／または中程度の重症度レベルは、凝固系の不全、異常な血小板レベル、ＤＩＣ、および／または血小板減少症などの（その後の）有害事象の不存在を示しており、ここで、低い重症度レベルは、１．５ｎｍｏｌ／ｌ〜４ｎｍｏｌ／ｌの範囲のカットオフ値未満である。これらの範囲内のいくつかの値は、ｐｒｏＡＤＭまたはそのフラグメントの重症度が低い場合の適切なカットオフ値と見なされ得る。例えば、１．５、１．５５、１．６、１．６５、１．７、１．７５、１．８、１．８５、１．９、１．９５、２．０、２．０５、２．１、２．１５、２．２、２．２５、２．３、２．３５、２．４、２．４５、２．５、２．５５、２．６、２．６５、２．７、２．７５、２．８、２．８５、２．９、２．９５、３．０、３．０５、３．１、３．１５、３．２、３．２５、３．３、３．３５、３．４、３．４５、３．５、３．５５、３．６、３．６５、３．７、３．７５、３．８、３．８５、３．９、３．９５、４．０ｎｍｏｌ／ｌ。
【００６３】
本発明の一実施形態において、ｐｒｏＡＤＭまたはその１以上のフラグメントの高い重症度レベルは、凝固系の不全、異常な血小板レベル、ＤＩＣ、および／または血小板減少症などの（その後の）有害事象を示しており、ここで、高い重症度レベルは、６．５ｎｍｏｌ／ｌ〜１２ｎｍｏｌ／ｌの範囲のカットオフ値を超えている。これらの範囲内のいくつかの値は、ｐｒｏＡＤＭまたはそのフラグメントの重症度が高い場合の適切なカットオフ値と見なされ得る。例えば、６．５、６．５５、６．６、６．６５、６．７、６．７５、６．８、６．８５、６．９、６．９５、７．０、７．０５、７．１、７．１５、７．２、７．２５、７．３、７．３５、７．４、７．４５、７．５、７．５５、７．６、７．６５、７．７、７．７５、７．８、７．８５、７．９、７．９５、８．０、８．０５、８．１、８．１５、８．２、８．２５、８．３、８．３５、８．４、８．４５、８．５、８．５５、８．６、８．６５、８．７、８．７５、８．８、８．８５、８．９、８．９５、９．０、９．０５、９．１、９．１５、９．２、９．２５、９．３、９．３５、９．４、９．４５、９．５、９．５５、９．６、９．６５、９．７、９．７５、９．８、９．８５、９．９、９．９５、１０．０、１０．０５、１０．１、１０．１５、１０．２、１０．２５、１０．３、１０．３５、１０．４、１０．４５、１０．５、１０．５５、１０．６、１０．６５、１０．７、１０．７５、１０．８、１０．８５、１０．９、１０．９５、１１．０、１１．０５、１１．１、１１．１５、１１．２、１１．２５、１１．３、１１．３５、１１．４、１１．４５、１１．５、１１．５５、１１．６、１１．６５、１１．７、１１．７５、１１．８、１１．８５、１１．９、１１．９５、１２．０ｎｍｏｌ／ｌ。
【００６４】
ｐｒｏＡＤＭまたはＰＣＴなどのマーカーまたはバイオマーカーのレベルに関連して本明細書に開示される全てのカットオフ値は、特定のカットオフ「以上」または特定のカットオフ「以下」として理解されるべきである。例えば、４ｎｍｏｌ／ｌ未満、好ましくは３ｎｍｏｌ／ｌ未満、より好ましくは２．７ｎｍｏｌ／ｌ未満のｐｒｏＡＤＭまたはその１以上のフラグメントのレベルに関する実施形態は、４ｎｍｏｌ／ｌ以下、好ましくは３ｎｍｏｌ／ｌ以下、より好ましくは２．７ｎｍｏｌ／ｌ以下のｐｒｏＡＤＭまたはその１以上のフラグメントのレベルに関すると理解されるべきである。逆に、６．５ｎｍｏｌ／ｌを超える、好ましくは６．９５ｎｍｏｌ／ｌを超える、より好ましくは１０．９ｎｍｏｌ／ｌを超えるｐｒｏＡＤＭまたはその１以上のフラグメントのレベルに関する実施形態は、６．５ｎｍｏｌ／ｌ以上、好ましくは６．９５ｎｍｏｌ／ｌ以上、より好ましくは１０．９ｎｍｏｌ／ｌ以上のｐｒｏＡＤＭまたはその１以上のフラグメントのレベルに関すると理解されるべきである。
【００６５】
本明細書に記載の他の実施形態では、重症度レベルは、好ましくは、低い、中程度の、または高い重症度レベル間の境界を表すカットオフ値によって定義される。したがって、カットオフを提示する任意の実施形態は、２つの重症度レベル間の境界としての単一のカットオフ値、または各重症度レベルの単一のカットオフレベルのフォーマットを使用してもよい。
【００６６】
いくつかの実施形態では、低い重症度レベルと中程度の重症度レベルとの間のｐｒｏＡＤＭカットオフ値は、
２．７５ｎｍｏｌ／ｌ±２０％、または２．７５ｎｍｏｌ／ｌ±１５％、もしくは±１２％、±１０％、±８％、もしくは±５％であり、
中程度の重症度レベルと高い重症度レベルとの間のｐｒｏＡＤＭカットオフ値は、
１０．９ｎｍｏｌ／ｌ±２０％、または１０．９ｎｍｏｌ／ｌ±１５％、もしくは±１２％、±１０％、±８％、もしくは±５％である。
【００６７】
これらのカットオフ値は、ベースラインでのｐｒｏＡＤＭ重症度レベルの評価、言い換えると診断および／または治療の開始および／または入院時の評価に関連することが好ましい。ベースラインレベル自体は、例えば、単一の測定または最初の単一の時点で行われた測定を通じて、輸液療法の処方を示すことができる。
【００６８】
いくつかの実施形態では、低い重症度レベルと中程度の重症度レベルとの間のｐｒｏＡＤＭカットオフ値は、
２．８０ｎｍｏｌ／ｌ±２０％、または２．８０ｎｍｏｌ／ｌ±１５％、もしくは±１２％、±１０％、±８％、もしくは±５％であり、
中程度の重症度レベルと高い重症度レベルとの間のｐｒｏＡＤＭカットオフ値は、
９．５ｎｍｏｌ／ｌ±２０％、または９．５ｎｍｏｌ／ｌ±１５％、もしくは±１２％、±１０％、±８％、もしくは±５％である。
【００６９】
これらのカットオフ値は、１日後、言い換えるとベースラインの約２４時間後、言い換えると診断および／または治療開始および／または入院の約１日後のｐｒｏＡＤＭ重症度レベルの評価に関連することが好ましい。例えば、治療開始の１日後にｐｒｏＡＤＭが測定される実施形態では、１日目のカットオフ値が採用されてもよい。上記から明らかなように、中と高との間のカットオフは、ベースラインよりもやや低くなり、つまり、時間の経過とともに、やや低い（ただし比較的高い）レベルであっても高いリスクと関連付けられ、かつ高い重症度レベルに分類される。
【００７０】
いくつかの実施形態では、低い重症度レベルと中程度の重症度レベルとの間のｐｒｏＡＤＭカットオフ値は、
２．８０ｎｍｏｌ／ｌ±２０％、または２．８０ｎｍｏｌ／ｌ±１５％、もしくは±１２％、±１０％、±８％、もしくは±５％であり、
中程度の重症度レベルと高い重症度レベルとの間のｐｒｏＡＤＭカットオフ値は、
７．７ｎｍｏｌ／ｌ±２０％、または７．７ｎｍｏｌ／ｌ±１５％、もしくは±１２％、±１０％、±８％、もしくは±５％である。
【００７１】
これらのカットオフ値は、４日後、言い換えるとベースラインの約４日後、言い換えると診断および／または治療開始および／または入院の約４日後のｐｒｏＡＤＭ重症度レベルの評価に関連することが好ましい。例えば、治療開始の４日後にｐｒｏＡＤＭが測定される実施形態では、４日目のカットオフ値が採用されてもよい。上記から明らかなように、中と高との間のカットオフは、ベースラインまたは１日目よりもやや低くなり、つまり、時間の経過とともに、やや低い（ただし比較的高い）レベルであっても高いリスクと関連付けられ、かつ高い重症度レベルに分類される。
【００７２】
いくつかの実施形態では、上述の実施形態で採用されるカットオフレベルは、測定が行われる日に応じて適切なレベルに従って調整され得る。カットオフ値の各々は、当業者によって期待される可能性がある共通の分散に起因する何らかの変動の影響を受けやすい。関連するカットオフレベルは、以下に示すように広範なデータに基づいて決定されるが、全ての可能な実施形態における最終値または正確な値であることを意図しているわけではない。記載されたものと同様のカットオフを使用することにより、すなわち、±２０％、±１５％、±１２％、±１０％、±８％、または±５％の範囲内で、当業者が決定できるように、同様の結果が期待され得る。
【００７３】
所与のカットオフ値の±２０％を記載するいくつかの実施形態は、±１５％、±１２％、±１０％、±８％、または±５％も開示しているとみなすことができる。
【００７４】
１日目または４日目のベースラインの特定のカットオフ値を列挙する任意の実施形態は、他の日の対応するカットオフ値をも開示するとみなされ得る。例えば、ベースラインのカットオフ値を列挙する実施形態は、１日目または４日目のカットオフ値を列挙する同じ実施形態にも関するとみなされ得る。
【００７５】
好ましい実施形態では、カットオフ値は、血液試料、または血液に由来する試料に適用されるが、それに限定されない。
【００７６】
本発明の実施形態では、ｐｒｏＡＤＭまたはその１以上のフラグメントのレベルは、高い重症度レベル（カットオフ値）以上であり、コルチコステロイドの提供、血液または血小板輸血、血清、血漿もしくは特定の細胞またはそれらの組み合わせなどの血液成分の輸血、栓球の形成を促進する薬物、原因治療または脾摘出術の実施などの、患者の治療の開始または修正を示す。好ましくは、凝固系の調節不全の原因を識別して、治療することができる（原因治療）。
【００７７】
別の実施形態によれば、患者は、集中治療室（ＩＣＵ）患者であり、ここで、
−低い重症度レベル（カットオフ値）未満のｐｒｏＡＤＭもしくはその１以上のフラグメントのレベルは、ＩＣＵからのその患者の退院を示し、または
−高い重症度レベル（カットオフ値）以上のｐｒｏＡＤＭもしくはその１以上のフラグメントのレベルは、ＩＣＵでの患者の治療の修正を示す。
【００７８】
本発明の特定の利点は、ｐｒｏＡＤＭまたはそのフラグメントの決定されたレベルの分類に基づいて、患者の健康における将来の有害事象の発生の可能性を評価することが可能であることである。この評価に基づいて、次の治療オプションおよび決定を調整することができる。
【００７９】
本発明の意味における治療の修正には、進行中の薬剤の用量もしくは投与計画の調整、進行中の治療の異なる治療への変更、進行中の治療へのさらなる治療オプションの追加、もしくは進行中の治療の停止、または機能不全の原因の識別および治療が含まれるが、これらに限定されない。本発明の文脈において患者に適用され得る異なる治療は、この特許出願の詳細な説明に開示されている。
【００８０】
本発明の好ましい実施形態では、方法は、患者から単離された試料中の１つ以上の追加マーカーのレベルを決定することをさらに含む。
【００８１】
１つ以上の追加マーカーは、その患者と同じまたは異なる試料で決定されてもよい。異なる試料の場合、試料は、ｐｒｏＡＤＭまたはその１以上のフラグメントを決定するために試料の単離と同時に、その単離の前または後に単離されてもよい。１つ以上の追加マーカーが同じまたは異なる試料で決定されるかどうかに関係なく、測定は、ｐｒｏＡＤＭの測定に並行して、それと同時に、その前および／またはその後に発生する可能性がある。
【００８２】
好ましい実施形態では、１つ以上の追加マーカーは、血液試料中の血小板のレベルを含む。
【００８３】
一実施形態では、１つ以上の追加マーカーは、ＰＣＴまたはその１以上のフラグメントを含む。
【００８４】
ｐｒｏＡＤＭまたはそのフラグメントの決定を、試料中の血小板レベルの決定と組み合わせることが特に有利であり、ここで、ｐｒｏＡＤＭを決定するために使用される試料は、血小板数を行うために使用される同じまたは異なる試料であり得る。
【００８５】
本発明のさらに好ましい実施形態によれば、本明細書に記載の方法は、追加的に、
−患者から単離された試料中の血小板レベルを決定すること、または
−患者から単離された第１の試料中の血小板のレベルを決定することであって、その第１の試料が、診断および治療開始の時点の前、その時点もしくはその後に単離される、決定すること、
−その患者から単離された第２の試料中の血小板のレベルを決定することであって、第２の試料が、第１の試料の後に、好ましくは第１の試料の単離の後３０分以内、もしくは第１の試料の単離の後３０分、１時間、２時間、６時間、１２時間、２４時間、４日、７日もしくは１０日以内に単離されている、決定すること、ならびに
−第１の試料の血小板のレベルと比較して、第２の試料の血小板のレベルの違いを決定すること、を含む。
【００８６】
さらなる実施形態において、１つ以上の追加マーカーは、膜微粒子、血小板数、平均血小板体積（ＭＰＶ）ｓＣＤ１４−ＳＴ、プロトロンビナーゼ、アンチトロンビンおよび／アンチトロンビン活性、カチオン性タンパク質１８（ＣＡＰ１８）、フォンウィルブランド因子（ｖＷＦ）切断プロテアーゼ、ＣＲＰと組み合わせたリポタンパク質、フィブリノーゲン、フィブリン、Ｂ２ＧＰ１、ＧＰＩＩｂ−ＩＩＩａ、フィブリンの非変性Ｄダイマー、血小板因子４、ヒストン、ならびにＰＴアッセイなどの、凝固系の調節不全についての１つ以上のマーカーを含む。実施形態では、追加の１つ以上のマーカーは、１つ以上のヒストンを含む。
【００８７】
本発明の実施形態において、ｐｒｏＡＤＭは、血小板減少症、例えば、患者が正常な血小板数を示す、および／またはｐｒｏＡＤＭレベルが本明細書に開示されているカットオフを下回るまでの薬剤の適応／変更を予測するためのヘパリン投与での患者における治療ガイダンスのための方法の文脈で決定される。
【００８８】
本発明の実施形態において、ｐｒｏＡＤＭは、白血球減少症、例えば、患者が正常な血小板数を示す、および／またはｐｒｏＡＤＭレベルが本明細書に開示されているカットオフ値を下回るまでの薬剤の適応／変更を予測するための抗菌治療での患者における治療ガイダンスのための方法の文脈で決定される。
【００８９】
さらなる実施形態において、例えば、血小板減少症またはＤＩＣを得るリスクを低下させるために、例えば、抗生物質管理ならびに／または抗生物質の誤用の防止および／もしくは副作用の防止の目的で、ＰＣＴがモニタリングに含まれる。この文脈において、血小板数は、追加マーカーとして決定され得る。
【００９０】
本発明の実施形態において、ｐｒｏＡＤＭは、血小板輸血との関連において決定される。さらなる実施形態において、例えば、血小板減少症またはＤＩＣを得るリスクを低下させるために、例えば、抗生物質管理ならびに／または抗生物質の誤用の防止および／もしくは副作用の防止の目的で、細菌感染の決定のためのＰＣＴがモニタリングに含まれる。この文脈において、血小板数は、追加マーカーとして決定され得る。
【００９１】
本発明の実施形態では、ｐｒｏＡＤＭは、患者、例えば、ショック患者または敗血症性ショック患者における凝固系、ＤＩＣおよび／または血小板減少症の調節不全の予測および／または診断のための方法の文脈で決定され、ここで、好ましくは、ＰＣＴは追加マーカーとして決定される。
【００９２】
本発明の実施形態では、絶対的な未成熟血小板数（ＡＩＰＣ）は、追加マーカーとして決定され得る。
【００９３】
本発明の実施形態では、得られるＤＩＣまたは血小板減少症の予測に関して、ｐｒｏＡＤＭは血小板数よりも優れたマーカーである。実施形態では、治療は液体管理であり得る。
【００９４】
実施形態では、急性腎障害（ＡＫＴ）＋／−持続的腎代替療法（ＣＲＲＴ）、市中肺炎（ＣＡＰ）、敗血症、および一般にｐｒｏＡＤＭの高いＩＣＵ患者の患者は、死亡リスクが高い。
【００９５】
一実施形態では、本発明は、追加的に、本明細書に記載の方法の結果を患者に知らせることを含む。
【００９６】
一実施形態では、方法は、異常な血小板レベルを有する患者における有害事象の予後診断、リスク評価またはリスク層別化を可能にし、方法は、
ａ．その患者の試料を提供することと、
ｂ．その試料中のプロアドレノメジュリン（ｐｒｏＡＤＭ）またはその１以上のフラグメントのレベルを決定することと、を含み、
ｃ．ｐｒｏＡＤＭまたはその１以上のフラグメントのそのレベルは、その患者の異常な血小板レベル、およびその患者で発生する有害事象の可能性と相関する。
【００９７】
一実施形態では、有害事象は、死亡、敗血症関連死亡、器官不全および／または器官機能不全のうちの１つ以上である。
【００９８】
一実施形態では、器官不全または器官機能不全は、血小板減少症と関連付けられている。
【００９９】
一実施形態では、少なくとも１つの追加マーカーまたは臨床パラメータが測定され、それは、好ましくはプロカルシトニン、ヒストン３、ヒストン２Ａ、ヒストン２Ｂ、ヒストン４もしくはその１以上のフラグメント、血小板数、平均血小板体積、および／または凝固系の調節不全についての１つ以上のマーカーからなる群から選択される。
【０１００】
一実施形態では、患者は、感染症または敗血症の症状を示すか、感染症および／もしくは１つ以上の既存の器官不全と診断されるか、または敗血症、重症敗血症もしくは敗血症性ショックに罹患していると診断されている。
【０１０１】
さらなる実施形態では、方法は、患者の敗血症性血小板減少症の決定、診断、予後診断、治療ガイダンス、治療モニタリング、リスク評価および／またはリスク層別化を可能にし、方法は、
ａ．その患者の試料を提供することと、
ｂ．その試料中のプロアドレノメジュリン（ｐｒｏＡＤＭ）またはその１以上のフラグメントのレベルを決定することと、
ｃ．その試料中のプロカルシトニン（ＰＣＴ）またはその１以上のフラグメントのレベルを決定することと、を含み、
ｄ．プロカルシトニン（ＰＣＴ）またはその１以上のフラグメントのレベルが０．５ｎｇ／ｍｌ以上の場合、それは、敗血症の存在または敗血症獲得リスクの増加を示し、ｐｒｏＡＤＭレベルまたはその１以上のフラグメントが２．７５ｎｍｏｌ／Ｌ以上の場合、それは、血小板減少症の存在または血小板減少症獲得のリスクの増加を示す。
【０１０２】
この実施形態は、実施者が敗血症性疾患の存在を識別するだけでなく、血小板レベルの改善に向けられた治療を開始することをも可能にする、従来技術からこれまで派生しなかった有益な機能の組み合わせを可能にする。ＰＣＴまたはそのフラグメントのレベルの上昇は、当技術分野で確立された既知の値を使用して、感染症、特に敗血症の存在を示している。ＡＤＭの測定との組み合わせ、血小板レベルの表示、好ましくは、その後の適切な血小板または栓球の改善手段により、実施者に敗血症の根底にある病理学的プロセスの飛躍的な向上が提供され、改善されたより速い治療が可能になる。
【０１０３】
本発明はさらに、本明細書に記載の方法を実行するためのキットに関し、キットは、
ａ．ｐｒｏＡＤＭまたはその１以上のフラグメントのレベルを決定するため、ならびに任意で追加的に対象からの試料中のＰＣＴもしくはその１以上のフラグメントおよび／または本明細書に記載の１つ以上の追加マーカーのレベルを決定するための検出試薬と、
ｂ．ｐｒｏＡＤＭの高い重症度レベルに対応する参照レベルなどの参照データと、を含み、ここで、高い重症度レベルは、６．５ｎｍｏｌ／ｌを超え、好ましくは６．９５ｎｍｏｌ／ｌを超え、より好ましくは１０．９ｎｍｏｌ／ｌを超え、ならびに任意でＰＣＴレベルおよび／または本明細書に記載の１つ以上の追加マーカーのレベルを超えており、その参照データは、コンピュータ可読媒体に記憶され、かつ／またはｐｒｏＡＤＭもしくはその１以上のフラグメントの決定されたレベル、ならびに任意で追加的にＰＣＴもしくはその１以上のフラグメントおよび／もしくは本明細書に記載の追加マーカーの決定されたレベルを、その参照データと比較するように構成されたコンピュータ実行可能コードの形態で利用される。
【０１０４】
いくつかの実施形態では、キットは、本明細書でより詳細に説明されるように、血小板レベルを改善するための治療薬を追加的に含む。
【０１０５】
ｐｒｏＡＤＭまたはその１以上のフラグメントのレベルを決定するため、ならびに任意でＰＣＴもしくはその１以上のフラグメントおよび／または本発明の追加マーカーのレベルを決定するための検出試薬は、好ましくは、例えば、ｐｒｏＡＤＭに向けられた抗体、蛍光標識などの適切な標識、好ましくはＢＲＡＨＭＳ  ＫＲＹＰＴＯＲアッセイへの適用に適した２つの別個の蛍光標識、試料収集チューブなどの、方法を実行するために必要なものから選択される。
【０１０６】
本明細書に記載の方法の一実施形態では、ｐｒｏＡＤＭまたはその１以上のフラグメント、ならびに任意で例えば、ＰＣＴもしくはその１以上のフラグメントなどの追加の他のバイオマーカーのレベルは、質量分析（ＭＳ）、発光免疫測定法（ＬＩＡ）、放射免疫測定法（ＲＩＡ）、化学発光および蛍光免疫測定法、酵素免疫測定法（ＥＩＡ）、酵素結合免疫測定法（ＥＬＩＳＡ）、発光ベースのビーズアレイ、磁気ビーズベースのアレイ、タンパク質マイクロアレイアッセイ、例えばイムノクロマトグラフィーストリップテストなどの迅速テストフォーマット、レアクリプテートアッセイ、ならびに自動化システム／アナライザからなる群から選択された方法を使用して決定される。
【０１０７】
本発明による方法は、均質な方法としてさらに具体化され得、検出されるべき抗体／複数の抗体およびマーカー、例えば、ｐｒｏＡＤＭまたはそのフラグメントによって形成されるサンドイッチ錯体は、液相中で懸濁状態のままである。この場合、２つの抗体が使用されるとき、両方の抗体が検出系の一部で標識され、それが、両方の抗体が単一のサンドイッチに統合される場合にシグナルの発生またはシグナルの誘発をもたらすことが好ましい。
【０１０８】
そのような技術は、特に蛍光増強または蛍光消光検出方法として具体化されるべきである。特に好ましい態様は、例えば、ＵＳ  ４  ８８２  ７３３  Ａ、ＥＰ−Ｂ１  ０  １８０  ４９２、またはＥＰ−Ｂ１  ０  ５３９  ４７７、およびそれらで引用された従来技術に記載されているものなど、対で使用される検出試薬の使用に関する。このようにして、反応混合物中の単一の免疫複合体中に直接両方の標識成分を含む反応生成物のみが検出される測定が可能になる。
【０１０９】
例えば、そのような技術は、上記で引用された出願の教示を実装する、商標名ＴＲＡＣＥ（登録商標）（Ｔｉｍｅ  Ｒｅｓｏｌｖｅｄ  Ａｍｐｌｉｆｉｅｄ  Ｃｒｙｐｔａｔｅ  Ｅｍｉｓｓｉｏｎ）、またはＫＲＹＰＴＯＲ（登録商標）の下で提供されている。したがって、特に好ましい態様では、本明細書で提供される方法を実行するために診断装置が使用される。例えば、ｐｒｏＡＤＭタンパク質もしくはそのフラグメントのレベル、および／または本明細書で提供される方法の任意のさらなるマーカーのレベルが決定される。特に好ましい態様において、診断装置はＫＲＹＰＴＯＲ（登録商標）である。
【０１１０】
本明細書に記載の方法の一実施形態では、方法は、イムノアッセイであり、アッセイは、均一相または不均一相で実施される。
【０１１１】
本明細書に記載の方法のさらなる実施形態では、方法は、追加的に感染を検出するためのその患者からの試料の分子分析を含む。感染を検出するための分子分析に使用される試料は、好ましくは、血清、血漿または全血などの血液試料またはそのフラグメントである。好ましい実施形態では、分子分析は、病原体に由来する１つ以上の生体分子を検出することを目的とする方法である。その１つ以上の生体分子は、核酸、タンパク質、糖、炭水化物、脂質、および／またはグリコシル化タンパク質などのそれらの組み合わせであり得、好ましくは核酸であり得る。その生体分子は、好ましくは、１つ以上の病原体に特異的である。好ましい実施形態によれば、そのような生体分子は、ＰＣＲ、ｑＰＣＲ、ＲＴ−ＰＣＲ、ｑＲＴ−ＰＣＲ、ハイスループットシーケンシング（ＮＧＳなど）などの核酸増幅法、または等温増幅、質量分析、酵素活性の検出、およびイムノアッセイベースの検出方法を含む群から選択される生体分子の分析のための１つ以上の方法によって検出される。分子分析のさらなる方法は、当業者に知られており、本発明の方法に含まれる。
【０１１２】
本明細書に記載の方法の一実施形態では、第１の抗体および第２の抗体は、液体反応混合物中に分散して存在し、蛍光または化学発光消光または増幅に基づく標識系の一部である第１の標識成分は、第１の抗体に結合され、その標識系の第２の標識成分は、第２の抗体に結合され、これにより、検出されるべき両方の抗体のそのｐｒｏＡＤＭまたはそのフラグメントへの結合後、測定溶液中の得られたサンドイッチ錯体の検出を可能にする測定可能なシグナルが発生する。
【０１１３】
本明細書に記載の方法の一実施形態では、標識系は、特にシアニンタイプの蛍光色素または化学発光色素と組み合わせた希土類クリプテートまたはキレートを含む。
【０１１４】
本明細書に記載の方法の一実施形態では、方法は、追加的に、重篤であると診断され、かつ医学的治療中の患者、または凝固系が異常になりやすい、もしくは凝固系に感染するリスクがある患者のｐｒｏＡＤＭまたはそのフラグメントの決定されたレベルを、参照レベル、閾値および／またはｐｒｏＡＤＭまたはそのフラグメントに対応する集団平均と比較することを含み、その比較は、コンピュータ実行可能コードを使用してコンピュータプロセッサで実行される。
【０１１５】
本発明の方法は、部分的にコンピュータで実行され得る。例えば、検出されたマーカーのレベル、例えばｐｒｏＡＤＭまたはそのフラグメントを、参照レベルと比較するステップは、コンピュータシステムにおいて実施され得る。コンピュータシステムでは、診断、予後診断、リスク評価および／もしくはリスク層別化、治療ガイダンス、ならびに患者管理のための指標であるスコアを計算するために、１以上の決定されたマーカーのレベルは、対象の他のマーカーレベルおよび／またはパラメータと組み合わされ得る。例えば、決定された値は、コンピュータシステムに入力されてもよい（医療従事者によって手動で、またはそれぞれの１以上のマーカーレベルが決定された１以上の装置から自動で、のいずれか）。コンピュータシステムは、ポイントオブケア（プライマリケア、ＩＣＵ、またはＥＤなど）に直接配置されてもよく、またはコンピュータネットワークを介して（例えば、インターネット、または病院情報システム（ＨＩＳ）などの他のＩＴシステムまたはプラットフォームと任意選択的に組み合わせ可能な専門の医療クラウドシステムを介して）で接続された遠隔地に配置されてもよい。典型的には、コンピュータシステムは、値（例えば、マーカーレベル、またはパラメータ（年齢、血圧、体重、性別など）、または臨床スコアリングシステム（ＳＯＦＡ、ｑＳＯＦＡ、ＢＭＩ、ＰＣＴ、血小板数など）をコンピュータ可読媒体上に記憶し、かつ事前定義および／または事前記憶された参照レベルまたは参照値に基づきスコアを計算することになる。得られたスコアは、ユーザ（通常は医師などの医療従事者）のために表示および／または印刷される。あるいは、または加えて、関連する予後診断、診断、評価、治療ガイダンス、患者管理ガイダンス、または層別化は、ユーザ（典型的には医師または看護師などの医療従事者）のために表示および／または印刷される。
【０１１６】
本発明の一実施形態では、好ましくは電子健康記録（ＥＨＲ）からのデータを使用して敗血症、重症敗血症および敗血症性ショックのリスクがある入院患者を識別するために、機械学習アルゴリズムが明らかであるソフトウェアシステムを使用することができる。機械学習アプローチは、患者からのＥＨＲデータ（ラボ、バイオマーカーの発現、バイタル、および人口統計など）を使用して、ランダムフォレスト分類器で訓練され得る。機械学習は、単純なルールベースのシステムとは異なり、明示的にプログラムされなくても、コンピュータにデータの複雑なパターンを学習できる能力を提供する人工知能のタイプである。以前の研究では、電子健康記録データを使用して、アラートをトリガし、一般的な臨床的悪化を検出していた。本発明の一実施形態において、ｐｒｏＡＤＭレベルの処理は、既存のデータセットとの比較のために適切なソフトウェアに組み込まれてもよく、例えば、ｐｒｏＡＤＭレベルは、機械学習ソフトウェアで処理されて、有害事象、血小板減少症などの調節不全の凝固、またはＤＩＣの診断またはその発生の予知を支援することができる。
【０１１７】
ＰＣＴまたはＣＲＰなどの別のバイオマーカーと組み合わせたｐｒｏＡＤＭまたはそのフラグメントの組み合わせた使用は、単一の多重アッセイで、または患者からの試料で実施される２つの別個のアッセイのいずれかで実現され得る。試料は、同じ試料に、または異なる試料に関連する場合がある。ｐｒｏＡＤＭ、および例えばＰＣＴの検出および決定に使用されるアッセイはまた、同じであってもよく、または異なっていてもよく、例えば、上記のマーカーのうちの１つの決定のために、イムノアッセイを使用してもよい。適切なアッセイのより詳細な説明を以下に提供する。
【０１１８】
重篤であると診断され、かつ治療中の患者、または調節不全の凝固系のリスクがある、もしくはそれを有する患者のｐｒｏＡＤＭまたはそのフラグメントのカットオフ値および他の参照レベルは、前述の方法で決定され得る。例えば、基準値および／またはカットオフを確立するために定量アッセイの変動性を評価する際に変動係数を使用する方法（Ｇｅｏｒｇｅ  Ｆ．Ｒｅｅｄ  ｅｔ  ａｌ．、Ｃｌｉｎ  Ｄｉａｇｎ  Ｌａｂ  Ｉｍｍｕｎｏｌ．２００２；  ９（６）：１２３５−１２３９）は、当業者に知られている。
【０１１９】
さらに、確立された技法に従って基準レベルまたはカットオフとして使用するための統計的に有意な値を示すために、機能アッセイの感度を決定することができる。研究所は、臨床的に関連するプロトコルにより、アッセイの機能的感度を独立して確立することができる。「機能的感度」は、変動係数（ＣＶ）が２０％（または他の所定の％ＣＶ）になる濃度と見なすことができ、したがってそれは、低検体レベルでのアッセイの精度の尺度である。したがって、ＣＶは標準偏差（ＳＤ）の標準化であり、それにより、分析の濃度の大小に関係なく、少なくともアッセイの動作範囲の大部分でばらつきの推定値を比較することができる。
【０１２０】
さらに、ＲＯＣ分析に基づく方法を使用して、２つの臨床患者グループ間の統計的に有意な差を決定することができる。レシーバー動作特性（ＲＯＣ）曲線は、モデルの適合確率の並べ替え効率を測定して、応答レベルを並べ替える。ＲＯＣ曲線は、診断テストでの基準点の設定にも役立ち得る。対角線からの曲線が高いほど、適合度は高くなる。ロジスティック近似に３つ以上の応答レベルがある場合、一般化されたＲＯＣ曲線が作成される。このようなプロットには、各応答レベルの曲線があり、これは、そのレベルの他の全てのレベルに対するＲＯＣ曲線である。例えば、ＳＡＳの統計ソフトウェアＲ（バージョン３．１．２）、ＪＭＰ  １２、ＪＭＰ  １３、Ｓｔａｔｉｓｔｉｃａｌ  Ｄｉｓｃｏｖｅｒｙなどの、適切な参照レベルおよびカットオフを確立するためにこの種の分析を有効にできるソフトウェアが、利用可能である。
【０１２１】
ＰＣＴについても同様に、カットオフ値を決定することができる。適切なカットオフを決定するために、例えば、０．１ｎｇ／ｍＬのカットオフで、ＰＣＴが感染を除外する非常に高い感度を有することを記載しているＰｈｉｌｉｐｐ  Ｓｃｈｕｅｔｚ  ｅｔ  ａｌ．（ＢＭＣ  Ｍｅｄｉｃｉｎｅ．２０１１；９：１０７）などの文献を、当業者は入手することができる。感度および特異性に基づいて計算される正および負の可能性比などの指標を記載しているＴｅｒｅｎｃｅ  Ｃｈａｎ  ｅｔ  ａｌ．（Ｅｘｐｅｒｔ  Ｒｅｖ．Ｍｏｌ．Ｄｉａｇｎ．２０１１；１１（５），４８７．４９６）がまた、診断テストの強度を評価するために有用である。一般に、値は、複数のカットオフ値（ＣＶ）について、レシーバー動作特性曲線としてグラフ化される。曲線値の下の領域を使用して、診断上最も適切なＣＶを決定する。この文献は、ＣＶ（アッセイおよび研究デザインに依存するカットオフ値）の変動、およびカットオフ値を決定するための適切な方法について説明している。
【０１２２】
ｐｒｏＡＤＭまたはそのフラグメントの集団平均レベルはまた、参照値、例えば、平均ｐｒｏＡＤＭ集団値として使用されてもよく、それにより、凝固系の調節不全の患者などの、重篤と診断された患者は、対照集団と比較される場合があり、ここで、対照集団は、１０より多い、２０、３０、４０、５０以上の対象を含むことが好ましい。
【０１２３】
本発明の一実施形態では、ＰＣＴのカットオフレベルは、例えば、Ｌｕｍｉｎｅｘ  ＭＡＣ  Ｐｉｘ  Ｅ−Ｂｉｏｓｃｉｅｎｃｅ  ＡｓｓａｙまたはＢＲＡＨＭＳ  ＰＣＴ  Ｋｒｙｐｔｏｒ  Ａｓｓａｙを使用する場合、血清試料中の０．０１〜１００．０ｎｇ／ｍＬの範囲の値であり得る。
【０１２４】
好ましい実施形態では、ＰＣＴのカットオフレベルは、０．０１〜１００、０．０５〜５０、０．１〜２０、または０．１〜２ｎｇ／ｍＬ、最も好ましくは０．０５〜１０ｎｇ／ｍＬより高い範囲であり得る。これらの範囲内のいくつかの値は、適切なカットオフ値と見なされ得る。例えば、０．０１、０．０５、０．１、０．２、０．３、０．４、０．５、０．６、０．７、０．８、０．９、１．０、１．１、１．２、１．３、１．４、１．５、１．６、１．７、１．８、１．９、２．０、３、４、５、６、７、８、９、１０、１５、２０、２５、３０、３５、４０、４５、５０、５５、６０、６５、７０、７５、８０、８５、９０、９５、または１００ｎｇ／ｍＬを採用してもよい。いくつかの実施形態では、健康な対象のＰＣＴレベルは、約０．０５ｎｇ／ｍＬである。
【０１２５】
実施例として、以下のうちの１つの研究から導き出されるように、データは、異常な低レベルの血小板を有する敗血症患者のＰＣＴ値が７ｎｇ／ｍｌより高いことを示している。
【０１２６】
本明細書に開示される本発明の様々な方法およびキットの各々の利点および実施形態はまた、それぞれ他の方法およびキットにも適用され、かつ読み取られている。
【０１２７】
患者の健康におけるその後の有害事象の予後診断、リスク評価および／またはリスク層別化を含む治療モニタリングのための方法の決定に関する本発明の実施形態
上述のように、いくつかの実施形態におけるその後の有害事象は、血小板減少症、ＤＩＣ、感染、器官不全、器官機能不全および／または死亡のうちの１つ以上である。
【０１２８】
本発明は、患者の健康におけるその後の有害事象の予後診断、リスク評価および／またはリスク層別化を含む、治療モニタリングのための方法に関し、方法は、
−患者が重篤であると診断されている、および／または治療が開始されている、その患者の試料を提供することであって、試料が診断および治療開始後に患者から単離される、提供することと、
−その試料中のｐｒｏＡＤＭまたはその１以上のフラグメントのレベルを決定することと、を含み、
−ｐｒｏＡＤＭまたはその１以上のフラグメントのそのレベルは、その患者の健康におけるその後の有害事象の可能性と相関する。
【０１２９】
一実施形態では、本発明の方法の患者は、重篤状態であるとすでに診断されており、かつすでに治療を受けている。したがって、本発明の方法は、その後の有害事象の可能性を決定することに基づいて、開始された処理または治療の成功をモニタリングするために使用され得る。治療モニタリングは、好ましくは、有害事象の予後診断および／または将来の有害事象に関する患者のリスク層別化もしくはリスク評価を含み、ここで、このリスク評価およびそのリスクの決定は、開始された治療をモニタリングする手段として考慮されるべきである。
【０１３０】
重篤であると診断された患者を治療している医師または医療担当者は、プライマリケア環境などの異なる臨床環境で、または、好ましくは救急部門もしくは集中治療室（ＩＣＵ）などの病院環境で本発明の方法を使用することができる。方法は、重病患者に開始された治療の効果を監視するのに非常に役立ち、治療中の患者が、激しい医療的観察下にあるべきであり、かつ潜在的に追加の治療措置を受けるべきである高リスクの患者であるかどうか、またはおそらく、開始された治療が患者の状態を改善している可能性があるため、患者が集中的な観察およびさらなる治療措置が必要ではないかもしれない健康状態の改善を伴う低リスク患者であるかどうかを判断するために使用され得る。重病患者の初期治療は、患者の健康における有害事象が発生する可能性に直接的に影響する場合がある。そのようなものとして、将来の有害事象のリスク／予後診断の評価は、刺激された治療に関するフィードバックまたはモニタリングを提供する。
【０１３１】
その後の有害事象の発生の可能性は、参照レベル（閾値もしくはカットオフ値、および／または人口平均など）と比較して、試料中のｐｒｏＡＤＭまたはそのフラグメントのレベルの比較で評価されてもよく、ここで、参照レベルは、健康な患者、または重篤と診断された患者のｐｒｏＡＤＭまたはそのフラグメントに対応し得る。
【０１３２】
したがって、本発明の方法は、患者の健康におけるその後の有害事象の可能性を予測することを助けることができる。これは、本発明の方法が、合併症に苦しむ可能性が高い、または将来的に状態がより重大になる高リスク患者を、患者の死亡または患者の臨床症状もしくは兆候の悪化などの有害事象に苦しみ、特定の治療措置が必要になる場合があることは予想されないような、健康状態が安定し、または改善さえしている低リスク患者から区別できることを意味している。
【０１３３】
本発明の方法の特定の利点は、本発明の方法により低リスク患者として識別された患者が、一般的に病院のＩＣＵからより迅速に退院することができ、またはより少ない頻度のモニタリングを要求し得ることである。また、リスクの低い患者の場合、患者の健康状態の観察の強度および／または頻度を減らすことができる。したがって、患者を担当する病院または他の医療機関は、どの患者が集中医療ケアおよび観察を必要とするかをより効率的に決めることができる。その結果、例えば、それぞれの病院または施設は、リスクの高い患者のいるＩＣＵベッドをより効率的に占有することができる。これにより、医療担当者がリスクの高い患者に集中できるので、そのような患者の医療ケアの改善につながり、一方でリスクの低い患者は、ＩＣＵから退院することができる。これはまた、そうでなければリスクの低い患者に適用される不必要な措置のための回避された費用から、大きな利益をもたらすであろう。
【０１３４】
患者が重篤であると診断され、かつ最初の治療措置が開始される時点は、「時点０」として定義され、これは、ｐｒｏＡＤＭまたはそのフラグメントを決定するために使用される試料の単離の時点の基準であり得る。患者の診断および治療の開始が同時に行われない場合、時点０は、診断および医学的治療の開始という２つの事象の後者が発生する時点である。通常、重篤な患者の診断は、治療の開始、または手術および／もしくは発生源制御（例えば、壊死組織の除去）などの医学的介入の直後またはそれに付随して行われる。凝固機能不全の場合、介入の開始点は、状態の重篤度または他の合併症に応じて時々変化し得る。
【０１３５】
患者からの試料中のｐｒｏＡＤＭまたはそのフラグメントのレベルが、その重篤患者の健康におけるその後の有害事象の発生の可能性に関する重要な情報を提供することができることはまったく驚くべきことであった。重病患者の診断および治療開始後のｐｒｏＡＤＭまたはそのフラグメントの単一測定が、進行中の治療の成功および患者の健康状態の予後診断に関するこうした重要な情報を提供することができるという表示はなかった。
【０１３６】
本発明の実施形態における単一パラメータとしてのｐｒｏＡＤＭまたはそのフラグメントの使用は、バイオマーカーまたは臨床スコアなどの他の単一パラメータの使用よりも有利であり、これは、ｐｒｏＡＤＭが、血小板数、ＰＣＴ、ＣＲＰ、乳酸、またはＳＯＦＡ、ＳＡＰＳ  ＩＩまたはＡＰＡＣＨＥ  ＩＩなどの臨床スコアなどの他のマーカー、ならびに膜微粒子、血小板数、平均血小板体積（ＭＰＶ）、ｓＣＤ１４−ＳＴ、プロトロンビナーゼ、アンチトロンビンおよび／アンチトロンビン活性、カチオン性タンパク質１８（ＣＡＰ１８）、フォンウィルブランド因子（ｖＷＦ）プロテアーゼ、ＣＲＰと組み合わせたリポタンパク質、フィブリノーゲン、フィブリン、Ｂ２ＧＰ１、ＧＰＩＩｂ−ＩＩＩａ、フィブリンの非変性Ｄダイマー、血小板因子４、ヒストン、およびＰＴアッセイなどの凝固系の調節不全のマーカーと比較して、有害事象の予測においてより正確であるからである。
【０１３７】
好ましい実施形態によれば、試料は、医療検査中に患者から単離される。
【０１３８】
好ましい実施形態によれば、試料は、その診断および治療開始後３０分以内、またはその診断および治療開始後少なくとも３０分、１時間、２時間、６時間、１２時間、２４時間、４日、７日もしくは１０日以内に患者から単離される。他の実施形態では、試料は、治療開始の１２〜３６時間後および／または３〜５日後にその患者から単離される。
【０１３９】
診断および治療開始後約３０分という短い時点でのｐｒｏＡＤＭまたはそのフラグメントのレベルがそのような情報を提供することができるという事実は、まったく予想外であった。
【０１４０】
本発明の方法の好ましい実施形態では、その試料は、その診断および治療開始後約３０分、１時間、２時間、３時間、４時間、５時間、６時間、７時間、８時間、９時間、１０時間、１１時間、１２時間、１４時間、１６時間、１８時間、２０時間、２２時間、２４時間、３０時間、３６時間、４２時間、４８時間、６０時間、７２時間、８４時間、４日、５日、６日、７日、８日、９日、または１０日でその患者から単離される。
【０１４１】
他の実施形態において、試料は、その診断後の時点で単離され、３０分〜１２時間、１２〜３６時間、３〜５日、７〜１４日、８〜１２日、または９〜１１日の抗生物質治療が開始される。
【０１４２】
任意の所与の上記の値の間の範囲を使用して、試料を取得する時点を定義することができる。
【０１４３】
本発明の別の好ましい実施形態では、患者は、少なくとも１つの追加のバイオマーカーまたは臨床スコアを使用して診断されている。時点０での患者の重病の初期診断が少なくとも部分的に少なくとも１つのバイオマーカーのレベルまたは決定された臨床スコアに基づいていた場合、それは本発明の文脈において特に有利である。
【０１４４】
特定の実施形態では、本発明は、マーカー、バイオマーカー、臨床スコア等の追加のパラメータの決定を含む。
【０１４５】
本発明の別の好ましい実施形態では、患者は、バイオマーカーまたは臨床スコアプロカルシトニン（ＰＣＴ）、乳酸およびＣ反応性タンパク質のうちの少なくとも１つ、ならびに／または膜微粒子、血小板数、平均血小板体積（ＭＰＶ）、ｓＣＤ１４−ＳＴ、プロトロンビナーゼ、アンチトロンビンおよび／アンチトロンビン活性、カチオン性タンパク質１８（ＣＡＰ１８）、フォンウィルブランド因子（ｖＷＦ）切断プロテアーゼ、ＣＲＰと組み合わせたリポタンパク質、フィブリノーゲン、フィブリン、Ｂ２ＧＰ１、ＧＰＩＩｂ−ＩＩＩａ、フィブリンの非変性Ｄダイマー、血小板因子４、ヒストン、およびＰＴアッセイなどの、凝固系の調節不全についての臨床スコアＳＯＦＡ、ＡＰＡＣＨＥ  ＩＩ、ＳＡＰＳ  ＩＩ、およびマーカーのうちの少なくとも１つを使用して診断されている。実施形態では、追加の１つ以上のマーカーは、１つ以上のヒストンを含む。重篤であると診断され、かつ治療中の患者の試料中のｐｒｏＡＤＭまたはそのフラグメントを決定することは、患者の診断がこれらのマーカーに基づいている場合、そのような患者グループにおける有害事象の予後診断が他の手段で診断された重病患者と比較してより正確であり得るため、治療モニタリングに特に有用であることが証明された。
【０１４６】
本発明の一実施形態において、重篤患者は、凝固系の調節不全、感染症、感染症と診断された患者、もしくはその発症のリスクがある患者、感染症および１つ以上の既存の器官不全と診断された患者、敗血症、重症敗血症もしくは敗血症性ショックと診断された患者、ならびに／または外傷後または手術後の患者である。本明細書に提示されるデータの観点から、これらの患者グループの試料におけるｐｒｏＡＤＭの予後診断値は、これらの患者における有害事象の可能性を予測する際に特に正確である。
【０１４７】
本発明の好ましい実施形態では、その患者の健康における有害事象は、死、好ましくは診断および治療開始後２８〜９０日以内の死、新たな感染、器官不全、ならびに／もしくは集中洗浄手順血液製剤の輸血、コロイドの輸液、緊急手術、侵襲性機械的換気、有害薬物反応、および／もしくは腎もしくは肝臓置換を必要とする臨床症状の悪化である。
【０１４８】
本発明の好ましい実施形態では、ｐｒｏＡＤＭまたはその１以上のフラグメントのそのレベルは、診断および治療開始後２８日以内のその患者の健康におけるその後の有害事象の可能性と相関する。本発明のさらに好ましい実施形態では、ｐｒｏＡＤＭまたはその１以上のフラグメントのそのレベルは、診断および治療開始後９０日以内のその患者の健康におけるその後の有害事象の可能性と相関する。
【０１４９】
本発明の特定の実施形態では、患者が受ける治療は、抗生物質もしくは抗感染治療、侵襲性機械的換気、非侵襲性機械的換気、腎代替療法、昇圧剤使用、輸液療法、血小板輸血、輸血、体外血液浄化、線源管理、および／または器官保護のうちの１つ以上を含む。
【０１５０】
本発明の好ましい実施形態では、試料は、血液試料もしくはその断片、血清試料、血漿試料、および／または尿試料からなる群から選択される。
【０１５１】
本発明のさらなる実施形態では、ｐｒｏＡＤＭまたはその１以上のフラグメントのそのレベルは、その患者の健康におけるその後の有害事象の可能性と相関する。好ましい実施形態では、ｐｒｏＡＤＭまたはその１以上のフラグメントのレベルは、その患者の健康におけるその後の有害事象の可能性との正の相関がある。言い換えれば、ｐｒｏＡＤＭのレベルが高いほど、その後の有害事象の可能性が高くなる。
【０１５２】
本発明の好ましい実施形態によれば、
−ｐｒｏＡＤＭもしくはその１以上のフラグメントの低い重症度レベルは、その後の有害事象の不存在を示すか、もしくはその続の有害事象の低リスクを示しており、ここで、低い重症度レベルは、４ｎｍｏｌ／ｌ未満、好ましくは３ｎｍｏｌ／ｌ未満、より好ましくは２．７ｎｍｏｌ／ｌ未満であり、または
−ｐｒｏＡＤＭもしくはその１以上のフラグメントの高い重症度レベルは、その後の有害事象を示すか、もしくはその続の有害事象の高リスクを示しており、ここで、高い重症度レベルは、６．５ｎｍｏｌ／ｌを超え、好ましくは６．９５ｎｍｏｌ／ｌを超え、より好ましくは１０．９ｎｍｏｌ／ｌを超える。
【０１５３】
本発明の好ましい実施形態によれば、
−４ｎｍｏｌ／ｌ未満、好ましくは３ｎｍｏｌ／ｌ未満、より好ましくは２．７ｎｍｏｌ／ｌ未満のｐｒｏＡＤＭもしくはその１以上のフラグメントのレベルは、その後の有害事象の不存在を示すか、もしくはその後の有害事象の低リスクを示しており、または
−６．５ｎｍｏｌ／ｌを超え、好ましくは６．９５ｎｍｏｌ／ｌを超え、より好ましくは１０．９ｎｍｏｌ／ｌを超えるｐｒｏＡＤＭもしくはその１以上のフラグメントのレベルは、その後の有害事象を示すか、もしくはその後の有害事象の高リスクを示している。
【０１５４】
本発明の好ましい実施形態によれば、
−ｐｒｏＡＤＭもしくはその１以上のフラグメントの低い重症度レベルは、その後の有害事象の不存在を示しており、ここで、低い重症度レベルは、２．７ｎｍｏｌ／ｌ未満であり、または
−ｐｒｏＡＤＭもしくはその１以上のフラグメントの高い重症度レベルは、その後の有害事象を示しており、ここで、高い重症度レベルは、１０．９ｎｍｏｌ／ｌを超えている。
【０１５５】
本発明のこの実施形態は、患者の診断および治療開始の日、特に診断および治療開始の約３０分後に単離された試料において、ｐｒｏＡＤＭまたはそのフラグメントのレベルが決定される場合に特に有利である。
【０１５６】
本発明の好ましい実施形態によれば、
−ｐｒｏＡＤＭもしくはその１以上のフラグメントの低い重症度レベルは、その後の有害事象が存在しないことを示しており、ここで、低い重症度レベルは、２．７ｎｍｏｌ／ｌ未満であり、または
−ｐｒｏＡＤＭもしくはその１以上のフラグメントの高い重症度レベルは、その後の有害事象を示しており、ここで、高い重症度レベルは、１０．９ｎｍｏｌ／ｌを超えており、
−ここで、ｐｒｏＡＤＭまたはそのフラグメントのレベルは、好ましくは診断および治療開始の日に単離された試料で決定される。
【０１５７】
本発明の好ましい実施形態によれば、
−ｐｒｏＡＤＭもしくはその１以上のフラグメントの低い重症度レベルは、その後の有害事象の不存在を示しており、ここで、低い重症度レベルは、２．８ｎｍｏｌ／ｌ未満であり、または
−ｐｒｏＡＤＭもしくはその１以上のフラグメントの高い重症度レベルは、その後の有害事象を示しており、ここで、高い重症度レベルは、９．５ｎｍｏｌ／ｌを超えている。
【０１５８】
本発明のこの実施形態は、その診断および治療開始の１日後に単離された試料において、ｐｒｏＡＤＭまたはそのフラグメントのレベルが決定される場合に特に有利である。
【０１５９】
本発明の好ましい実施形態によれば、
−ｐｒｏＡＤＭもしくはその１以上のフラグメントの低い重症度レベルは、その後の有害事象の不存在を示しており、ここで、低い重症度レベルは、２．８ｎｍｏｌ／ｌ未満であり、または
−ｐｒｏＡＤＭもしくはその１以上のフラグメントの高い重症度レベルは、その後の有害事象を示しており、ここで、高い重症度レベルは、９．５ｎｍｏｌ／ｌを超えており、
−ここで、ｐｒｏＡＤＭまたはそのフラグメントのレベルは、好ましくは診断および治療開始の１日後に単離された試料で決定される。
【０１６０】
例えば、ｐｒｏＡＤＭまたはそのフラグメントのレベルがｐｒｏＡＤＭの低い重症度のカテゴリに分類される場合、その患者の健康に有害な事象が、好ましくは次の２８日以内に、より好ましくは次の９０日以内に発生する可能性は低いため、治療医師は、より自信を持ってその患者をＩＣＵから退院させることを決定することができる。したがって、この患者をＩＣＵに収容する必要はないかもしれない。有害事象のリスクの測定によって評価されるように、進行中の治療が患者の健康状態を首尾よく改善していると結論付けることも可能であるかもしれない。
【０１６１】
対照的に、そのＩＣＵ患者のｐｒｏＡＤＭまたはそのフラグメントのレベルの決定がｐｒｏＡＤＭまたはそのフラグメントの高い重症度レベルを示す場合、治療医師は、患者をＩＣＵに留まらせなければならない。さらに、現在の治療は患者の健康状態を改善していない可能性が高く、これが、患者が将来有害事象により苦しむ可能性が高い理由であるため、患者の治療を調整することを考慮する必要がある。
【０１６２】
本発明の特に好ましい実施形態によれば、低い重症度レベルは、２．７５ｎｍｏｌ／ｌ未満であり、その試料は、その診断および治療開始の１日以上後にＩＣＵ患者から単離され、低い重症度レベルのｐｒｏＡＤＭまたはその１以上のフラグメントは、ＩＣＵからのその患者の退院を示す。
【０１６３】
本発明は、患者の健康におけるその後の有害事象の予後診断、リスク評価および／またはリスク層別化を含む、治療モニタリングのための方法にさらに関し、方法は、
−患者が重篤であると診断されている、および／または治療が開始されている、その患者の試料を提供することであって、試料がＩＣＵへの入院および治療開始後に患者から単離される、提供することと、
−その試料中のプロアドレノメジュリン（ｐｒｏＡＤＭ）またはその１以上のフラグメントのレベルを決定することと、を含み、
−ｐｒｏＡＤＭまたはその１以上のフラグメントのそのレベルは、その患者の健康におけるその後の有害事象の可能性と相関する。
【０１６４】
ＩＣＵ患者に関する本発明の方法の文脈において、ｐｒｏＡＤＭまたはそのフラグメントを決定するために使用される試料の単離時点の基準は、患者がＩＣＵに入院し、かつ最初の治療測定が開始される時点（時点０）である。この時点は、重篤であると診断された患者に関する本発明の方法における診断および治療開始の時点に対応する。
【０１６５】
これにより、重篤患者と診断された患者に関する本発明の方法の全ての実施形態がまた、ＩＣＵ患者に関する本発明の方法の実施形態に対応するものと考慮される。
【０１６６】
第１および第２の試料（または第１および第２の試料の単離の時点）におけるＰＣＴおよび／または他のバイオマーカーもしくは臨床スコアのレベルを追加的に決定することに関する本発明の実施形態
本発明の好ましい実施形態は、患者から単離された試料中のＰＣＴまたはその１以上のフラグメントのレベルを追加的に決定することを含む。好ましい実施形態では、ＰＣＴまたはその１以上のフラグメントのレベルを決定するための試料は、診断および治療開始の時点の前、時点またはその後に単離される。
【０１６７】
ｐｒｏＡＤＭまたはそのフラグメントの決定を、試料中のＰＣＴまたはそのフラグメントの決定と組み合わせることが特に有利であり、ここで、ｐｒｏＡＤＭを決定するために使用される試料は、ＰＣＴを検出するために使用される同じまたは異なる試料であり得る。
【０１６８】
ＰＣＴまたはそのフラグメントの決定とｐｒｏＡＤＭまたはそのフラグメントとの組み合わせた決定は、同じ試料であろうと、または異なる時点で得られた試料であろうと、その後の有害事象のリスクを決定する正確さおよび信頼性に関して相乗効果をもたらす。これらの相乗効果はまた、血小板数、平均血小板体積（ＭＰＶ）、乳酸塩、ＣＲＰ、ｑＳＯＦＡ、ＳＯＦＡ、ＳＡＰＳ  ＩＩ、ＡＰＡＣＨＥ  ＩＩ、または他の臨床評価などの他のマーカーまたは臨床スコアとｐｒｏＡＤＭまたはそのフラグメントの組み合わされた評価に存在する。
【０１６９】
本発明のさらに好ましい実施形態によれば、本明細書に記載の方法は、追加的に、
−患者から単離された第１の試料中のＰＣＴまたはその１以上のフラグメントのレベルを決定することであって、その第１の試料が、診断および治療開始の時点の前、その時点もしくはその後に単離される、決定することと、
−その患者から単離された第２の試料中のＰＣＴまたはその１以上のフラグメントのレベルを決定することであって、第２の試料が、第１の試料の後に、好ましくは第１の試料の単離の後３０分以内、もしくは第１の試料の単離の後３０分、１時間、２時間、６時間、１２時間、２４時間、４日、７日もしくは１０日以内に単離されている、決定することと、
−第１の試料中のＰＣＴまたはその１以上のフラグメントのレベルと比較して、第２の試料中のＰＣＴまたはその１以上のフラグメントのレベルの違いを決定することと、を含む。
【０１７０】
患者から単離された試料中のｐｒｏＡＤＭまたはそのフラグメントの決定と、第１の試料中のＰＣＴまたはそのフラグメントの決定、および第１の試料の後に単離された第２の試料中のＰＣＴまたはそのフラグメントの決定を組み合わせることが特に有利であり、ここで、ｐｒｏＡＤＭまたはそのフラグメントの決定のために使用される試料は、ＰＣＴまたはそのフラグメントの決定のために使用される第１の試料または第２の試料と同じであってもよく、異なっていてもよい。
【０１７１】
本明細書に記載の方法の好ましい実施形態では、方法は、追加的に、
−患者から単離された第１の試料中のＰＣＴまたはその１以上のフラグメントのレベルを決定することであって、その第１の試料が、診断および治療開始の時点（時点０）、またはその時点の前に単離される、決定することと、
−診断および治療開始後、好ましくはその診断および治療開始後３０分以内に、またはその診断および治療開始後３０分、１時間、２時間、６時間、１２時間、２４時間、４日、７もしくは１０日以内にその患者から単離された第２の試料（請求項１の試料）中のＰＣＴまたはその１以上のフラグメントのレベルを決定することと、
−第１の試料中のＰＣＴまたはその１以上のフラグメントのレベルと比較して、第２の試料中のＰＣＴまたはその１以上のフラグメントのレベルの違いを決定することと、を含む。
【０１７２】
ｐｒｏＡＤＭまたはそのフラグメント（第２の試料中の）の決定を、その患者から単離され、かつ時点０で重篤であるようなその患者の診断のために使用され得る以前の試料（第１の試料）のＰＣＴまたはそのフラグメントの決定、および好ましくはｐｒｏＡＤＭまたはそのフラグメントが決定される時と同じ時点でもある診断および治療開始後の特定の時点で単離された第２の試料中のＰＣＴまたはそのフラグメントのレベルの決定、と組み合わせることが特に有利である。以下のデータに示されているように、第１の試料と比較して第２の試料中のＰＣＴまたはそのフラグメントのレベルの違いを決定すると、第２の試料中のｐｒｏＡＤＭまたはそのフラグメントのレベルから得られた情報に追加情報が追加される。この組み合わされた情報に基づいて、純粋に第２の試料中のｐｒｏＡＤＭまたはそのフラグメントのレベルに関する情報のみで有害事象の可能性を予測することに比べて、その患者の健康に有害事象が発生するかどうかをより高い確率で予測することが可能になり得る。敗血症のバイオマーカーが通常、相乗的または相補的ではなく、単なる代替診断マーカーを表すため、これは驚くべき発見を表している。
【０１７３】
本明細書に記載の方法の好ましい実施形態では、方法は、追加的に、
−患者から単離された第１の試料中の血小板数を決定することであって、その第１の試料が、診断および治療開始の時点（時点０）、またはその時点の前に単離される、決定することと、
−その診断および治療開始後３０分以内、またはその診断および治療開始後少なくとも３０分、好ましくは１時間、２時間、６時間、１２時間、２４時間、４日、７もしくは１０日以内にその患者から単離された第２の試料（請求項１の試料）中の血小板数を決定することと、
−第１の試料中の血小板数と比較して、第２の試料中の血小板数の違いを決定することと、を含む。
【０１７４】
ｐｒｏＡＤＭまたはそのフラグメントの決定を、試料中の血小板数の決定と組み合わせることが特に有利であり、ここで、ｐｒｏＡＤＭを決定するために使用される試料は、血小板数を検出するために使用される同じまたは異なる試料であり得る。
【０１７５】
本発明の好ましい実施形態は、ＳＯＦＡまたはｑＳＯＦＡを追加的に決定することを含む。好ましい実施形態では、ｑＳＯＦＡまたはＳＯＦＡは、診断および治療開始の時点の前、時点またはその後に決定される。
【０１７６】
ｐｒｏＡＤＭまたはそのフラグメントの決定を、決定ＳＯＦＡと組み合わせることが特に有利であり、ここで、ｐｒｏＡＤＭを決定するための試料単離の時点は、ＳＯＦＡを決定する時点と同じであっても、または異なっていてもよい。
【０１７７】
本発明のさらに好ましい実施形態によれば、本明細書に記載の方法は、追加的に、
−診断および治療開始の時点の前、時点またはその後に、第１のＳＯＦＡを決定することと、
−第１のＳＯＦＡを決定した後３０分以内、または第１のＳＯＦＡを決定した後３０分、１時間、２時間、６時間、１２時間、２４時間、４日、７もしくは１０日以内に、第２のＳＯＦＡを決定することと、
−２つの決定されたＳＯＦＡの差を決定することと、を含む。
【０１７８】
本明細書に記載の方法の好ましい実施形態では、方法は、追加的に、
−診断および治療開始の時点（時点０）で、またはその時点の前にＳＯＦＡを決定することと、
−その診断および治療開始後３０分以内、またはその診断および治療開始後少なくとも３０分、好ましくは１時間、２時間、６時間、１２時間、２４時間、４日、７もしくは１０日以内にＳＯＦＡを決定することと、
−その診断および治療開始後に決定されたＳＯＦＡと時点０で決定されたＳＯＦＡとの差を決定することと、を含む。
【０１７９】
本発明の好ましい実施形態は、ＳＡＰＳ  ＩＩを追加的に決定することを含む。好ましい実施形態では、ＳＡＰＳ  ＩＩは、診断および治療開始の時点の前、時点またはその後に決定される。
【０１８０】
ｐｒｏＡＤＭまたはそのフラグメントの決定を、決定ＳＡＰＳ  ＩＩと組み合わせることが特に有利であり、ここで、ｐｒｏＡＤＭを決定するための試料単離の時点は、ＳＡＰＳ  ＩＩを決定する時点と同じであっても、または異なっていてもよい。
【０１８１】
本発明のさらに好ましい実施形態によれば、本明細書に記載の方法は、追加的に、
−診断および治療開始の時点の前、時点またはその後に、第１のＳＡＰＳ  ＩＩを決定することと、
−第１のＳＡＰＳ  ＩＩを決定した後３０分以内、または第１のＳＡＰＳ  ＩＩを決定した後３０分、１時間、２時間、６時間、１２時間、２４時間、４日、７もしくは１０日以内に、第２のＳＡＰＳ  ＩＩを決定することと、
−２つの決定されたＳＡＰＳ  ＩＩの差を決定することと、を含む。
【０１８２】
本明細書に記載の方法の好ましい実施形態では、方法は、追加的に、
−診断および治療開始の時点（時点０）で、またはその時点の前にＳＡＰＳ  ＩＩを決定することと、
−その診断および治療開始後３０分以内、またはその診断および治療開始後少なくとも３０分、好ましくは１時間、２時間、６時間、１２時間、２４時間、４日、７もしくは１０日以内にＳＡＰＳ  ＩＩを決定することと、
−その診断および治療開始後に決定されたＳＡＰＳ  ＩＩと時点０で決定されたＳＡＰＳ  ＩＩとの差を決定することと、を含む。
【０１８３】
本発明の好ましい実施形態は、ＡＰＡＣＨＥ  ＩＩを追加的に決定することを含む。好ましい実施形態では、ＡＰＡＣＨＥ  ＩＩは、診断および治療開始の時点の前、時点またはその後に決定される。
【０１８４】
ｐｒｏＡＤＭまたはそのフラグメントの決定を、決定ＡＰＡＣＨＥ  ＩＩと組み合わせることが特に有利であり、ここで、ｐｒｏＡＤＭを決定するための試料単離の時点は、ＡＰＡＣＨＥ  ＩＩを決定する時点と同じであっても、または異なっていてもよい。
【０１８５】
本発明のさらに好ましい実施形態によれば、本明細書に記載の方法は、追加的に、
−診断および治療開始の時点の前、時点またはその後に、第１のＡＰＡＣＨＥ  ＩＩを決定することと、
−第１のＡＰＡＣＨＥ  ＩＩを決定した後３０分以内、または第１のＡＰＡＣＨＥ  ＩＩを決定した後３０分、１時間、２時間、６時間、１２時間、２４時間、４日、７もしくは１０日以内に、第２のＡＰＡＣＨＥ  ＩＩを決定することと、
−２つの決定されたＡＰＡＣＨＥ  ＩＩの差を決定することと、を含む。
【０１８６】
本明細書に記載の方法の好ましい実施形態では、方法は、追加的に、
−診断および治療開始の時点（時点０）で、またはその時点の前にＡＰＡＣＨＥ  ＩＩを決定することと、
−その診断および治療開始後３０分以内、またはその診断および治療開始後少なくとも３０分、好ましくは１時間、２時間、６時間、１２時間、２４時間、４日、７もしくは１０日以内にＡＰＡＣＨＥ  ＩＩを決定することと、
−その診断および治療開始後に決定されたＡＰＡＣＨＥ  ＩＩと時点０で決定されたＡＰＡＣＨＥ  ＩＩとの差を決定することと、を含む。
【０１８７】
好ましい実施形態では、将来の有害事象に罹患する可能性のある患者のより正確な識別を表す、増加したＰＣＴレベルおよびｐｒｏＡＤＭまたはそのフラグメントの高い重症度レベルを有するそのような高リスク患者を識別することが可能である。したがって、これらの患者の治療は、この患者が低リスク患者である可能性があるリスクを最小限に抑えながら調整することができる。
【０１８８】
第１および第２の試料中のｐｒｏＡＤＭまたはその１以上のフラグメントのレベルの決定に関する本発明の実施形態
本発明の方法の好ましい実施形態は、追加的に、
−患者から単離された第１の試料中のｐｒｏＡＤＭまたはその１以上のフラグメントのレベルを決定することであって、その第１の試料が、診断および治療開始の時点の前、その時点もしくはその後に単離される、決定することと、
−その患者から単離された第２の試料中のｐｒｏＡＤＭまたはその１以上のフラグメントのレベルを決定することであって、その第２の試料が、第１の試料の後かつ診断および治療開始の時点の後に、好ましくは第１の試料の単離の後３０分以内、または第１の試料の単離の後３０分、１時間、２時間、６時間、１２時間、２４時間、４日、７日もしくは１０日以内に単離されている、決定することと、
−第１の試料中のｐｒｏＡＤＭまたはその１以上のフラグメントのレベルと比較して、第２の試料中のＰＣＴまたはその１以上のフラグメントのレベルの違いが明らかであるかどうかを決定することと、を含む。
【０１８９】
ｐｒｏＡＤＭまたはその１以上のフラグメントのレベルを決定するために使用される第１および第２の試料は、ＰＣＴまたはその１以上のフラグメントのレベルを決定するために使用される第１および第２の試料と同じであっても、または異なっていてもよい。
【０１９０】
本発明の方法の好ましい実施形態は、追加的に、
−患者から単離された第１の試料中のｐｒｏＡＤＭまたはその１以上のフラグメントのレベルを決定することであって、その第１の試料が、診断および治療開始の時点（時点０）、またはその時点の前に単離される、決定することと、
−診断および治療開始後、好ましくはその診断および治療開始後３０分以内、または３０分、１時間、２時間、６時間、１２時間、２４時間、４日、７もしくは１０日後に単離された第２の試料中のｐｒｏＡＤＭまたはその１以上のフラグメントのレベルを決定することと、
−第１の試料中のｐｒｏＡＤＭまたはその１以上のフラグメントのレベルと比較して、第２の試料中のｐｒｏＡＤＭまたはその１以上のフラグメントのレベルの違いが明らかであるかどうかを決定することと、を含む。
【０１９１】
本発明の方法の好ましい実施形態は、追加的に、
−患者から単離された第１の試料中のｐｒｏＡＤＭまたはその１以上のフラグメントのレベルを決定することであって、その第１の試料は、重篤であるとその患者を診断するために使用される（時点０）、決定することと、
−診断および治療開始後、好ましくはその診断および治療開始後３０分以内、または３０分、１時間、２時間、６時間、１２時間、２４時間、４日、７もしくは１０日後に単離された第２の試料中のｐｒｏＡＤＭまたはその１以上のフラグメントのレベルを決定することと、
−第１の試料中のｐｒｏＡＤＭまたはその１以上のフラグメントのレベルと比較して、第２の試料中のｐｒｏＡＤＭまたはその１以上のフラグメントのレベルの違いが明らかであるかどうかを決定することと、を含む。
【０１９２】
本発明の方法のさらなる好ましい実施形態は、追加的に、
−患者から単離された第１の試料中のｐｒｏＡＤＭまたはその１以上のフラグメントおよび任意でＰＣＴまたはその１以上のフラグメントのレベルを決定することであって、その第１の試料が、診断および治療開始の時点（時点０）、またはその時点の前に単離される、決定することと、
−その診断および治療開始後、好ましくはその診断および治療開始後３０分または少なくとも３０分以内、好ましくはその診断および治療開始後１時間、２時間、６時間、１２時間、２４時間、４日、７または１０日以内に単離された第２の試料中のｐｒｏＡＤＭまたはその１以上のフラグメントおよび任意でＰＣＴまたはその１以上のフラグメントのレベルを決定することと、
−第１の試料中のｐｒｏＡＤＭまたはその１以上のフラグメントのレベルと比較して、第２の試料中のｐｒｏＡＤＭもしくはその１以上のフラグメントのレベルの違いおよび／またはＰＣＴもしくはその１以上のフラグメントのレベルの違いを決定することと、を含む。
【０１９３】
本発明の方法のさらなる好ましい実施形態は、追加的に、
−患者から単離された第１の試料中のｐｒｏＡＤＭまたはその１以上のフラグメントおよび任意でＰＣＴまたはその１以上のフラグメントのレベルを決定することであって、その第１の試料は、重篤であるとその患者を診断するために使用される（時点０）、決定することと、
−その診断および治療開始後、好ましくはその診断および治療開始後３０分または少なくとも３０分以内、好ましくはその診断および治療開始後１時間、２時間、６時間、１２時間、２４時間、４日、７または１０日以内に単離された第２の試料中のｐｒｏＡＤＭまたはその１以上のフラグメントおよび任意でＰＣＴまたはその１以上のフラグメントのレベルを決定することと、
−第１の試料中のｐｒｏＡＤＭまたはその１以上のフラグメントのレベルと比較して、第２の試料中のｐｒｏＡＤＭもしくはその１以上のフラグメントのレベルの違いおよび／またはＰＣＴもしくはその１以上のフラグメントのレベルの違いを決定することと、を含む。
【０１９４】
診断および治療開始の時点から後の時点までのｐｒｏＡＤＭまたはそのフラグメントのレベルの変化の決定が、重篤であると診断された患者、例えば、血小板減少症と診断された患者の健康における将来の有害事象の発生に関する追加情報を提供することができることは驚くべきことであった。本発明のこの実施形態の大きな利点は、時点０で診断マーカーを決定するために使用される同じ試料がまた、診断および治療開始後の後の時点でのｐｒｏＡＤＭまたはそのフラグメントのレベルと比較され得る、ｐｒｏＡＤＭまたはそのフラグメントのベースラインレベルを決定するために使用することができることである。患者治療過程のｐｒｏＡＤＭまたはそのフラグメントのレベルの変化を決定することにより、患者の健康における有害事象の発生を予測する精度をさらに高めることができる。
【０１９５】
本明細書に記載の方法の一実施形態では、第１の試料と比較した第２の試料中のｐｒｏＡＤＭまたはその１以上のフラグメントレベルの上昇は、その後の有害事象を示している。
【０１９６】
ｐｒｏＡＤＭまたはそのフラグメントのレベルの変化に基づいて、さらなるマーカーを決定することなく、患者の健康における有害事象の発生の可能性を確信的に予測することが可能であることは驚くべきことであった。診断および治療開始の時点からのｐｒｏＡＤＭまたはそのフラグメントのレベルまたは重症度レベルの増加は、有害事象が発生する可能性が高いことを示している。したがって、治療の過程にわたるｐｒｏＡＤＭまたはそのフラグメントの変化に基づいて、医師は、患者の治療を変更もしくは修正するかどうか、または初期治療に固執するかどうかを決定することができる。
【０１９７】
本発明の方法の好ましい実施形態では、
−第１の試料と比較して、第２の試料中のｐｒｏＡＤＭまたはその１以上のフラグメントのレベルの上昇、およびＰＣＴまたはその１以上のフラグメントのレベルの上昇は、その後の有害事象を示している、および／または
【０１９８】
本発明のいくつかの実施形態では、第１の試料と比較した第２の試料中のｐｒｏＡＤＭまたはそのフラグメントのレベルの上昇は、ｐｒｏＡＤＭまたはそのフラグメントの重症度レベルの上昇に関する。逆に、本発明のいくつかの実施形態では、第１の試料と比較して第２の試料中のｐｒｏＡＤＭまたはそのフラグメントのレベルが低いとは、第１の試料と比較して第２の試料中のｐｒｏＡＤＭまたはそのフラグメントのより低い重症度レベルを指す。
【０１９９】
重篤な患者の治療の過程にわたってＰＣＴまたはそのフラグメントの決定された変化と組み合わせたｐｒｏＡＤＭまたはそのフラグメントのレベルの変化に基づいて、患者の健康における有害事象の可能性が評価され得ることは、大きな利点である。したがって、これら２つのマーカーの変化に基づいて、リスクの高い患者およびリスクの低い患者を確信的に識別することができる。
【０２００】
ＩＣＵ患者における第２の試料の単離の時点（後の時点）でのＰＣＴまたはそのフラグメントのレベルおよびｐｒｏＡＤＭまたはそのフラグメントの重症度レベルの変化の組み合わされた分析によって、患者が進行中の治療を維持しながらＩＣＵから退院することができる低リスク患者であるかどうか、または患者が、ＰＣＴレベルの変化およびｐｒｏＡＤＭの現在の重症度レベルのそれぞれの組み合わせによって示される有害事象の発生を防ぐために、ＩＣＵでの現在の療法の修正または調整が必要である高リスク患者であるかどうかを決定することができることは、有利である。
【０２０１】
さらなる実施形態において、本発明は、本発明の方法を実行するためのキットに関し、キットは、
−ｐｒｏＡＤＭまたはその１以上のフラグメントのレベルを決定するため、および任意でＰＣＴのレベルを追加的に決定するための検出試薬と、
−ｐｒｏＡＤＭの高いおよび／または低い重症度レベルであって、低い重症度レベルが、４ｎｍｏｌ／ｌ未満、好ましくは３ｎｍｏｌ／ｌ未満、より好ましくは２．７ｎｍｏｌ／ｌ未満であり、かつ高い重症度レベルが、６．５ｎｍｏｌ／ｌを超え、好ましくは６．９５ｎｍｏｌ／ｌを超え、より好ましくは１０．９ｎｍｏｌ／ｌを超えである、重症度レベル、ならびに任意でＰＣＴに対応する参照データなどの参照データと、を含み、ここでその参照データは、好ましくはコンピュータ可読媒体に記憶され、かつ／またはｐｒｏＡＤＭもしくはその１以上のフラグメントの決定されたレベル、ならびに任意で追加的にＰＣＴ、乳酸および／またはＣ反応性タンパク質もしくはその１以上のフラグメントの決定されたレベルを、その参照データと比較するように構成されたコンピュータ実行可能コードの形態で使用される。
【０２０２】
さらなる実施形態において、本発明は、本発明の方法を実行するためのキットに関し、キットは、
−ｐｒｏＡＤＭまたはその１以上のフラグメントのレベルを決定するため、ならびに任意で追加的に対象からの試料中のＰＣＴ、および／または膜微粒子、血小板数、平均血小板体積（ＭＰＶ）、ｓＣＤ１４−ＳＴ、プロトロンビナーゼ、アンチトロンビンおよび／アンチトロンビン活性、カチオン性タンパク質１８（ＣＡＰ１８）、フォンウィルブランド因子（ｖＷＦ）切断プロテアーゼ、ＣＲＰと組み合わせたリポタンパク質、フィブリノゲン、フィブリン、Ｂ２ＧＰ１、ＧＰＩＩｂ−ＩＩＩａ、フィブリンの非変性Ｄダイマー、血小板因子４、ヒストン、およびＰＴ−アッセイなどの、凝固系の調節不全についての１つ以上のマーカーのレベルを決定するための検出試薬と、
−ｐｒｏＡＤＭの高いおよび／または低い重症度レベルであって、低い重症度レベルが、４ｎｍｏｌ／ｌ未満、好ましくは３ｎｍｏｌ／ｌ未満、より好ましくは２．７ｎｍｏｌ／ｌ未満であり、かつ高い重症度レベルが、６．５ｎｍｏｌ／ｌを超え、好ましくは６．９５ｎｍｏｌ／ｌを超え、より好ましくは１０．９ｎｍｏｌ／ｌを超えである、重症度レベル、ならびに任意でＰＣＴに対応する参照レベルなどの参照データと、膜微粒子、血小板数、平均血小板体積（ＭＰＶ）、ｓＣＤ１４−ＳＴ、プロトロンビナーゼ、アンチトロンビンおよび／またはアンチトロンビン活性、カチオン性タンパク質１８（ＣＡＰ１８）、フォンウィルブランド因子（ｖＷＦ）切断プロテアーゼ、ＣＲＰと組み合わせたリポタンパク質、フィブリノゲン、フィブリン、Ｂ２ＧＰ１、ＧＰＩＩｂ−ＩＩＩａ、フィブリンの非変性Ｄダイマー、血小板因子４、ヒストン、ならびにＰＴ−アッセイなどの、凝固系の調節不全についての１つ以上のマーカーと、を含み、ここでその参照データは、好ましくはコンピュータ可読媒体に記憶され、かつ／またはｐｒｏＡＤＭもしくはその１以上のフラグメントの決定されたレベル、ならびに任意で追加的にＰＣＴ、および／または膜微粒子、血小板数、平均血小板体積（ＭＰＶ）、ｓＣＤ１４−ＳＴ、プロトロンビナーゼ、アンチトロンビンおよび／アンチトロンビン活性、カチオン性タンパク質１８（ＣＡＰ１８）、フォンウィルブランド因子（ｖＷＦ）切断プロテアーゼ、ＣＲＰと組み合わせたリポタンパク質、フィブリノゲン、フィブリン、Ｂ２ＧＰ１、ＧＰＩＩｂ−ＩＩＩａ、フィブリンの非変性Ｄダイマー、血小板因子４、ヒストン、およびＰＴ−アッセイなどの、凝固系の調節不全についての１つ以上のマーカーの決定されたレベルを、その参照データと比較するように構成されたコンピュータ実行可能コードの形態で使用される。
【０２０３】
さらなる実施形態において、本発明は、本発明の方法を実行するためのキットに関し、キットは、
−ｐｒｏＡＤＭまたはその１以上のフラグメントのレベルを決定するため、および任意で追加的に対象からの試料中のＰＣＴまたはその１以上のフラグメントのレベルを決定するための検出試薬と、
−ｐｒｏＡＤＭの高いおよび／または低い重症度レベルであって、低い重症度レベルが、４ｎｍｏｌ／ｌ未満、好ましくは３ｎｍｏｌ／ｌ未満、より好ましくは２．７ｎｍｏｌ／ｌ未満であり、かつ高い重症度レベルが、６．５ｎｍｏｌ／ｌを超え、好ましくは６．９５ｎｍｏｌ／ｌを超え、より好ましくは１０．９ｎｍｏｌ／ｌを超えである、重症度レベル、ならびに任意でＰＣＴレベルに対応する参照レベルなどの参照データと、を含み、ここでその参照データは、好ましくはコンピュータ可読媒体に記憶され、かつ／またはｐｒｏＡＤＭもしくはその１以上のフラグメントの決定されたレベル、ならびに任意で追加的にＰＣＴもしくはその１以上のフラグメントの決定されたレベルを、その参照データと比較するように構成されたコンピュータ実行可能コードの形態で使用される。
【０２０４】
一実施形態において、本発明は、本明細書に記載の方法を実行するためのキットに関し、キットは、
−ｐｒｏＡＤＭまたはその１以上のフラグメントのレベルを決定するため、および任意で追加的に対象からの試料中のＰＣＴまたはその１以上のフラグメントのレベルを決定するための検出試薬と、
−請求項６および／または９のｐｒｏＡＤＭ重症度レベル、ならびに任意にＰＣＴレベルに対応する参照レベルなどの参照データと、を含み、ここでその参照データは、好ましくはコンピュータ可読媒体に記憶され、かつ／またはｐｒｏＡＤＭもしくはその１以上のフラグメントの決定されたレベル、ならびに任意で追加的にＰＣＴもしくはその１以上のフラグメントの決定されたレベルを、その参照データと比較するように構成されたコンピュータ実行可能コードの形態で使用される。
【発明を実施するための形態】
【０２０５】
本発明は、ｐｒｏＡＤＭレベルと血小板数との間の相関関係を識別した発見に基づいている。本方法は、患者の異常な血小板レベルの決定、診断、予後診断、治療ガイダンス、治療モニタリング、リスク評価および／またはリスク層別化を可能にし、ここで、ｐｒｏＡＤＭまたはその１以上のフラグメントのそのレベルは、その患者の異常な血小板レベルと相関する。
【０２０６】
本発明は、従来の方法に対して、本発明の方法およびキットが重篤患者の治療モニタリングのために高速で、客観的で、使いやすく、かつ正確であるという利点を有する。本発明の方法およびキットは、ｐｒｏＡＤＭ、ＰＣＴ、乳酸、ｃ反応性タンパク質、ＳＯＦＡ、ＡＰＡＣＨＥ  ＩＩ、ＳＡＰＳ  ＩＩ、ならびに／または膜微粒子、血小板数、平均血小板体積（ＭＰＶ）、ｓＣＤ１４−ＳＴ、プロトロンビナーゼ、アンチトロンビンおよび／アンチトロンビン活性、カチオン性タンパク質１８（ＣＡＰ１８）、フォンウィルブランド因子（ｖＷＦ）切断プロテアーゼ、ＣＲＰと組み合わせたリポタンパク質、フィブリノゲン、フィブリン、Ｂ２ＧＰ１、ＧＰＩＩｂ−ＩＩＩａ、フィブリンの非変性Ｄダイマー、血小板因子４、ヒストン、およびＰＴ−アッセイなどの、凝固系の調節不全についての１つ以上のマーカーのレベルが、日常的に得られた血液試料または対象から得られたさらなる生体体液もしくは試料で測定され得るので、病院の日常的な方法で簡単に測定可能である、マーカーおよび臨床スコアに関する。
【０２０７】
本明細書中で使用される場合、「患者」または「対象」は、脊椎動物であり得る。本発明の文脈において、「対象」という用語は、ヒトおよび動物の両方、特に哺乳動物、および他の生物を含む。
【０２０８】
本発明の文脈において、「患者の健康における有害事象」は、患者の健康状態の合併症または悪化を示す事象に関する。このような有害事象には、患者の死亡、診断および治療開始後２８〜９０日以内の患者の死亡、感染または新たな感染の発生、低血圧または高血圧、頻脈または徐脈などの患者の一般的な臨床徴候または症状の器官不全および悪化、凝固系の調節不全、播種性血管内凝固、異常な血小板レベル、血小板減少、ならびに調節不全の器官機能または血小板減少症に関連する器官不全が含まれるが、これらに限定されない。さらに、有害事象の実施例には、臨床症状の悪化が、臨床症状の悪化が焦点洗浄手順、血液製剤の輸血、コロイドの輸液、侵襲性機械的換気、血小板輸血、非侵襲性機械的換気、緊急手術、腎臓または肝臓の置換などの臓器置換療法、および昇圧薬療法などの治療手段の必要性を示す状況が含まれる。さらに、有害事象は、コルチコステロイドの提供、血液もしくは血小板輸血、血清、血漿もしくは特定の細胞もしくはそれらの組み合わせなどの血液成分の輸血、栓球の形成を促進する薬物、原因治療、または脾臓摘出の実施を含み得る。
【０２０９】
「重篤」と診断された本明細書に記載の患者は、集中治療室（ＩＣＵ）患者、自身の健康状態の常時および／または集中的な観察が必要な患者、敗血症、重症敗血症または敗血症性ショックと診断された患者、感染症および１つ以上の既存の器官不全と診断された患者、手術前または手術後の患者、術中患者、心的外傷後患者、事故患者、火傷患者、１つ以上の開放病変を有する患者などの外傷患者であると診断され得る。本明細書に記載の対象は、救急部門もしくは集中治療室にあり得、または救急車などの緊急輸送機関などの他のポイントオブケア環境内にあり得、または前述の症状のある患者に直面している一般開業医にあり得る。さらに、本発明の文脈において、重篤な病気とは、調節不全の凝固系を取得または有するリスクのある患者を指す場合がある。したがって、本発明の文脈において、重篤な病気とは、好ましくは、血小板数が少ないかまたは血小板数が減少する（血小板減少症）リスクがある患者を指す。より好ましくは、本発明の文脈において、重篤な病気とは、全身感染、敗血症、重症敗血症または敗血症性ショックに続発する血小板数の減少または血小板減少（血小板減少症）のリスクがある患者を指す。ＳＩＲＳに罹患していると疑われる患者は、必ずしも重篤であると考えられていない。
【０２１０】
「ＩＣＵ患者」の患者という用語は、集中治療室に入院している患者を意味するが、これに限定されない。集中治療室はまた、集中療法室または集中処理室（ＩＴＵ）または救命治療室（ＣＣＵ）と呼ばれ得、集中治療薬を提供する病院または医療施設の特別な部門である。ＩＣＵの患者は通常、重篤で生命を脅かす病気および怪我に苦しんでおり、正常な身体機能を確保するためには、専門の機器および薬剤による絶え間ない綿密なモニタリングおよびサポートが必要である。ＩＣＵ内で治療される一般的な状態には、急性または成人呼吸障害症候群（ＡＲＤＳ）、外傷、器官不全、および敗血症が含まれるが、これらに限定されない。
【０２１１】
本明細書で使用するとき、用語「凝固系」は、凝固を可能にする血液中に存在する成分を指す。凝固（血栓形成とも呼ばれる）は、血液が液体からゲルに変化し、血栓を形成するプロセスである。それは潜在的に、止血、損傷した血管からの失血の停止、その後の修復をもたらす。凝固のメカニズムには、フィブリンの沈着および成熟に加えて、血小板の活性化、接着、および凝集が含まれる。凝固障害は、出血（大出血または打撲）または閉塞性凝固（血栓症）を引き起こす可能性のある疾患状態である。凝固は、血管の損傷が血管の内側の内皮を損傷した後、ほぼ瞬時に始まる。内皮を介した血液の漏出は、血小板の変化と、最終的にフィブリン形成につながる血漿第ＶＩＩ因子への内皮下組織因子の曝露という２つのプロセスを開始する。血小板は、損傷部位で直ちにプラグを形成し、これは一次止血と呼ばれる。二次止血は同時に発生する。第ＶＩＩ因子を超える追加の凝固因子または血栓形成因子は、複雑なカスケードで反応して、フィブリン鎖を形成し、血小板プラグを強化する。凝固因子の例には、血小板、因子Ｉ（フィブリノゲン）、因子ＩＩ（プロトロンビン）、因子ＩＩＩ（組織因子または組織トロンボプラスチン）、因子ＩＶカルシウム、因子Ｖ（プロアセレリン、不安定因子）、因子ＶＩ、因子ＶＩＩ（安定因子、プロコンバーチン）、因子ＶＩＩＩ（抗血友病因子Ａ）、因子ＩＸ（抗血友病因子Ｂまたはクリスマス因子）、因子Ｘ（スチュアート−プルーワー因子）、因子ＸＩ（血漿トロンボプラスチン前駆体）、因子ＸＩＩ（ハーゲマン因子）、因子ＸＩＩＩ（フィブリン安定化因子）、フォンウィルブランド因子、プレカリクレイン（フレッチャー因子）、高分子量キニノーゲン（ＨＭＷＫ）（フィッツジェラルド因子）、フィブロネクチン、アンチトロンビンＩＩＩ、ヘパリン補因子ＩＩ、プロテインＣ、プロテインＳ、プロテインＺ、プロテインＺ関連プロテアーゼ阻害剤（ＺＰＩ）、プラスミノーゲン、アルファ２−アンチプラスミン、組織プラスミノーゲン活性化因子（ｔＰＡ）、ウロキナーゼ、プラスミノーゲン活性化因子阻害剤−１（ＰＡＩ１）、プラスミノーゲン活性化因子阻害剤−２（ＰＡＩ２）、癌凝固促進剤が含まれるが、これらに限定されない。
【０２１２】
本明細書で使用する「異常な血小板レベル」という用語は、予想外に高いまたは低い患者の血液中の血小板の数または濃度を指す。予期の値は、患者の状態に依存する。健康な個人または既知の基礎疾患、素因もしくは診断のない個人では、正常または予期の血小板数は、Ｌあたり約１５００〜４５００億個の血小板またはμｌあたり１５０，０００〜４５０，０００個の血小板の範囲にある。この範囲は、例えば、患者が血小板数に影響を与える状態に罹患していることが知られている場合、変動する可能性がある。
【０２１３】
血小板減少症は、血液中の血小板としても知られている栓球の異常に低いレベルを特徴とする状態である。正常なヒトの血小板数は、血液１マイクロリットルあたり１５０，０００〜４５０，０００の範囲である。これらの制限は、２．５パーセンタイルの下限と上限によって決定されるため、この範囲外の値は必ずしも疾患を示すものではない。血小板減少症は、特にマイクロリットルあたり５０，０００未満の血小板数が測定される場合、緊急治療が必要になる場合がある。
【０２１４】
本発明の文脈において、血小板減少症という用語は、脱水症、ビタミンＢ１２または葉酸欠乏、白血病または髄異形成症候群または再生不良性貧血によって引き起こされ得る血小板産生の異常な低下などの異常に低いレベルの栓球、肝不全、敗血症、全身性ウイルス感染症または細菌感染症、レプトスピラ症、先天性巨核球性血小板減少症などの遺伝性症候群、血小板減少−橈骨欠損症候群、ファンコーニ貧血、バーナードスーリエ症候群（大きな血小板に関連する）、メイヘグリン異常、灰色血小板症候群、アルポート症候群、ウィスコットアルドリッチ症候群における肝臓によるトロンボポエチンの産生の減少、免疫性血小板減少性紫斑病、血栓性血小板減少性紫斑病、溶血性尿毒症症候群、播種性血管内凝固症候群、発作性夜間血色素尿症、抗リン脂質症候群、全身性エリテマトーデス、輸血後紫斑病、新生児同種免疫性血小板減少症、脾機能亢進、デング熱、ゴーシェ病、ジカウイルスにより誘発され得る異常に高い血小板破壊、バルプロ酸、メトトレキサート、カルボプラチン、インターフェロン、イソトレチノイン、パノビノスタット、ヘパリン、Ｈ２ブロッカー、プロトンポンプ阻害剤などによって誘発される薬物誘発性血小板減少症、およびヘビ咬傷、ナイアシン毒性、ライム病、血小板除去療法（血小板除去療法とも呼ばれる）などの他の原因に至る全ての形態および／または原因を含む。
【０２１５】
血小板／栓球測定のゴールドスタンダードは、フローサイトメトリーなどによる（絶対）未熟血小板数（（Ａ）ＩＰＣ）の決定である。しかしながら、この方法は、血小板数の技術的な検証が困難な場合があるという欠点と関係付けられる。交絡要因により、結果が信頼できなくなり、そのことは、貴重な時間およびスタッフが必要になる追加の検証の要求につながる。分析的干渉は、疑似血小板減少症（例えば、巨大な栓球、網状の栓球、栓球の凝集またはＥＤＴＡ不適合による）を引き起こす可能性がある。
【０２１６】
「敗血症性血小板減少症」という用語は、敗血症および低血小板レベルの関連する存在に関する。
【０２１７】
本明細書で使用される場合、本発明の文脈における「診断」は、感染症に関連する対象の臨床状態の認識および（早期の）検出に関する。感染症の重症度の評価もまた、「診断」という用語によって包含され得る。
【０２１８】
「予後診断」は、感染症に基づく対象の結果または特定のリスクの予測に関する。これはまた、前述の対象についての回復の見込みまたは有害な帰結の見込みの推定を含み得る。
【０２１９】
本発明の方法はまた、モニタリングに使用され得る。「モニタリング」とは、例えば、疾患の進行、または重篤な患者の疾患もしくは患者の感染症の疾患進行に対する特定の処理もしくは治療の影響を分析するための、すでに診断された感染症、障害、合併症またはリスクの追跡に関するものである。
【０２２０】
本発明の文脈における「治療モニタリング」または「治療制御」という用語は、例えば、治療の有効性に関するフィードバックを得ることによる、その対象の治療的処置のモニタリングおよび／または調整を指す。
【０２２１】
本発明において、用語「リスク評価」および「リスク層別化」は、さらなる予後に従って対象を異なるリスクグループに分類することに関する。リスク評価はまた、予防的および／または治療的措置を適用するための層別化にも関する。リスク層別化の実施例は、本明細書で開示されている低、中、および高のリスクレベルである。
【０２２２】
本明細書で使用される場合、用語「治療ガイダンス」は、１つ以上のバイオマーカーの値および／または臨床パラメータおよび／または臨床スコアに基づく特定の療法または医学的介入の適用を指す。
【０２２３】
本発明の文脈において、「ｐｒｏＡＤＭまたはその１以上のフラグメントのレベルを決定すること」等は、ｐｒｏＡＤＭまたはそのフラグメントを決定する任意の手段を指すことが理解される。フラグメントがｐｒｏＡＤＭまたはそのフラグメントのレベルの明白な決定を可能にする限り、フラグメントは、任意の長さ、例えば少なくとも約５、１０、２０、３０、４０、５０または１００アミノ酸を有することができる。本発明の特に好ましい態様において、「ｐｒｏＡＤＭのレベルを決定すること」は、中部領域のプロアドレノメジュリン（ＭＲ−ｐｒｏＡＤＭ）のレベルを決定することを指す。ＭＲ−ｐｒｏＡＤＭは、ｐｒｏＡＤＭのフラグメントおよび／または領域である。
【０２２４】
ペプチドアドレノメジュリン（ＡＤＭ）は、５２個のアミノ酸を含む血圧降下ペプチドとして発見され、それはヒトフェノクロモサイトメトリーから単離された（Ｋｉｔａｍｕｒａら、１９９３）。アドレノメジュリン（ＡＤＭ）は、１８５個のアミノ酸を含む前駆体ペプチドとしてコードされる（「プレプロアドレノメジュリン」または「プレｐｒｏＡＤＭ」）。ｐｒｏＡＤＭの例示的なアミノ酸配列は、配列番号１に示されている。
【０２２５】
配列番号１：ｐｒｅ−ｐｒｏ−ＡＤＭのアミノ酸配列：
１  ＭＫＬＶＳＶＡＬＭＹ  ＬＧＳＬＡＦＬＧＡＤ  ＴＡＲＬＤＶＡＳＥＦ  ＲＫＫＷＮＫＷＡＬＳ  ＲＧＫＲＥＬＲＭＳＳ
５１  ＳＹＰＴＧＬＡＤＶＫ  ＡＧＰＡＱＴＬＩＲＰ  ＱＤＭＫＧＡＳＲＳＰ  ＥＤＳＳＰＤＡＡＲＩ  ＲＶＫＲＹＲＱＳＭＮ
１０１  ＮＦＱＧＬＲＳＦＧＣ  ＲＦＧＴＣＴＶＱＫＬ  ＡＨＱＩＹＱＦＴＤＫ  ＤＫＤＮＶＡＰＲＳＫ  ＩＳＰＱＧＹＧＲＲＲ
１５１  ＲＲＳＬＰＥＡＧＰＧ  ＲＴＬＶＳＳＫＰＱＡ  ＨＧＡＰＡＰＰＳＧＳ  ＡＰＨＦＬ
【０２２６】
ＡＤＭはプレｐｒｏＡＤＭアミノ酸配列の９５〜１４６位を含み、それらのスプライス産物である。「プロアドレノメジュリン」（「ｐｒｏＡＤＭ」）は、シグナル配列を有さないプレｐｒｏＡＤＭ（アミノ酸１〜２１）、すなわちプレｐｒｏＡＤＭのアミノ酸残基２２〜１８５を指す。「中間領域プロアドレノメジュリン」（「ＭＲ−ｐｒｏＡＤＭ」）は、プレ−ｐｒｏＡＤＭのアミノ酸４２〜９５を指す。ＭＲ−ｐｒｏＡＤＭの例示的なアミノ酸配列は、配列番号２に示されている。
【０２２７】
配列番号２：ＭＲ−ｐｒｏ−ＡＤＭのアミノ酸配列（ｐｒｅ−ｐｒｏ−ＡＤＭのＡＳ  ４５〜９２）：
ＥＬＲＭＳＳＳＹＰＴ  ＧＬＡＤＶＫＡＧＰＡ  ＱＴＬＩＲＰＱＤＭＫ  ＧＡＳＲＳＰＥＤＳＳ  ＰＤＡＡＲＩＲＶ
【０２２８】
プレｐｒｏＡＤＭまたはＭＲｐｒｏＡＤＭのペプチドおよびそのフラグメントを本明細書に記載の方法に使用できることも本明細書では想定されている。例えば、ペプチドまたはそのフラグメントは、プレｐｒｏＡＤＭのアミノ酸２２〜４１（ＰＡＭＰペプチド）またはプレｐｒｏＡＤＭのアミノ酸９５〜１４６（生物ＡＤＭとしても知られる生物学的に活性な形態を含む成熟したアドレノメジュリン成熟アドレノメジュリン）を含み得る。ｐｒｏＡＤＭのＣ末端フラグメント（プレｐｒｏＡＤＭのアミノ酸１５３〜１８５）は、アドレノテンシンと呼ばれる。ｐｒｏＡＤＭペプチドのフラグメントまたはＭＲ−ｐｒｏＡＤＭのフラグメントは、例えば、少なくとも約５、１０、２０、３０、またはそれ以上のアミノ酸を含み得る。したがって、ｐｒｏＡＤＭのフラグメントは、例えば、ＭＲ−ｐｒｏＡＤＭ、ＰＡＭＰ、アドレノテンシンおよび成熟アドレノメジュリンからなる群から選択することができ、好ましくは本明細書ではフラグメントはＭＲ−ｐｒｏＡＤＭである。
【０２２９】
ＡＤＭまたはｐｒｏＡＤＭおよびそのフラグメントのこれらの様々な形態の決定はまた、例えば、分子の特定の部分に対する抗体もしくは他の親和性試薬を使用することにより、または質量分析を使用してタンパク質の一部を測定することによって分子の存在および／もしくは量を決定することにより、これらの分子の特定のサブ領域の測定および／または検出を含む。
【０２３０】
本明細書に記載の「ＡＤＭペプチドまたはフラグメント」のうちのいずれか１つ以上を、本発明で使用することができる。
【０２３１】
本発明の方法およびキットはまた、ｐｒｏＡＤＭに加えて、少なくとも１つのさらなるバイオマーカー、マーカー、臨床スコアおよび／またはパラメータを決定することを含むことができる。
【０２３２】
本明細書で使用される場合、パラメータは、特定のシステムを定義するのを助けることができる特性、特徴、または測定可能な要因である。パラメータは、疾患／障害／臨床状態リスク、好ましくは１以上の器官機能不全などの健康および生理学に関連する評価にとって重要な要素である。さらに、パラメータは、正常な生物学的プロセス、病原性プロセス、または治療的介入に対する薬理学的反応の指標として客観的に測定および評価される特性として定義される。例示的なパラメータは、急性生理学および慢性健康評価ＩＩ（ＡＰＡＣＨＥ  ＩＩ）、簡易急性生理学スコア（ＳＡＰＳＩＩスコア）、逐次器官不全評価スコア（ＳＯＦＡスコア）、迅速逐次器官不全評価スコア（ｑＳＯＦＡ）、肥満度指数、体重、年齢、性別、ＩＧＳ  ＩＩ、液体摂取、白血球数、ナトリウム、血小板数、平均血小板体積（ＭＰＶ）、カリウム、温度、血圧、ドーパミン、ビリルビン、呼吸数、酸素の分圧、世界脳神経外科連合（ＷＦＮＳ）のグレーディング、ならびにグラスゴーコーマスケール（ＧＣＳ）からなる群から選択され得る。
【０２３３】
本明細書で使用される場合、「マーカー」、「代理」、「予後診断マーカー」、「因子」、または「バイオマーカー」もしくは「生物学的マーカー」などの用語は、互換的に使用され、疾患／障害／臨床状態リスク、好ましくは有害事象などの健康および生理学に関連する評価の指標として機能する測定可能かつ定量化可能な生物学的マーカー（例えば、特定のタンパク質もしくは酵素濃度、しくはそのフラグメント、特定のホルモン濃度もしくはそのフラグメント、または生物学的物質もしくはそのフラグメントの存在）に関する。マーカーまたはバイオマーカーは、正常な生物学的プロセス、病原性プロセス、または治療的介入に対する薬理学的応答の指標として客観的に測定および評価され得る特性として定義される。バイオマーカーは、試料中で（血液、血清、血漿、尿、または組織検査として）測定され得る。
【０２３４】
その対象のうちの少なくとも１つのさらなるマーカーおよび／またはパラメータは、その試料中の乳酸のレベル、その試料中のプロカルシトニン（ＰＣＴ）のレベル、その対象の逐次器官不全評価スコア（ＳＯＦＡスコア）、その対象の単純化された急性生理学スコア（ＳＡＰＳＩＩ）、その対象の急性生理学および慢性健康評価ＩＩ（ＡＰＡＣＨＥ  ＩＩ）スコア、ならびに可溶性ｆｍｓ様チロシンキナーゼ−１（ｓＦｌｔ−１）、ヒストンＨ２Ａ、ヒストンＨ２Ｂ、ヒストンＨ３、ヒストンＨ４、カルシトニン、エンドセリン−１（ＥＴ−１）、アルギニンバソプレシン（ＡＶＰ）、心房性ナトリウム利尿ペプチド（ＡＮＰ）、好中球ゼラチナーゼ関連リポカリン（ＮＧＡＬ）、トロポニン、脳性ナトリウム利尿ペプチド（ＢＮＰ）、Ｃ反応性タンパク質（ＣＲＰ）、膵石タンパク質（ＰＳＰ）、骨髄性細胞１に発現するトリガー受容体（ＴＲＥＭ１）、インターロイキン−６（ＩＬ−６）、インターロイキン−１、インターロイキン−２４（ＩＬ−２４）、インターロイキン−２２（ＩＬ−２２）、インターロイキン（ＩＬ−２０）その他のＩＬ、プレセプシン（ｓＣＤ１４−ＳＴ）、リポ多糖結合タンパク質（ＬＢＰ）、アルファ−１−アンチトリプシン、マトリックスメタロプロテイナーゼ２（ＭＭＰ２）、メタロプロテイナーゼ２（ＭＭＰ８）、マトリックスメタロプロテイナーゼ９（ＭＭＰ９）、マトリックスメタロプロテイナーゼ７（ＭＭＰ７、胎盤成長因子（ＰＩＧＦ）、クロモグラニンＡ、Ｓ１００Ａタンパク質、Ｓ１００Ｂタンパク質および腫瘍壊死因子α（ＴＮＦα）、ネオプテリン、アルファ−１−アンチトリプシン、プロアルギニンバソプレッシン（ＡＶＰ、ｐｒｏＡＶＰまたはコペプチン）、プロカルシトニン、心房性ナトリウム利尿ペプチド（ＡＮＰ、ｐｒｏ−ＡＮＰ）、エンドセリン−１、ＣＣＬ１／ＴＣＡ３、ＣＣＬ１１、ＣＣＬ１２／ＭＣＰ−５、ＣＣＬ１３／ＭＣＰ−４、ＣＣＬ１４、ＣＣＬ１５、ＣＣＬ１６、ＣＣＬ１７／ＴＡＲＣ、ＣＣＬ１８、ＣＣＬ１９、ＣＣＬ２／ＭＣＰ−１、ＣＣＬ２０、ＣＣＬ２１、ＣＣＬ２２／ＭＤＣ、ＣＣＬ２３、ＣＣＬ２４、ＣＣＬ２５、ＣＣＬ２６、ＣＣＬ２７、ＣＣＬ２８、ＣＣＬ３、ＣＣＬ３Ｌ３、ＣＣＬ４、ＣＣＬ４Ｌ１／ＬＡＧ−１、ＣＣＬ５、ＣＣＬ６、ＣＣＬ７、ＣＣＬ８、ＣＣＬ９、ＣＸ３ＣＬ１、ＣＸＣＬ１、ＣＸＣＬ１０、ＣＸＣＬ１１、ＣＸＣＬ１２、ＣＸＣＬＣＬ１３、ＣＬＣＬ１４、ＣＸＣＬ１５、ＣＸＣＬ１６、ＣＸＣＬ１７、ＣＸＣＬ２／ＭＩＰ−２、ＣＸＣＬ３、ＣＸＣＬ４、ＣＸＣＬ５、ＣＸＣＬ６、ＣＸＣＬ７／Ｐｐｂｐ、ＣＸＣＬ９、ＩＬ８／ＣＸＣＬ８、ＸＣＬ１、ＸＣＬ２、ＦＡＭ１９Ａ１、ＦＡＭ１９Ａ２、ＦＡＭ１９Ａ３、ＦＡＭ１９Ａ４、ＦＡＭ１９Ａ５、ＣＬＣＦ１、ＣＮＴＦ、ＩＬ１１、ＩＬ３１、ＩＬ６、レプチン、ＬＩＦ、ＯＳＭ、ＩＦＮＡ１、ＩＦＮＡ１０、ＩＦＮＡ１３、ＩＦＮＡ１４、ＩＦＮＡ２、ＩＦＮＡ４、ＩＦＮＡ７、ＩＦＮＢ１、ＩＦＮＥ、ＩＦＮＧ、ＩＦＮＺ、ＩＦＮＡ８、ＩＦＮＡ５／ＩＦＮａＧ、ＩＦＮω／ＩＦＮＷ１、ＢＡＦＦ、４−１ＢＢＬ、ＴＮＦＳＦ８、ＣＤ４０ＬＧ、ＣＤ７０、ＣＤ９５Ｌ／ＣＤ１７８、ＥＤＡ−Ａ１、ＴＮＦＳＦ１４、ＬＴＡ／ＴＮＦＢ、���ＴＢ、ＴＮＦａ、ＴＮＦＳＦ１０、ＴＮＦＳＦ１１、ＴＮＦＳＦ１２、ＴＮＦＳＦ１３、ＴＮＦＳＦ１５、ＴＮＦＳＦ４、ＩＬ１８、ＩＬ１８ＢＰ、ＩＬ１Ａ、ＩＬ１Ｂ、ＩＬ１Ｆ１０、ＩＬ１Ｆ３／ＩＬ１ＲＡ、ＩＬ１Ｆ５、ＩＬ１Ｆ６、ＩＬ１Ｆ７、ＩＬ１Ｆ８、ＩＬ１ＲＬ２、ＩＬ１Ｆ９、ＩＬ３３またはそのフラグメントのレベルからなる群から選択され得る。さらなるマーカーには、膜微粒子、血小板数、平均血小板体積（ＭＰＶ）、ｓＣＤ１４−ＳＴ、プロトロンビナーゼ、アンチトロンビンおよび／アンチトロンビン活性、カチオン性タンパク質１８（ＣＡＰ１８）、フォンウィルブランド因子（ｖＷＦ）切断プロテアーゼ、ＣＲＰと組み合わせたリポタンパク質、フィブリノゲン、フィブリン、Ｂ２ＧＰ１、ＧＰＩＩｂ−ＩＩＩａ、フィブリンの非変性Ｄダイマー、血小板因子４、ヒストン、およびＰＴ−アッセイが含まれる。
【０２３５】
凝固系の成分はまた、本発明の意味においてバイオマーカーのマーカーとみなされてもよく、血小板、因子Ｉ（フィブリノゲン）、因子ＩＩ（プロトロンビン）、因子ＩＩＩ（組織因子または組織トロンボプラスチン）、因子ＩＶカルシウム、因子Ｖ（プロアセレリン、不安定因子）、因子ＶＩ、因子ＶＩＩ（安定因子、プロコンバーチン）、因子ＶＩＩＩ（抗血友病因子Ａ）、因子ＩＸ（抗血友病因子Ｂまたはクリスマス因子）、因子Ｘ（スチュアート−プルーワー因子）、因子ＸＩ（血漿トロンボプラスチン前駆体）、因子ＸＩＩ（ハーゲマン因子）、因子ＸＩＩＩ（フィブリン安定化因子）、フォンウィルブランド因子、プレカリクレイン（フレッチャー因子）、高分子量キニノーゲン（ＨＭＷＫ）（フィッツジェラルド因子）、フィブロネクチン、アンチトロンビンＩＩＩ、ヘパリン補因子ＩＩ、プロテインＣ、プロテインＳ、プロテインＺ、プロテインＺ関連プロテアーゼ阻害剤（ＺＰＩ）、プラスミノーゲン、アルファ２−アンチプラスミン、組織プラスミノーゲン活性化因子（ｔＰＡ）、ウロキナーゼ、プラスミノーゲン活性化因子阻害剤−１（ＰＡＩ１）、プラスミノーゲン活性化因子阻害剤−２（ＰＡＩ２）、癌凝固促進剤を含むが、これらに限定されない。
【０２３６】
本明細書中で使用される場合、「プロカルシトニン」または「ＰＣＴ」は、プロカルシトニンペプチドのアミノ酸残基１〜１１６、２〜１１６、３〜１１６またはそれらのフラグメントに及ぶペプチドに関する。ＰＣＴは、カルシトニンホルモンのペプチド前駆体である。したがって、プロカルシトニンフラグメントの長さは、少なくとも１２アミノ酸、好ましくは５０アミノ酸以上、より好ましくは１１０アミノ酸以上である。ＰＣＴは、グリコシル化、脂質化、または誘導体化などの翻訳後修飾を含み得る。プロカルシトニンは、カルシトニンおよびカタカルシンの前駆体である。したがって、通常の条件下では、循環中のＰＣＴレベルは、非常に低い（約０．０５ｎｇ／ｍＬ未満）。
【０２３７】
対象の試料中のＰＣＴのレベルは、本明細書に記載されるようにイムノアッセイによって決定され得る。本明細書で使用される場合、「プロカルシトニン」または「ＰＣＴ」をエンコーディングするリボ核酸またはデオキシリボ核酸のレベルも決定することができる。ＰＣＴの決定のための方法は、例えば、Ｔｈｅｒｍｏ  Ｆｉｓｈｅｒ  Ｓｃｉｅｎｔｉｆｉｃ／Ｂ・Ｒ・Ａ・Ｈ・Ｍ・Ｓ  ＧｍｂＨから入手した製品を使用することにより、当業者に知られている。
【０２３８】
「少なくとも１つのヒストンのレベルを決定すること」などは、試料中の少なくとも１つのヒストンまたは少なくとも１つのヒストンのフラグメントのレベルを決定することを指すことが理解される。特に、ヒストンＨ２Ｂ、Ｈ３、Ｈ２Ａ、および／またはＨ４のレベルが試料中で決定される。したがって、試料中で決定された少なくとも１つのヒストンは、遊離ヒストンであり得るか、または試料中で決定された少なくとも１つのヒストンは生じ得、かつ巨大分子錯体中、例えば、八量体、ヌクレオソーム、および／またはＮＥＴ中に集合し得る。
【０２３９】
少なくとも１つのヒストンのフラグメントは、そのフラグメントが特定のヒストンのレベルの明白な決定を可能にする限り、任意の長さ、例えば少なくとも約５、１０、２０、３０、４０、５０または１００アミノ酸を有することができる。対象の試料中のヒストンのレベルを決定するのに適している、ヒストンの様々な例示的フラグメントを本明細書中以下に開示する。ヒストンのレベルは、ヒストンのＮ末端またはＣ末端の尾部にわたるフラグメントを決定することによって決定され得ることもまた本明細書において理解される。さらに、本発明の文脈において決定されるべきヒストンまたはそのフラグメントはまた、例えば翻訳後修飾によって修飾されてもよい。例示的な翻訳後修飾はアセチル化、シトルリン化、脱アセチル化、メチル化、脱メチル化、脱離、異性化、リン酸化およびユビキチン化であり得る。好ましくは、ヒストンまたはそのフラグメントは、循環している。
【０２４０】
本発明の特定の態様において、ヒストンまたはそのフラグメントのレベルは、ヌクレオソーム、オクタマーまたは好中球細胞外トラップ（ＮＥＴ）などの巨大分子複合体に組み立てられていない試料中で決定され得る。そのような１以上のヒストンは、本明細書において「１以上の遊離ヒストン」と呼ばれる。したがって、少なくとも１つのヒストンのレベルは特に少なくとも１つの遊離ヒストンのレベルであり得る。
【０２４１】
そのような遊離ヒストンのレベルは、モノヌクレオソームまたはオクタマーのように、組み立てられた化学量論的高分子複合体においては接近不可能であるヒストンのアミノ酸配列または構造エピトープの検出によって決定され得る。そのような構造では、ヒストンの特定の領域が覆われているため、好中球細胞外トラップ（「ＮＥＴ」）について示されているように立体的にアクセスできない。さらに、八量体またはヌクレオソームでは、ヒストンの領域も個々のヒストン間などの分子内相互作用に関与している。したがって、本発明の文脈において決定されるヒストンの領域／ペプチド／エピトープは、ヒストンが遊離ヒストンであるか、または高分子複合体に集合しているヒストンであるかを決定し得る。例えば、イムノアッセイに基づく方法では、エピトープが構造的にアクセスできないので、利用される抗体は、それらがヌクレオソームの八量体コアの一部である場合、ヒストン、例えばＨ４を検出しないかもしれない。以下に、遊離ヒストンを決定するために使用され得るヒストンの領域／ペプチド／エピトープが例示される。例えば、ヒストンのＮ末端またはＣ末端尾部の領域／ペプチド／エピトープは、それらが本発明による高分子複合体中に集合しているかまたは遊離ヒストンであるかに関係なく、ヒストンを決定するために使用することができる。
【０２４２】
この文脈における「化学量論的」は、無傷錯体、例えばモノヌクレオソームまたは八量体に関する。「遊離ヒストンタンパク質」は、クロマチン非結合ヒストンも含み得る。例えば、「遊離ヒストンタンパク質」はまた、個々のヒストンタンパク質または非八量体ヒストン複合体を含み得る。遊離ヒストンは、個々のヒストンに（例えば、一過性に）結合され得、例えば、ヒストンは、ホモまたはヘテロ二量体を形成し得る。遊離ヒストンは、ホモまたはヘテロ四量体も形成し得る。ホモ四量体またはヘテロ四量体は、４分子のヒストン、例えば、Ｈ２Ａ、Ｈ２Ｂ、Ｈ３および／またはＨ４からなり得る。典型的なヘテロ四量体は２つのヘテロ二量体によって形成され、各ヘテロ二量体はＨ  ３およびＨ  ４からなる。ヘテロ四量体がＨ２ＡおよびＨ２Ｂによって形成され得ることもまた、本明細書において理解される。ヘテロ四量体は、Ｈ  ３およびＨ  ４からなる１つのヘテロ二量体、ならびにＨ  ２  ＡおよびＨ  ２  Ｂからなる１つのヘテロ二量体によって形成され得ることもまた本明細書で想定される。したがって、遊離ヒストンは、本明細書において呼ばれ、核酸、例えばヌクレオソームに結合したヒストン八量体からなる（「化学量論的」）巨大分子複合体に集合していない単量体、ヘテロ二量体または四量体ヒストンタンパク質であり得る。さらに、遊離ヒストンも核酸に結合させることができ、前述の遊離ヒストンは（「化学量論的」）巨大分子複合体、例えば無傷のヌクレオソーム中に集合していない。好ましくは、遊離ヒストンは本質的に核酸を含まない。
【０２４３】
乳酸塩または乳酸は、式ＣＨ3ＣＨ（ＯＨ）ＣＯＯＨの有機化合物であり、血液を含む体液に出現する。乳酸の血液検査は、体内の酸塩基恒常性の状態を決定するために実施される。乳酸は細胞代謝の副産物であり、細胞に十分な酸素が不足し（低酸素症）、かつエネルギー生産の効率の低い手段に転換する必要がある場合、または条件が乳酸の過剰生産または障害クリアランスを引き起こすときに蓄積し得る。乳酸アシドーシスは、ショック、敗血症性ショック、うっ血性心不全などの細胞および組織に供給される酸素の量が減少する可能性のある状態にある場合など、細胞および組織の酸素量が不十分なために起こり得（低酸素症）、乳酸テストは、低酸素症および乳酸アシドーシスの重症度の検出および評価を助けるために使用され得る。
【０２４４】
Ｃ反応性タンパク質（ＣＲＰ）は、五量体タンパク質であり、血漿などの体液内に確認され得る。ＣＲＰレベルは、炎症に反応して上昇する可能性がある。ＣＲＰ値の測定およびチャート作成は、疾患の進行または治療の有効性を決定するのに有用であることがわかり得る。
【０２４５】
本明細書で使用される場合、「逐次器官不全評価スコア」または「ＳＯＦＡスコア」は、集中治療室（ＩＣＵ）に滞在中の患者の状態を追跡するために使用される１つのスコアである。ＳＯＦＡスコアは、人の臓器機能の程度または不全率を決定するためのスコアリングシステムである。スコアは、６つの異なるスコアに基づき、各１つが呼吸器系、心血管系、肝臓系、凝固系、腎臓系、および神経系に対する。平均および最高の両方のＳＯＦＡスコアが転帰の予測因子である。ＩＣＵにおける最初の２４〜４８時間のＳＯＦＡスコアの増加は、少なくとも５０％〜９５％の死亡率を予測する。９未満のスコアは３３％で予測死亡率を与え、一方１４を超えると９５％に近いかまたは９５％を超えることができる。
【０２４６】
本明細書で使用される場合、クイックＳＯＦＡスコア（ｑＳＯＦＡ）は、患者の器官機能不全または死亡リスクを示すスコアリングシステムである。スコアは、以下の３つの基準に基づいている。１）精神状態の変化、２）１００ｍｍＨｇ未満の収縮期血圧の低下、３）毎分２２呼吸を超える呼吸数。これらの状態のうちの２つ以上を有する患者は、臓器機能不全を有するか、死亡するリスクがより高い。
【０２４７】
本明細書中で使用される場合、「ＡＰＡＣＨＥ  ＩＩ」または「急性生理学および慢性健康評価ＩＩ」は、疾患の重症度分類のスコアリングシステムである（Ｋｎａｕｓら、１９８５）。それは、集中治療室（ＩＣＵ）への患者の入院から２４時間以内に適用され得、以下の１２個の異なる生理学的パラメータに基づき決定され得る。ＡａＤＯ２またはＰａＯ２（ＦｉＯ２に依存）、温度（直腸）、平均動脈圧、ｐＨ動脈、心拍数、呼吸数、ナトリウム（血清）、カリウム（血清）、クレアチニン、ヘマトクリット、白血球数、およびグラスゴーＣｏｍ睡尺度。
【０２４８】
本明細書で使用される場合、「ＳＡＰＳ  ＩＩ」または「単純化急性生理学スコアＩＩ」は、疾患または障害の重症度を分類するためのシステムに関する（Ｌｅ  Ｇａｌｌ  ＪＲ  ｅｔ  ａｌ．，Ａ  ｎｅｗ  Ｓｉｍｐｌｉｆｉｅｄ  Ａｃｕｔｅ  Ｐｈｙｓｉｏｌｏｇｙ  Ｓｃｏｒｅ（ＳＡＰＳ  ＩＩ）ｂａｓｅｄ  ｏｎ  ａ  Ｅｕｒｏｐｅａｎ／Ｎｏｒｔｈ  Ａｍｅｒｉｃａｎ  ｍｕｌｔｉｃｅｎｔｅｒ  ｓｔｕｄｙ．ＪＡＭＡ．１９９３；２７０（２４）：２９５７−６３．を参照されたい）。ＳＡＰＳ  ＩＩスコアは、１２個の生理学的変数および３個の疾患関連変数で構成されている。ポイントスコアは、１２個の日常的な生理学的測定、以前の健康状態に関する情報、およびＩＣＵへの入院時に得られたいくつかの情報から計算される。ＳＡＰＳ  ＩＩスコアはいつでも、好ましくは２日目に決定することができる。最悪の測定値は、最高の点数に相関する基準として定義される。ＳＡＰＳ  ＩＩスコアは、０〜１６３点の範囲である。分類システムには、次のパラメータが含まれる。年齢、心拍数、収縮期血圧、体温、グラスゴー・コーマ・スケール、機械的換気またはＣＰＡＰ、ＰａＯ２、ＦｉＯ２、尿量、血中尿素窒素、ナトリウム、カリウム、重炭酸塩、ビリルビン、白血球、慢性疾患、および入院のタイプ。死亡率と合計ＳＡＰＳ  ＩＩスコアとの間にはＳ字形相関がある。対象の死亡率は、２９点のＳＡＰＳＩＩスコアで１０％であり、死亡率は、４０点のＳＡＰＳＩＩスコアで２５％であり、死亡率は、５２点のＳＡＰＳＩＩスコアで５０％であり、死亡率は、６４点のＳＡＰＳＩＩスコアで７５％であり、死亡率は、７７点のＳＡＰＳＩＩスコアで９０％である（Ｌｅ  Ｇａｌｌ  ｌｏｃ．ｃｉｔ．）。
【０２４９】
本明細書中で使用される場合、用語「試料」は、患者または対象から得られる、またはそれから単離される生物学的試料である。「試料」は、本明細書で使用される場合、例えば、患者などの関心対象の診断、予後診断、または評価の目的で得られた体液または組織の試料を指し得る。好ましくは、本明細書では、試料は、血液、血清、血漿、脳脊髄液、尿、唾液、痰、胸水、細胞、細胞抽出物、組織試料、組織生検、便試料およびこれに類するものなどの体液の試料である。特に、試料は、血液、血漿、血清、または尿である。
【０２５０】
本発明の実施形態は、第１の試料の単離および第２の試料の単離に関する。本発明の方法の文脈において、用語「第１の試料」および「第２の試料」は、本発明の方法で使用される試料の単離の順序の相対的な決定に関する。本方法を特定する際に第１の試料および第２の試料という用語が使用される場合、これらの試料は、採取された試料の数の絶対的な決定とは考慮されない。したがって、第１および／もしくは第２の試料の単離の前、最中もしくはその後に、または第１もしくは第２の試料の間に、患者から追加の試料を単離することができ、ここで、これらの追加の試料は、本発明の方法で使用されてもよく、または使用されなくてもよい。したがって、第１の試料は、以前に取得した任意の試料とみなすことができる。第２の試料は、任意のさらなるまたは後続の試料とみなすことができる。
【０２５１】
本発明の文脈における「血漿」は、遠心分離後に得られる抗凝固剤を含有する血液の実質的に無細胞の上清である。抗凝血剤の例としては、ＥＤＴＡまたはクエン酸塩などのカルシウムイオン結合化合物、およびヘパリン酸塩またはヒルジンなどのトロンビン阻害剤が挙げられる。無細胞血漿は、抗凝固処理された血液（例えば、クエン酸塩処理された、ＥＤＴＡまたはヘパリン処理された血液）を、例えば、２０００〜３０００ｇで少なくとも１５分間遠心分離することによって得ることができる。
【０２５２】
本発明の文脈における「血清」は、血液を凝固させた後に収集される全血の液体画分である。凝固した血液（血餅）が遠心分離されると、血清が上清として得られ得る。
【０２５３】
本明細書で使用される場合、「尿」は、排尿（または排尿）と呼ばれる過程を通して腎臓によって分泌され、尿道を通して排泄される体の液体製品である。
【０２５４】
本発明の好ましい実施形態では、患者は、敗血症に罹患していると診断されている。より詳細には、患者は、重症敗血症および／または敗血症性ショックに罹患していると診断され得る。
【０２５５】
本発明の文脈における「敗血症」は、感染に対する全身性反応を指す。あるいは、敗血症は、ＳＩＲＳと確認された感染プロセスまたは感染との組み合わせとして見られ得る。敗血症は、感染症および全身性炎症反応の両方の存在によって定義される臨床症候群として特徴付けられ得る（Ｌｅｖｙ  ＭＭ  ｅｔ  ａｌ．２００１  ＳＣＣＭ／ＥＳＩＣＭ／ＡＣＣＰ／ＡＴＳ／ＳＩＳ  Ｉｎｔｅｒｎａｔｉｏｎａｌ  Ｓｅｐｓｉｓ  Ｄｅｆｉｎｉｔｉｏｎｓ  Ｃｏｎｆｅｒｅｎｃｅ．Ｃｒｉｔ  Ｃａｒｅ  Ｍｅｄ．２００３  Ａｐｒ；３１  （４）：１２５０−６）。本明細書で使用される「敗血症」という用語は、敗血症、重症敗血症、敗血症性ショックを含むがこれらに限定されない。
【０２５６】
本明細書で使用される「敗血症」という用語は、敗血症、重症敗血症、敗血症性ショックを含むがこれらに限定されない。重症敗血症は、器官機能不全、低灌流異常、または敗血症誘発性低血圧に関連する敗血症を意味する。低灌流異常には、乳酸アシドーシス、乏尿症、および精神状態の急激な変化が含まれる。敗血症誘発性低血圧は、低血圧の他の原因（例えば、心原性ショック）がない場合の、約９０ｍｍ  Ｈｇ未満の収縮期血圧の存在またはベースラインからの約４０ｍｍ  Ｈｇ以上のその低減によって定義される。敗血症性ショックは、低灌流異常または器官機能不全の存在と共に、適切な輸液蘇生法にもかかわらず持続する敗血症誘発性低血圧を伴う重症敗血症として定義される（Ｂｏｎｅ  ｅｔ  ａｌ．，  ＣＨＥＳＴ  １０１（６）：１６４４−５５，１９９２）。
【０２５７】
あるいは、敗血症という用語は、感染に対する調節不全の宿主応答によって引き起こされる生命を脅かす器官機能不全として定義されてもよい。臨床運用の場合、器官機能不全は、好ましくは２ポイント以上の逐次器官不全評価（ＳＯＦＡ）スコアの増加によって表わされ得、これは１０％を超える院内死亡率に関連している。敗血症性ショックは、特に重度の循環、細胞、および代謝異常が敗血症単独よりも高い死亡のリスクと関連する、敗血症のサブセットとして定義され得る。敗血症性ショックの患者は、血液量減少のない状態で、６５ｍｍＨｇ以上の平均動脈圧および２ｍｍｏｌ／Ｌ（＞１８ｍｇ／ｄＬ）を超える血清乳酸レベルを維持するための昇圧剤の要件によって臨床的に特定され得る。
【０２５８】
本明細書で使用される「敗血症」という用語は、敗血症の発症における全ての可能な段階に関する。
【０２５９】
「敗血症」という用語には、ＳＥＰＳＩＳ−２の定義に基づく重症敗血症または敗血症性ショックも含まれる（Ｂｏｎｅ  ｅｔ  ａｌ．，２００９）。「敗血症」という用語には、ＳＥＰＳＩＳ−３の定義内に入る対象も含まれる（Ｓｉｎｇｅｒ  ｅｔ  ａｌ．，２０１６）。本明細書で使用される「敗血症」という用語は、敗血症の発症における全ての可能な段階に関する。
【０２６０】
本明細書で使用される場合、本発明の範囲内の「感染症」は、病原性もしくは潜在的に病原性の因子／病原体、生物および／または微生物による、通常は無菌の組織または液体の侵入によって引き起こされる病理学的プロセスを意味し、好ましくは細菌、ウイルス、真菌、および／または寄生虫による１以上の感染に関する。したがって、感染症は、細菌感染症、ウイルス感染症、および／または真菌感染症であり得る。感染症は、局所感染症または全身感染症であり得る。本発明の目的のために、ウイルス感染は、微生物による感染とみなされ得る。
【０２６１】
さらに、感染症を患っている対象は、同時に２つ以上の１以上の感染源を患っている可能性がある。例えば、感染症に罹患している対象は、細菌感染症およびウイルス感染症、ウイルス感染症および真菌感染症、細菌感染症および真菌感染症、ならびに細菌感染症、真菌感染症およびウイルス感染症に罹患している可能性があり、または潜在的に重複感染、例えば、１つ以上のウイルス感染および／もしくは１つ以上の真菌感染に加えて１つ以上の細菌感染を含む、本明細書に挙げた感染のうちの１つ以上を含む混合感染に罹患している可能性がある。
【０２６２】
本明細書で使用される「感染症」は、細菌および／またはウイルスおよび／または真菌感染症に関連する全ての疾患または障害を含む。
【０２６３】
本発明によれば、敗血症患者などの重篤患者は、生命機能および／または器官保護のモニタリングに関して非常に厳密な制御を必要とする場合があり、また医学的治療中である場合がある。
【０２６４】
本発明の文脈において、用語「医学的治療」または「治療」は、抗炎症戦略、治療抗体、ｓｉ−ＲＮＡもしくはＤＮＡなどのｐｒｏＡＤＭアンタゴニストの投与、体外血液浄化もしくはサイトカイン嵐を防ぐためのアフェレーシス、透析、吸着剤による有害物質の除去、炎症性メディエータの除去、血漿アフェレーシス、ビタミンＣなどのビタミンの投与、例えば、集中洗浄手順などの体に十分な酸素を供給するための機械的換気および非機械的換気などの換気、血液製剤の輸血、コロイドの注入、腎もしくは肝臓の置換、抗生物質治療、侵襲的機械的換気、非侵襲的機械的換気、腎代替療法、昇圧剤の使用、輸液療法、アフェレーシスおよび器官保護のための測定、コルチコステロイド、血液もしくは血小板輸血、血清、血漿もしくは特定の細胞もしくはそれらの組み合わせなどの血液成分の輸血の提供、栓球の形成を促進する薬物、線源管理、手術、原因治療、または脾臓摘出術、を含むがこれらに限定されない、様々な治療および治療戦略を含む。
【０２６５】
本発明のさらなる治療は、幹細胞、血液または血漿などの細胞または細胞産物の投与、ならびに例えば、正常血液量に到達し、かつ血液量増加または血液量減少を予防または治療するための、例えば、最適な流体管理戦略を介した患者循環の安定化および内皮グリコカリックスの保護を含む。さらに、分圧されていないヘパリンまたはＮ−脱硫酸化された再Ｎ−アセチル化されたヘパリンを介した、血管収縮薬、または例えば、カテコールアミンおよびアルブミンもしくはヘパラナーゼの阻害は、循環および内皮層をサポートするための有用な治療法である。
【０２６６】
さらに、本発明の医学的治療は、血液凝固の安定化、ｉＮＯＳ阻害剤、ヒドロコルチゾンなどの抗炎症剤、鎮静剤および鎮痛剤、ならびにインスリンを含むが、これらに限定されない。
【０２６７】
「腎置換療法」（ＲＲＴ）は、腎臓の正常な血液濾過機能を置換するために使用される療法に関連している。腎置換療法は、透析（例えば、血液透析または腹膜透析）、血液濾過、および血液透析濾過を指す場合がある。このような技術は、血液を機械に流し、洗浄し、次いで身体に戻す様々なな方法である。腎置換療法は、腎移植を指す場合もあり、これは、古い腎臓がドナー腎に置き換わるという点で、究極の置換の形態である。血液透析、血液濾過、および血液透析濾過は、連続的または断続的であり得、動静脈経路（血液が動脈から出て、静脈を介して戻る）または静静脈経路（血液が静脈から出て、静脈を介して戻る）を使用することができる。これにより、様々なタイプのＲＲＴがもたらされる。例えば、腎置換療法は、連続腎置換療法（ＣＲＲＴ）、連続血液透析（ＣＨＤ）、連続動静脈血液透析（ＣＡＶＨＤ）、連続静脈血液透析（ＣＶＶＨＤ）、連続血液濾過（ＣＨＦ）、連続動静脈血液濾過（ＣＡＶＨまたはＣＡＶＨＦ）、連続静脈血液濾過（ＣＶＶＨまたはＣＶＶＨＦ）、連続血液透析濾過（ＣＨＤＦ）、連続動静脈血液透析濾過（ＣＡＶＨＤＦ）、連続静脈血液透析濾過（ＣＶＶＨＤＦ）、間欠的腎置換療法（ＩＲＲＴ）、断続的血液透析（ＩＨＤ）、断続的静脈血液透析（ＩＶＶＨＤ）、断続的血液濾過（ＩＨＦ）、断続的静脈血液濾過（ＩＶＶＨまたはＩＶＶＨＦ）、断続的血液透析濾過（ＩＨＤＦ）、および断続的静脈血液透析濾過（ＩＶＶＨＤＦ）の群から選択されるが、これらに限定されない。
【０２６８】
人工換気および機械的換気は、適切なガス交換および換気を強化し、かつ重度の低酸素血症の間、命を救うことを目的とする、効果的な手法である。人工換気は、対象の呼吸を補助または刺激することに関連している。人工換気は、機械的換気、手動換気、体外膜酸素化（ＥＣＭＯ）および非侵襲的換気（ＮＩＶ）からなる群から選択され得る。機械的換気は、自発呼吸を機械的に補助または置換する方法に関する。これには、ベンチレータと呼ばれる機械が関与し得る。機械的換気は、高周波振動換気または部分的液体換気であり得る。
【０２６９】
「流体管理」とは、例えば、経口、経腸、または静脈内の流体投与により、対象の流体状態の監視および制御、ならびに循環または器官の活力を安定させるための流体の投与を指す。これは、血液製剤の供給と同様に、流体および電解質のバランスの安定化、または血液量増加もしくは血液量減少の予防もしくは修正を含む。
【０２７０】
対象が医学的救急にある場合、外科的救急／緊急手術が必要であり、生存または健康状態を維持するために即時の外科的介入が必要な場合がある。緊急手術を必要とする対象は、急性外傷、活動性の制御されない感染、器官移植、器官予防もしくは器官安定化手術、または癌に罹患している対象からなる群から選択され得る。
【０２７１】
洗浄手技は、感染、特に院内感染を防ぐための衛生的な方法であり、例えば、皮膚、病室の物体、医療機器、診断機器または部屋の空気などの、患者と接触する可能性のある全ての有機および無機表面の消毒を含む。洗浄手技には、マウスガード、ガウン、手袋または衛生ロックなどの防護服および保護服の使用、および患者の訪問制限などのアクションが含まれる。さらに、洗浄手技には、患者自身および衣服、または患者の洗浄が含まれる。
【０２７２】
敗血症または重症感染症などの重大な病気の場合、最適な療法および管理を見つけるために、患者の結果の予後診断およびリスク評価を早期に診断することが非常に重要である。治療学的手法、は非常に個性的であり、かつ症例ごとに異なる必要がある。治療モニタリングは、ベストプラクティスの療法に必要であり、治療のタイミング、併用療法の使用、および薬物投与の最適化によって影響を受ける。誤ったまたは省略された療法または管理は、１時間ごとに死亡率が上昇する。
【０２７３】
本発明の医学的治療は、感染が診断された場合、または感染症の症状が決定された場合に、１つ以上の「抗生物質」または「抗感染剤」が投与され得る、抗生物質治療であり得る。
【０２７４】
さらに、抗生物質は、細菌感染の治療のためのバクテリオファージ、合成抗菌ペプチド、または鉄拮抗薬／鉄キレート剤を含む。また、抗ＶＡＰ抗体、抗耐性クローンワクチン接種などの病原性構造に対する治療抗体または拮抗薬、ｉｎ  ｖｉｔｒｏプライミングまたは変調Ｔエフェクター細胞などの免疫細胞の投与は、敗血症患者などの重篤患者の治療選択肢を表す抗生物質である。感染に対するまたは新しい感染の予防のためのさらなる抗生物質／治療または治療戦略には、防腐剤、除染製品、リポソームのような抗毒性剤、衛生、創傷ケア、手術の使用が含まれる。
【０２７５】
前述の抗生物質または治療戦略のいくつかを、流体療法、血小板輸血、または血液製剤の輸血と組み合わせることもまた可能である。
【０２７６】
本発明によれば、ｐｒｏＡＤＭならびに任意でＰＣＴおよび／または他のマーカーもしくは臨床スコアは、重篤であると診断された患者の健康におけるその後の有害事象の予後、予後、リスク評価およびリスク層別化を含む療法モニタリングのためのマーカーとして使用される。
【０２７７】
当業者は、上記のｐｒｏＡＤＭ分子のうちのいずれか１つ、またはそのフラグメントもしくは変異体、ならびに標準的な分子生物学的実践による本発明の他のマーカーの識別、測定、決定および／または定量化のための手段を取得または開発することができる。
【０２７８】
本発明のｐｒｏＡＤＭまたはそのフラグメントのレベルならびに他のマーカーのレベルは、マーカーの濃度を確実に決定する任意のアッセイにより決定され得る。特に、質量分析（ＭＳ）および／またはイムノアッセイを添付の実施例に例示されているように使用することができる。本明細書中で使用される場合、イムノアッセイは、抗体もしくは抗体結合フラグメントもしくは免疫グロブリンの使用を通して溶液中の巨大分子／ポリペプチドの存在または濃度を測定する生化学的試験である。
【０２７９】
本発明の文脈において使用されるｐｒｏＡＤＭまたはＰＣＴなどの他のマーカーを決定する方法は、本発明において意図されている。実施例として、質量分析法（ＭＳ）、発光イムノアッセイ（ＬＩＡ）、ラジオイムノアッセイ（ＲＩＡ）、化学発光および蛍光イムノアッセイ、酵素イムノアッセイ（ＥＩＡ）、酵素結合イムノアッセイ（ＥＬＩＳＡ）、発光ベースのビーズアレイ、磁気ビーズベースのアレイ、タンパク質マイクロアレイアッセイ、例えば、イムノクロマトグラフィーストリップテスト、希少暗号分析などの迅速試験フォーマット、ならびに自動システム／アナライザーからなる群から選択される方法を採用することができる。
【０２８０】
抗体認識に基づいたｐｒｏＡＤＭおよび任意の他のマーカーの決定は、本発明の好ましい実施形態である。本明細書中で使用される場合、用語「抗体」とは、免疫グロブリン分子および免疫グロブリン（Ｉｇ）分子の免疫学的に活性な部分、すなわち抗原と特異的に結合する（免疫反応する）抗原結合部位を含む分子を意味する。本発明によると、抗体は、モノクローナル抗体ならびにポリクローナル抗体であってもよい。特に、少なくともｐｒｏＡＤＭまたはそのフラグメントに特異的に結合する抗体が使用される。
【０２８１】
目的の分子、例えば、ｐｒｏＡＤＭ、またはそのフラグメントに対するその親和性が、目的の分子を含む試料に含まれる他の分子に対するよりも、少なくとも５０倍高く、好ましくは１００倍高く、最も好ましくは少なくとも１０００倍高い場合、抗体は特異的であるとみなされる。所与の特異性を有する抗体をどのように開発しそして選択するかは、当該技術分野において周知である。本発明の文脈において、モノクローナル抗体が好ましい。抗体または抗体結合フラグメントは、本明細書に定義されたマーカーまたはそのフラグメントに特異的に結合する。特に、抗体または抗体結合フラグメントは、ｐｒｏＡＤＭの本明細書に定義されたペプチドに結合する。したがって、本明細書に定義されたペプチドはまた、抗体が特異的に結合するエピトープであり得る。さらに、本発明の方法およびキットにおいて、ｐｒｏＡＤＭ、または特にＭＲ−ｐｒｏＡＤＭに対するｐｒｏＡＤＭに特異的に結合する抗体または抗体結合フラグメントが使用される。
【０２８２】
さらに、本発明の方法およびキットにおいて、ｐｒｏＡＤＭまたはそのフラグメントに、および任意にＰＣＴなどの本発明の他のマーカーに特異的に結合する抗体または抗体結合フラグメントが使用される。例示的なイムノアッセイは、発光イムノアッセイ（ＬＩＡ）、ラジオイムノアッセイ（ＲＩＡ）、化学発光および蛍光イムノアッセイ、酵素イムノアッセイ（ＥＩＡ）、酵素結合イムノアッセイ（ＥＬＩＳＡ）、発光ベースのビーズアレイ、磁気ビーズベースのアレイ、タンパク質マイクロアレイアッセイ、迅速試験フォーマット、希土類クリプテートアッセイであってもよい。さらに、ポイントオブケア試験および例えば免疫クロマトグラフィーストリップ試験などの迅速試験形式に適したアッセイを使用することができる。ＫＲＹＰＴＯＲアッセイなどの自動イムノアッセイがまた、意図される。
【０２８３】
あるいは、抗体の代わりに、ｐｒｏＡＤＭを特異的および／または選択的に認識する他の捕捉分子または分子足場が、本発明の範囲に包含され得る。本明細書において、用語「捕捉分子」または「分子足場」は、試料からの標的分子または目的の分子、すなわち分析物（例えば、ｐｒｏＡＤＭ、ｐｒｏＡＤＭ、ＭＲ−ｐｒｏＡＤＭ、およびＰＣＴ）を結合するために使用され得る分子を含む。したがって、捕捉分子は、空間的にも、表面電荷、疎水性、親水性、ルイス供与体および／または受容体の存在または非存在などの表面の特徴に関しても適切に成形され、標的分子または目的の分子に特異的に結合する。これにより、結合は、例えば、イオン、ファンデルワールス力、π−π、Σ−π、疎水性もしくは水素結合相互作用、または捕捉分子もしくは分子足場と標的分子または関心のある分子との間の上記の相互作用もしくは共有結合性相互作用のうちの２つ以上の組み合わせによって媒介され得る。本発明の文脈において、捕捉分子または分子足場は、例えば、核酸分子、炭水化物分子、ＰＮＡ分子、タンパク質、ペプチド、および糖タンパク質からなる群から選択され得る。捕獲分子または分子足場は、例えば、アプタマー、ＤＡＲｐｉｎｓ（Ｄｅｓｉｇｎｅｄ  Ａｎｋｙｒｉｎ  Ｒｅｐｅａｔ  Ｐｒｏｔｅｉｎ）を含む。Ａｆｆｉｍｅｒｓなどが含まれる。
【０２８４】
本発明のある特定の態様では、方法は、
ａ）試料を
ｉ．そのｐｒｏＡＤＭの第１のエピトープに特異的な第１の抗体またはその抗原結合フラグメントもしくは誘導体と、
ｉｉ．そのｐｒｏＡＤＭの第２のエピトープに特異的な第２の抗体またはその抗原結合フラグメントもしくは誘導体と、接触させるステップと、
ｂ）２つの抗体またはその抗原結合フラグメントもしくは誘導体の、そのｐｒｏＡＤＭへの結合を検出するステップと、を含む、イムノアッセイである。
【０２８５】
好ましくは、一方の抗体を標識し、他方の抗体を固相に結合させるか、または固相に選択的に結合させることができる。アッセイの特に好ましい態様では、抗体のうちの一方が標識される一方で、他方の抗体は、固相に結合されるか、または固相に選択的に結合され得る。第１の抗体および第２の抗体は、液体反応混合物中に分散して存在し得、蛍光または化学発光消光または増幅に基づく標識系の一部である第１の標識成分は、第１の抗体に結合され、その標識系の第２の標識成分は、第２の抗体に結合され、これにより、検出されるべき両方の抗体のそのｐｒｏＡＤＭまたはそのフラグメントへの結合後、測定溶液中の得られたサンドイッチ錯体の検出を可能にする測定可能なシグナルが発生する。標識系は、希土類クリプテートまたはキレートを、特にシアニンタイプの蛍光または化学発光染料と組み合わせて含むことができる。
【０２８６】
好ましい実施形態では、この方法は異種サンドイッチイムノアッセイとして実施され、ここで抗体の１つは任意に選択された固相、例えば被覆試験管（例えばポリスチロール試験管；被覆管；ＣＴ）またはマイクロタイター上に固定される。他の抗体は、検出可能な標識に似ているかまたは標識への選択的結合を可能にする基を有し、そして形成されたサンドイッチ構造の検出に役立つ。適切な固相を用いた一時的な遅延またはその後の固定化も可能である。
【０２８７】
本発明による方法は、均質な方法としてさらに具体化され得、検出されるべき抗体／複数の抗体およびマーカー、ｐｒｏＡＤＭまたはそのフラグメントによって形成されるサンドイッチ錯体は、液相中で懸濁状態のままである。この場合、２つの抗体が使用されるとき、両方の抗体が検出系の一部で標識され、それが、両方の抗体が単一のサンドイッチに統合される場合にシグナルの発生またはシグナルの誘発をもたらすことが好ましい。そのような技術は、特に蛍光増強または蛍光消光検出方法として具体化されるべきである。特に好ましい態様は、例えば、ＵＳ４８８２７３３、ＥＰ０１８０４９２またはＥＰ０５３９４７７、およびそれらで引用された従来技術に記載されているものなど、対で使用される検出試薬の使用に関する。このようにして、反応混合物中の単一の免疫複合体中に直接両方の標識成分を含む反応生成物のみが検出される測定が可能になる。例えば、そのような技術は、上記で引用された出願の教示を実装する、商標名ＴＲＡＣＥ（登録商標）（Ｔｉｍｅ  Ｒｅｓｏｌｖｅｄ  Ａｍｐｌｉｆｉｅｄ  Ｃｒｙｐｔａｔｅ  Ｅｍｉｓｓｉｏｎ）、またはＫＲＹＰＴＯＲ（登録商標）の下で提供されている。したがって、特に好ましい態様では、本明細書で提供される方法を実行するために診断装置が使用される。例えば、ｐｒｏＡＤＭもしくはそのフラグメントのレベル、および／またはＰＣＴなどの本明細書で提供される方法の任意のさらなるマーカーのレベルが決定される。特に好ましい態様において、診断装置はＫＲＹＰＴＯＲ（登録商標）である。
【０２８８】
本発明のマーカー、例えばｐｒｏＡＤＭもしくはそのフラグメント、ＰＣＴもしくはそのフラグメント、または他のマーカーのレベルがまた、質量分析（ＭＳ）ベースの方法により決定され得る。そのような方法は、その生物学的試料またはその試料からのタンパク質消化物（例えばトリプシン消化物）中の例えばｐｒｏＡＤＭまたはＰＣＴの１つ以上の修飾または未修飾フラグメントペプチドの存在、量または濃度を検出することを含み得、任意にクロマトグラフィー法を用いて試料を分離し、そして調製され、かつ任意に分離された試料をＭＳ分析にかける。例えば、特にｐｒｏＡＤＭまたはそのフラグメントの量を決定するために、選択反応モニタリング（ＳＲＭ）、多重反応モニタリング（ＭＲＭ）または並列反応モニタリング（ＰＲＭ）質量分析を、ＭＳ分析に使用することができる。
【０２８９】
本明細書において、「質量分析」または「ＭＳ」という用語は、化合物をそれらの質量によって識別するための分析技術を指す。質量分析の質量分解および質量決定能力を高めるために、試料は、ＭＳ分析の前に処理され得る。したがって、本発明は、免疫濃縮技術、試料調製に関する方法および／またはクロマトグラフィ法、好ましくは液体クロマトグラフィ（ＬＣ）、より好ましくは高速液体クロマトグラフィ（ＨＰＬＣ）または超高速液体クロマトグラフィ（ＵＨＰＬＣ）と組み合わされ得るＭＳ検出法に関する。試料調製方法は、溶解、分画、ペプチドへの試料の消化、枯渇、濃縮、透析、脱塩、アルキル化、および／またはペプチド低減のための技術を含む。しかしながら、これらのステップは任意である。分析物イオンの選択的検出は、タンデム質量分析（ＭＳ／ＭＳ）を用いて実施され得る。タンデム質量分析は、質量選択ステップ（本明細書で使用される場合、「質量選択」という用語は、特定のｍ／ｚまたは狭い範囲のｍ／ｚを有するイオンの単離を意味する）、続いて選択されたイオンの断片化、および得られた生成物（フラグメント）イオンの質量分析によって特徴付けられる。
【０２９０】
当業者は、質量分析法によって試料中のマーカーのレベルをどのように定量化するかを知っている。例えば、相対定量化「ｒＳＲＭ」または絶対定量化を上記のように使用することができる。
【０２９１】
さらに、レベル（参照レベルを含む）は、相対的定量を決定する方法または目的のタンパク質もしくはそのフラグメントの絶対定量を決定する方法などの質量分析に基づく方法によって決定することができる。
【０２９２】
相対定量化「ｒＳＲＭ」は、以下によって達成され得る。
１．試料中で検出された所与の標的フラグメントペプチドからのＳＲＭ（選択反応モニタリング）シグネチャーピーク面積を、少なくとも第２、第３、第４、またはそれ以上の生体試料中の標的フラグメントペプチドの同じＳＲＭシグネチャーピーク面積と比較することによって、標的タンパク質の増加または減少した存在を決定する。
【０２９３】
２．試料中に検出された所与の標的ペプチドからのＳＲＭシグネチャーピーク面積と、異なる別々の生物学的供給源に由来する他の試料中の他のタンパク質からのフラグメントペプチドから生じたＳＲＭシグネチャーピーク面積とを比較することによって標的タンパク質の存在の増減を決定する。ペプチドフラグメントについての２つの試料間のＳＲＭサインピーク面積比較は、例えば各試料中で分析されたタンパク質の量に対して正規化される。
【０２９４】
３．ヒストンタンパク質のレベルの、様々な細胞条件下でそれらの発現レベルを変化させない他のタンパク質のレベルへの変化を正規化するために、所与の標的ペプチドについてのＳＲＭシグネチャーピーク面積を、同じ生体試料内の異なるタンパク質に由来する他のフラグメントペプチドからのＳＲＭシグネチャーピーク面積と比較することによって、標的タンパク質の増加または減少した存在を決定する。
【０２９５】
４．これらのアッセイは、非修飾フラグメントペプチドおよび標的タンパク質の修飾フラグメントペプチドの両方に適用することができ、修飾には、リン酸化および／またはグリコシル化、アセチル化、メチル化（モノ、ジ、トリ）、シトルリン化、ユビキチン化が含まれる。修飾ペプチドの相対レベルは、未修飾ペプチドの相対量を決定するのと同じ方法で決定される。
【０２９６】
所与のペプチドの絶対定量化は、以下によって達成され得る。
１．個々の生体試料中の標的タンパク質からの所与のフラグメントペプチドについてのＳＲＭ／ＭＲＭシグネチャーピーク面積を、生体試料からタンパク質溶解物中にスパイクされた内部フラグメントペプチド標準のＳＲＭ／ＭＲＭシグネチャーピーク面積と比較する。内部標準は、調べられている標的タンパク質からのフラグメントペプチドの標識合成バージョンまたは標識された組換えタンパク質であり得る。この標準は、消化の前（組換えタンパク質にとって必須）または後に既知量で試料中にスパイクされ、生体試料中の内部フラグメントペプチド標準および天然フラグメントペプチドの両方について別々にＳＲＭ／ＭＲＭシグネチャーピーク面積が決定され得、両方のピーク面積の比較が後に続く。これは未修飾フラグメントペプチドおよび修飾フラグメントペプチドに適用することができ、ここで修飾はリン酸化および／またはグリコシル化、アセチル化、メチル化（例えばモノ、ジ、またはトリメチル化）、シトルリン化、ユビキチン化、ここで、修飾ペプチドの絶対レベルは、未修飾ペプチドの絶対レベルを決定するのと同じ方法で決定することができる。
【０２９７】
２．ペプチドはまた、外部較正曲線を使用して定量化され得る。正規曲線アプローチは、内部標準として一定量の重いペプチド、および試料中にスパイクされた様々な量の軽い合成ペプチドを使用する。マトリックス効果を説明するための標準曲線を構築するために、試験試料のものと同様の代表的なマトリックスが使用される必要がある。その上、逆曲線法は、マトリックス中の内因性分析物の問題を回避し、一定量の軽いペプチドは、内因性分析物の上にスパイクされて内部標準を作り出し、様々な量の重いペプチドは、スパイクされて一組の濃度標準を作り出す。正規曲線または逆曲線のいずれかと比較される試験試料は、較正曲線を作り出すために使用されるマトリックス中にスパイクされた内部標準と同じ量の標準ペプチドでスパイクされる。
【０２９８】
本発明はさらに、キット、キットの使用、およびそのようなキットが使用される方法に関する。本発明は、本明細書の上記および下記に提供される方法を実施するためのキットに関する。本明細書に提供される定義、例えば方法に関して提供される定義はまた、本発明のキットにも適用される。具体的には、本発明は、患者の健康におけるその後の有害事象の予後診断、リスク評価またはリスク層別化を含む、療法モニタリングのためのキットに関し、そのキットは、
−ｐｒｏＡＤＭまたはその１以上のフラグメントのレベルを決定するため、ならびに任意で追加的に対象からの試料中のＰＣＴ、乳酸および／もしくはＣ反応性タンパク質、またはその１以上のフラグメントのレベルを決定するための検出試薬と、−その対象のその試料中のｐｒｏＡＤＭのそのレベルを決定するための検出試薬と、
−ｐｒｏＡＤＭの高いおよび／または低い重症度レベルであって、低い重症度レベルが、４ｎｍｏｌ／ｌ未満、好ましくは３ｎｍｏｌ／ｌ未満、より好ましくは２．７ｎｍｏｌ／ｌ未満であり、かつ高い重症度レベルが、６．５ｎｍｏｌ／ｌを超え、好ましくは６．９５ｎｍｏｌ／ｌを超え、より好ましくは１０．９ｎｍｏｌ／ｌを超えである、重症度レベル、ならびに任意でＰＣＴ、乳酸および／またはＣ反応性タンパク質に対応する参照データなどの参照データと、を含み、ここでその参照データは、好ましくはコンピュータ可読媒体に記憶され、かつ／またはｐｒｏＡＤＭもしくはその１以上のフラグメントの決定されたレベル、ならびに任意で追加的にＰＣＴ、乳酸および／またはＣ反応性タンパク質もしくはその１以上のフラグメントの決定されたレベルを、その参照データと比較するように構成されたコンピュータ実行可能コードの形態で使用される。
【０２９９】
本明細書で使用される場合、「参照データ」は、ｐｒｏＡＤＭおよび任意でＰＣＴ、乳酸および／またはＣ反応性タンパク質の１以上の参照レベルを含む。対象の試料中のｐｒｏＡＤＭならびに任意でＰＣＴ、乳酸および／またはＣ反応性タンパク質のレベルは、キットの参照データに含まれる参照レベルと比較され得る。参照レベルは、本明細書で上述されており、かつ添付の実施例にも例示されている。参照データはまた、ｐｒｏＡＤＭならびにＰＣＴ、乳酸および／またはＣ反応性タンパク質のレベルが比較される参照試料を含み得る。参照データはまた、本発明のキットの使用方法の取扱説明書を含み得る。
【０３００】
キットは、血液試料などの試料を取得するのに有用なアイテムをさらに含むことができ、例えば、キットは、容器を含むことができ、ここで、その容器は、その容器を、例えば、あらかじめ決められた量の試料をその容器に引き込むのに適している、血液単離に適し、かつ気圧よりも低い内圧を示すシリンジであるカニューレもしくはシリンジに取り付けるためのデバイスを含み、ならびに／または界面活性剤、カオトロピック塩、リボヌクレアーゼ阻害剤、イソチオシアン酸グアニジニウム、塩酸グアニジニウム、ドデシル硫酸ナトリウム、ポリオキシエチレンソルビタンモノラウレート、ＲＮＡｓｅ阻害タンパク質およびそれらの混合物などのキレート剤と、ニトロセルロース、シリカマトリックス、強磁性球体、カップ回収スピルオーバー、トレハロース、フルクトース、ラクトース、マンノース、ポリエチレングリコール、グリセロール、ＥＤＴＡ、ＴＲＩＳ、リモネン、キシレン、ベンゾイル、フェノール、鉱油、アニリン、ピロール、クエン酸塩、およびそれらの混合物を含むフィルターシステムと、を追加的に含む。
【０３０１】
本明細書中で使用される場合、「検出試薬」などは、本明細書中に記載される（例えば、ｐｒｏＡＤＭ、ＰＣＴ、乳酸および／またはＣ反応性タンパク質の）１以上のマーカーを決定するために適切な試薬である。そのような例示的な検出試薬は、例えば、本明細書に記載のマーカーのペプチドまたはエピトープに特異的に結合するリガンド、例えば抗体またはそのフラグメントである。そのようなリガンドは、上記のようにイムノアッセイにおいて使用され得る。１以上のマーカーのレベルを決定するためにイムノアッセイで用いられるさらなる試薬もキットに含まれ得、本明細書において検出試薬と見なされる。検出試薬はまた、ＭＳに基づく方法によってマーカーまたはそのフラグメントを検出するために使用される試薬にも関連し得る。したがって、そのような検出試薬はまた、ＭＳ分析のために試料を調製するために使用される試薬、例えば酵素、化学物質、緩衝剤などであり得る。質量分析計も検出試薬と見なすことができる。本発明による検出試薬はまた、例えば、１以上のマーカーのレベルを決定および比較するために使用され得る１以上の較正溶液であり得る。
【０３０２】
診断試験および／または予後試験の感度および特異性は、試験の分析の「品質」だけに依存するのではなく、それらはまた、異常な結果を構成するものの定義にも依存する。実際には、レシーバー動作特性曲線（ＲＯＣ曲線）は、典型的には、「正常」（すなわち、明らかに感染していない健康な個人）および「疾患」の集団（例えば感染している対象）において、変数対その相対頻度の値をプロットすることによって計算される。（ｐｒｏＡＤＭのような）いずれかの特定のマーカーについて、疾患／状態のあるなしにかかわらず対象についてのマーカーレベルの分布はおそらく重複するであろう。そのような条件下では、試験は、正常と疾患を１００％の精度で完全に区別することはなく、重複の領域は、試験が正常と疾患を区別できない場所を示している可能性がある。それより下では試験は異常であると考えられ、それより上では試験は正常であると考えられ、またはそれを下回るまたは上回る特定の条件、例えば感染を示す閾値が選択される。ＲＯＣ曲線の下の面積は、知覚された測定値が状態の正しい識別を可能にするであろう確率の尺度である。試験結果が必ずしも正確な数を与えない場合でも、ＲＯＣ曲線が使用され得る。結果をランク付けできる限り、ＲＯＣ曲線を作成することができる。例えば、「疾患」試料に関する試験の結果は、程度に応じてランク付けされ得る（例えば、１＝低い、２＝正常、および３＝高い）。このランク付けは、「正常な」集団の結果と相関し得、ＲＯＣ曲線が作成され得る。これらの方法は、当該技術分野において周知であり、例えば、Ｈａｎｌｅｙ  ｅｔ  ａｌ．１９８２．Ｒａｄｉｏｌｏｇｙ  １４３：２９−３６を参照されたい。好ましくは、閾値は、約０．５より大きい、より好ましくは約０．７より大きい、さらにより好ましくは約０．８より大きい、さらにより好ましくは約０．８５より大きい、最も好ましくは約０．９より大きいＲＯＣ曲線面積を提供するように選択される。この文脈における「約」という用語は、所与の測定値の＋／−５％を指す。
【０３０３】
ＲＯＣ曲線の横軸は（１−特異性）を表し、これは偽陽性の割合と共に増加する。曲線の縦軸は、感度を表し、これは真陽性率と共に増加する。したがって、選択された特定のカットオフについて、（１−特異性）の値が決定され得、対応する感度が得られ得る。ＲＯＣ曲線の下の面積は、測定されたマーカーレベルが疾患または状態の正しい識別を可能にするであろう確率の尺度である。したがって、ＲＯＣ曲線下面積は試験の有効性を決定するために使用することができる。
【０３０４】
したがって、本発明は、本明細書に記載の方法により得られた情報に基づいた治療に適した抗生物質の投与を含む。
【０３０５】
本明細書で使用される場合、「含む（ｃｏｍｐｒｉｓｉｎｇ）」および「含む（ｉｎｃｌｕｄｉｎｇ）」という用語またはその文法的変化形は、述べられた特徴、整数、ステップ、または構成要素を特定するものとして解釈されるべきであるが、１つの以上の追加の特徴、整数、ステップ、構成要素、またはその群の追加を除外するものではない。この用語には、「からなる」および「から本質的になる」という用語が含まれる。
【０３０６】
したがって、「含む（ｃｏｍｐｒｉｓｉｎｇ）」／「含む（ｉｎｃｌｕｄｉｎｇ）」／「有する」という用語は、任意のさらなる構成要素（または同様に特徴、整数、ステップなど）が存在し得ることを意味する。「からなる」という用語は、さらなる構成要素（または同様の特徴、整数、ステップなど）が存在しないことを意味する。
【０３０７】
「から本質的になる」という用語またはその文法的変化形は、本明細書で使用される場合、述べられた特徴、整数、ステップ、または構成要素を特定するものと解釈されるべきであるが、１つ以上の追加の特徴、整数、ステップ、構成要素、またはその群の追加を除外しないが、それらの追加の特徴、整数、ステップ、構成要素、またはその群が、請求されている組成物、装置、または方法の基本的で新規な特徴を実質的に変化させない場合のみである。
【０３０８】
したがって、「から本質的になる」という用語は、特定のさらなる成分（または同様に特徴、整数、工程など）が存在し得ること、すなわち組成物、デバイスまたは方法の本質的な特徴に実質的に影響を及ぼさないものを意味する。言い換えれば、「から本質的になる」という用語（本明細書では「実質的に含む」という用語と互換的に使用することができる）は、必須の構成要素（または同様の特徴、整数、ステップなど）に加えて組成物、デバイスまたは方法における他の構成要素の存在を可能にする。ただし、デバイスまたは方法の本質的な特徴は他の構成要素の存在によって実質的に影響されない。
【０３０９】
「方法」という用語は、所与のタスクを達成するための方法、手段、技術および手順を指し、これらに限定されないが、既知の方法、手段、技法および手順から容易に開発される方法、手段、技法および手順を含む。化学、生物学および生物物理学的分野の専門家による。
【０３１０】
以下の非限定的な実施例を参照することにより本発明をさらに説明する。
【実施例】
【０３１１】
方法の実施例：
研究設計および患者：
この研究は、２００９年１１月から２０１３年２月（２６）までドイツ全土の３３の集学的集中治療室（ＩＣＵ）で実施された、重度敗血症における亜セレン酸ナトリウムおよびプロカルシトニンによる抗菌薬療法のプラセボ対照試験（ＳＩＳＰＣＴ）の二次分析である。適格基準には、ＡＣＣＰ／ＳＣＣＭコンセンサス会議委員会のＳＥＰＳＩＳ−１の定義に従って、およびさらに２０１６年の定義（敗血症−３および敗血症性ショック−３）（４）に従って分類されている、１８歳以上の成人患者が新たに重症敗血症または敗血症性ショックを発症したこと（２４時間以内）の提示が含まれている。研究設計、データ収集および管理の詳細は、以前に説明されている（２６）。イエナ大学病院および他の全てのセンターの倫理委員会は、研究を承認し、かつ必要に応じて書面によるインフォームドコンセントを得た。
【０３１２】
バイオマーカー測定：
患者は、重症敗血症または敗血症性ショックの診断後２４時間まで登録され、その後すぐにＰＣＴ、ＣＲＰおよび乳酸が測定された。ＰＣＴは、０．０２〜５０００ｎｇ／ｍｌの測定範囲、ならびにそれぞれ少なくとも０．０６ｎｇ／ｍｌおよび０．０２ｎｇ／ｍｌの機能アッセイ感度および検出下限でデバイス上で測定された。全ての患者から追加の血液試料を収集し、イエナの中央研究室で−８０°Ｃで保管した。ＭＲ−ｐｒｏＡＤＭ血漿濃度は、０．０５ｎｍｏｌ／Ｌの検出限界で、遡及的に測定された（Ｋｒｙｐｔｏｒ（登録商標）、Ｔｈｅｒｍｏ  Ｆｉｓｈｅｒ  Ｓｃｉｅｎｔｉｆｉｃ、ドイツ）。試験登録に基づいて、逐次器官不全評価（ＳＯＦＡ）、急性生理学的および慢性健康評価（ＡＰＡＣＨＥ）ＩＩ、ならびに簡易急性生理学的（ＳＡＰＳ）ＩＩスコアを含む臨床重症度スコアを取得した。
【０３１３】
統計学的分析：
２８日間の死亡率に関する人口統計学的特性および臨床的特性の違いは、分布の正規性に応じて、カテゴリ変数についてはχ２検定、連続変数についてはスチューデントｔ試験またはマンホイットニーＵ試験を使用して評価された。正規分布変数および非正規分布変数を、それぞれ平均（標準偏差）および中央値［第１四分位−第３四分位］として表わした。死亡率と全ての時点での各バイオマーカーおよび臨床スコアとの関連は、レシーバー動作特性曲線（ＡＵＲＯＣ）およびＣｏｘ回帰分析下の面積を使用して評価され、年齢ならびに併存疾患および敗血症性ショックの存在について修正された多変量解析を行なった。患者はさらに、各バイオマーカーの全人口にわたる２つのＡＵＲＯＣカットオフの計算および各時点での臨床スコアに基づいて、９０％に近い事前定義された感度および特異性で３つの重症度サブグループ（低、中、高）に分類された。その後、サブグループの臨床的に安定した患者が、ＩＣＵ関連の手順または合併症（集中洗浄手技、緊急手術、新しい感染症の出現、血液製剤の輸血、コロイドの注入、侵襲性機械的換気、腎／肝臓置換または昇圧薬療法、ならびに患者の一般的な臨床徴候および症状の悪化を含む）のない状態で識別され、さらなるグループが、前回の測定以来増加が見られなかった、対応する低ＭＲ−ｐｒｏＡＤＭ濃度で識別された。死亡率および平均滞在期間は、両方のグループで計算され、かつ特定の各時点で退院した患者グループと比較した。
【０３１４】
最後に、ＰＣＴの変化が２０％（この期間に観察された平均ＰＣＴ減少に基づく、ベースライン１日目）および５０％（以前に構築されたモデル（２６）に基づく、ベースライン４日目）である患者を階層化する２つのモデルが、構築された。その後、ＭＲ−ｐｒｏＡＤＭの重症度レベルに基づいて患者のサブグループが識別され、それぞれの死亡率を計算した。各サブグループ内の死亡のリスクは、Ｃｏｘ回帰分析によって計算され、Ｋａｐｌａｎ−Ｍｅｉｅｒ曲線によって示された。その後、ベースラインから４日目のモデルで、新しい感染症が発生する予測リスク、ならびに４〜７日にわたる集中洗浄手技および緊急手術の要件を調査した。全てのデータは、統計ソフトウェアＲ（バージョン３．１．２）を使用して分析された。
【０３１５】
実施例１：患者の特性
試験登録時の患者の特性を表１に要約する。
【０３１６】
重症敗血症（１３．０％）または敗血症性ショック（８７．０％）のいずれかを有する合計１０８９人の患者が分析され、４４５人（４１．３％）および６３３人（５８．７％）の患者がまた、それぞれ敗血症−３および敗血症性ショック−３の基準を満たしていた。登録患者の平均年齢は６５．７（１３．７）歳であり、平均ＳＯＦＡスコアは１０．０（３．３）ポイントであった。２８日の全ての死因の死亡率（Ｎ＝１０７６）は、２６．９％（敗血症−３：２０．０％；敗血症性ショック−３：３２．１％）であり、病院死亡率は、３３．４％（敗血症−３：２４．４％；敗血症性ショック−３：４０．４％）であった。単一の病巣からの感染は、８３６人の患者（７７．７％）で見つかり、呼吸器系（Ｎ＝３２４；３０．１％）、腹部内（Ｎ＝２５２；２３．４％）、泌尿生殖器（Ｎ＝５７；５．３％）および骨／軟部組織（Ｎ＝５０；４．６％）の起源が最も一般的である。対応する死亡率は、それぞれ２６．５％、２４．６％、２２．８％、および２８．０％であった。２４０（２２．３％）の患者に、複数の感染源が見つかった。死亡の最も一般的な原因には、敗血症誘発多器官不全（Ｎ＝１３２；４５．７％）、難治性敗血症性ショック（Ｎ＝５４；１８．７％）、既存の病気による死亡（Ｎ＝３５；１２．１％）および急性呼吸不全（Ｎ＝１７；５．９％）が含まれていた。心原性および出血性ショック、肺塞栓症、脳浮腫、心筋梗塞、ならびに不整脈などのその他の原因は、死亡率の合計で８．６％を占めていた。患者の３．４％に、療法の制限が適用された。
【０３１７】
実施例２：ベースラインのバイオマーカーおよび臨床スコアと死亡率との関連
単変量および多変量Ｃｏｘ回帰分析により、ＭＲ−ｐｒｏＡＤＭは、敗血症−３および敗血症性ショック−３のサブグループ内だけでなく、患者集団全体で２８日間の死亡率と最も強い関連性があることがわかった（表２）。対応するＡＵＲＯＣ分析により、ＡＰＡＣＨＥ  ＩＩ（敗血症−３患者サブグループ）を除き、ＭＲ−ｐｒｏＡＤＭとの全てのバイオマーカーおよび臨床スコアの比較に有意差が見つかった。
【０３１８】
同様の結果はまた、７日、９０日、ＩＣＵおよび病院の死亡予測（表３）に見られ、すべての潜在的なバイオマーカーと臨床スコアの組み合わせにＭＲ−ｐｒｏＡＤＭを追加（Ｎ＝６３）すると、予後診断能力が大幅に向上した（表４）。
【０３１９】
実施例３：高リスク患者の識別
総患者集団は、既存のＳＯＦＡの重症度レベル、ならびに各サブグループで評価された２８日の死亡率の予測におけるバイオマーカーおよび臨床スコアの性能に応じてさらに階層化された。ＭＲ−ｐｒｏＡＤＭは、低（ＳＯＦＡ≦７）および中程度（８≦ＳＯＦＡ≦１３）の重症度のＳＯＦＡサブグループのすべてのパラメータで最高の精度を示した（表５、表６）。
【０３２０】
続いて、２つの対応するＭＲ−ｐｒｏＡＤＭカットオフを計算して、ベースラインでの重症度サブグループの低（２．７ｎｍｏｌ／Ｌ以下）および高（１０．９ｎｍｏｌ／Ｌより大きい）を特定した。ＳＯＦＡと比較して、低（ＭＲ−ｐｒｏＡＤ対ＳＯＦＡ：Ｎ＝２６５対２３２；９．８％対１３．８％の死亡率）および高（ＭＲ−ｐｒｏＡＤＭ対ＳＯＦＡ：Ｎ＝１６１対１５５；５５．９％対４１．３％）の両方の重症度カットオフレベルで、より正確な再分類を行うことができる（表７）。
【０３２１】
ＭＲ−ｐｒｏＡＤＭ濃度が高く、対応する低または中間のＳＯＦＡの９４人の患者（９．３％）のサブグループは、低および中間のＳＯＦＡ値を有する残りの患者集団の１９．８％および３０．８％と比較して、それぞれ２８および９０日の死亡率が５７．４％および６８．９％であった。同様のパターンが、ＳＡＰＳ  ＩＩ、ＡＰＡＣＨＥ  ＩＩ、および乳酸についてそれぞれ見つかった（表８〜１０）。
【０３２２】
実施例４：ＩＣＵ滞在中の低リスク患者の識別
研究コホートは、集中洗浄手技、緊急手術、新たな感染症、血液製剤の輸血、コロイドの注入、侵襲性機械的換気、腎／肝臓置換、患者の一般的な臨床徴候および症状の悪化など、ＩＣＵ関連の手技または合併症に直面しなかった臨床的に安定した患者のサブセットを含む。臨床的に安定した患者のこのグループは、低リスク患者として分類された。
【０３２３】
ＭＲ−ｐｒｏＡＤＭは、その後のすべての時点で２８日間の死亡率と最も強い関連性を示し（表１１）、低リスク患者集団の識別において２．２５ｎｍｏｌ／Ｌ以下の安定したカットオフを提供し、その結果、他のバイオマーカーおよび臨床スコアと比較して、死亡率が低い患者数が多く分類された（表１２）。したがって、４日目に２９０人の低ＭＲ−ｐｒｏＡＤＭ重症患者を特定することができ、そのうち７９人（２７．２％）は、臨床的に安定しており、かつＭＲ−ｐｒｏＡＤＭ濃度は前回の測定から増加していない（表１３）。継続的に低いＭＲ−ｐｒｏＡＤＭ濃度は、５１人（６４．６％）の患者に見られ、中間から低いレベルの重症度レベルへの低下が、２８人（３５．４％）の患者で観察された。ＩＣＵの平均滞在期間は、８［７−１０］日であり、２８日および９０日の死亡率は、それぞれ０．０％および１．４％であった。それに比べて、４日目にＩＣＵから実際に退院した患者は４３人のみであり、２８日および９０日の死亡率は、２．３％および１０．０％であった。この患者グループ内のＭＲ−ｐｒｏＡＤＭ濃度の分析により、２０人（５２．６％）、１６人（４２．１％）、および２人（５．３％）の患者がそれぞれ低、中、および高の重症濃度を有する様々な値が示された。７日目および１０日目にＩＣＵに残っている患者でも、同様の結果が見つかった。
【０３２４】
２．２５ｎｍｏｌ／Ｌ以下の安定したカットオフを有するＭＲ−ｐｒｏＡＤＭは、他のバイオマーカーおよび臨床スコアと比較して、死亡率が低い多数の低リスク患者を識別することができた。その発見に基づいて、ＡＤＭを使用しない分類と比較して、より多くの患者がＩＣＵから退院することができる。より多くの患者を退院させることにより、病院は、ＩＣＵのベッドをより効率的に占有し、回避されたコストの恩恵を受けることができる。
【０３２５】
実施例５：プロカルシトニン誘導療法に対するＭＲ−ｐｒｏＡＤＭの追加の影響
時間依存のＣｏｘ回帰分析により、ＭＲ−ｐｒｏＡＤＭベースライン値に対する予後診断情報の最も早い有意な追加増加が１日目に観察され、その後の単一または累積測定により、２８日の死亡率との有意に強い関連性が得られることが示された（表１４）。したがって、２つのＰＣＴガイド付きアルゴリズムモデルを構築して、ベースラインから１日目または４日目までのＰＣＴの変化を調査し、ＭＲ−ｐｒｏＡＤＭの重症度分類に基づいて対応するサブグループ分析を行った。
【０３２６】
ベースラインから１日目までにＰＣＴ濃度が２０％以上（表１５および表１６）、またはベースラインから４日目までに５０％以上（表１７および表１８）のＰＣＴ濃度が低下している患者の２８日死亡率は、それぞれ１８．３％（Ｎ＝４５８）および１７．１％（Ｎ＝５５７）であることがわかった。患者のＭＲ−ｐｒｏＡＤＭのレベルが継続的に低かった場合、これは５．６％（Ｎ＝１２５）および１．８％（Ｎ＝１１１）に減少しているが、患者のＭＲ−ｐｒｏＡＤＭ値が継続的に高かった場合、これは６６．７％（Ｎ＝２７）および５３．８％（Ｎ＝３９）（ＨＲ［９５％Ｃｌ］：１９．１［８．０−４５．９］および４３．１［１０．１−１８４．０］）に増加している。
【０３２７】
さらに、ＰＣＴ値が５０％以上まで低下している（ベースラインから４日目）が、ＭＲ−ｐｒｏＡＤＭ濃度が継続的に高または中程度の患者では、その後の院内感染を発症するリスクが有意に高かった（ＨＲ［９５％Ｃｌ］：高濃度：３．９［１．５−１０．５］；中濃度：２．４［１．１−５．１］対継続的に低濃度の患者；中濃度：２．９［１．２−６．８］）対中〜低濃度の減少）、または緊急手術が必要（ＨＲ［９５％Ｃｌ］：中濃度：２．０［１．１−３．７］対中濃度から低濃度への減少）。逆に、中濃度から高濃度に増加する患者は、継続的に中濃度（ＨＲ［９５％Ｃｌ］：３．２［１．３−７．６］）、または減少（ＨＲ［９５％Ｃｌ］：中から低：８．７［３．１−２４．８］）；高から中：４．６［１．４−１４．５］）値の患者と比較して、感染源の洗浄を必要とする可能性が高かった。ＰＣＴレベルが５０％以上低下しない場合に、ＭＲ−ｐｒｏＡＤＭ濃度が継続的に低いこととは対照的に、継続的に高い（ＨＲ［９５％Ｃｌ］：５．７［１．５−２１．９］）または中間（ＨＲ［９５％Ｃｌ］：４．２［１．３−１３．２］）レベルであれば、緊急手術を必要とするリスクが著しく増加することを観察した。
【０３２８】
実施例６：ベースラインのバイオマーカーおよび臨床スコアと死亡率との関連
ＭＲ−ｐｒｏＡＤＭは、感染源に関係なく、肺炎および腹腔内感染症の患者、ならびにグラム陽性感染症の患者で最も強い関連性を示した（表１９および表２０）。ＩＣＵへの入院に至った手術緊急、非手術緊急および選択的手術の履歴に従って患者をグループ分けした場合、ＭＲ−ｐｒｏＡＤＭは、全てのグループで２８日間の死亡率と最も強く最もバランスの取れた関連性を提供した（表２１）。
【０３２９】
実施例７：バイオマーカーおよび臨床スコアとベースラインおよび１日目のＳＯＦＡとの相関関係
ＭＲ−ｐｒｏＡＤＭは、全てのバイオマーカーとベースラインでのＳＯＦＡスコアとの最大の相関があり、ベースライン値が１日目のＳＯＦＡスコアと相関すると、有意に増加した。最大の相関関係は、１０日目にＭＲ−ｐｒｏＡＤＭとＳＯＦＡの間に見られ、個々のＳＯＦＡサブスコア間の違いは全体に見られた（表２２〜２４）。
【０３３０】
実施例８：高リスク患者の識別
同様の結果は、ＭＲ−ｐｒｏＡＤＭ濃度が高い患者、ＳＡＰＳ  ＩＩ値が低または中の１２４人の患者（１２．０％）のサブグループ（ＭＲ−ｐｒｏＡＤＭの高サブグループ：［死亡率５４．８％および６５．６％］；残りのＳＡＰＳ  ＩＩ集団［１９．７％および３０．０％の死亡率）、ならびに１０９人（１０．６％）のＡＰＡＣＨＥ  ＩＩ値が低いまたは中程度の患者（高いＭＲ−ｐｒｏＡＤＭサブグループ：［５６．９％および６６．７％死亡率］；残りのＡＰＡＣＨＥ  ＩＩ集団：［１９．５％および３０．３％の死亡率］）で見られた。
【０３３１】
実施例９：ＰＣＴとＡＤＭの組み合わせによるプロカルシトニン（ＰＣＴ）誘導療法の改善
２つのＰＣＴガイド付きアルゴリズムモデルを構築して、ベースラインから１日目または４日目までのＰＣＴの変化を調査し、ＭＲ−ｐｒｏＡＤＭの重症度分類に基づいて対応するサブグループ分析を行った（表２５〜３０）。
【０３３２】
上記の実施例は、ＰＣＴが２０％未満または５０％未満減少した患者、およびＰＣＴが２０％以上または５０％以上減少した患者におけるＡＤＭのアドオン値を示している。しかしながら、追加の分析は、ＰＣＴの減少または増加の割合に関係なく、ＡＤＭがアドオンになり得ることを示している。ＰＣＴ値の減少は、抗生物質治療が効いていると思われる患者を反映している可能性があるため、臨床医は、彼らが生存に良い道を進んでいる（つまり、敗血症の根本原因である細菌を殺すことで、患者が良くなるはずである）と考えている。
【０３３３】
例えば、一部の患者のＰＣＴレベルは、ベースライン（入院日）から１日目まで低下し、２８日の死亡率は１９％である。ＡＤＭを追加で測定することにより、ＡＤＭの低い患者の生存率がはるかに高い、または死亡する確率がはるかに低いと結論付けることができる（表２５；ＰＣＴのみ減少する死亡率１９％対ＰＣＴ＋低ＡＤＭの５％の死亡率の比較）。死亡のリスクを減らすことで、患者は、より自信を持ってＩＣＵから退院するか、または必要な診断テストが少なくなる（つまり、回復への良い道を進んでいることがわかる）。
【０３３４】
一方で、ＡＤＭ値が高い場合は、新しい対策を検討する必要がある。死亡率に関しては、はるかに高いリスクがある（ＰＣＴのみ減少する死亡率１９％対ＰＣＴ＋高ＡＤＭの死亡率５８．８％の比較）。医師は、ＰＣＴ値の低下により患者が良くなっていると考えているが、実際にはＡＤＭ濃度は同じままである。したがって、治療が機能しておらず、できるだけ早く適応させる必要があると結論付けることができる。
【０３３５】
同様に、ＡＤＭは、ＰＣＴ値が増加している患者を層別化するのに役立ち得る（表２５）。
【０３３６】
新しい感染の発症
ＰＣＴおよびＭＲ−ｐｒｏＡＤＭの変化は、ベースラインから１日目まで、またはベースラインから４日目までの２つのモデルで分析された。患者は、ＰＣＴの全体的な変化およびＭＲ−ｐｒｏＡＤＭの重症度レベルに従って、グループ分けされた。
【０３３７】
その後、１、２、３、および４日目（表２６）ならびに４、５、６、および７日目（表２７）の新規感染数を、それぞれ１日目または４日目に存在する各患者で計算した。一部の場合に、観察期間中に患者は退院した。解放後に新しい感染は発症しなかったと想定される。観察期間中に複数の感染がある患者は、単一の新しい感染としてカウントされた。
【０３３８】
臨床的結果として、ＭＲ−ｐｒｏＡＤＭ濃度が高い患者は、新しい感染の発症を止めるために、他の患者と共同して、ＩＣＵ入院時に広域抗生物質で潜在的に治療されるべきである。これらの患者は、新しい感染にかかる可能性が高いため、特別な注意が必要である。
【０３３９】
集中洗浄の要件
ＰＣＴおよびＭＲ−ｐｒｏＡＤＭの変化は、ベースラインから１日目まで、またはベースラインから４日目までの２つのモデルで分析された。患者は、ＰＣＴの全体的な変化およびＭＲ−ｐｒｏＡＤＭの重症度レベルに従って、グループ分けされた。
【０３４０】
その後、１、２、３、および４日目（表２８）ならびに４、５、６、および７日目（表２９）の集中洗浄事象の数を、それぞれ１日目または４日目に存在する各患者で計算した。一部の場合に、観察期間中に患者は退院した。
【０３４１】
緊急手術の要件
ＰＣＴおよびＭＲ−ｐｒｏＡＤＭの変化は、ベースラインから１日目まで、またはベースラインから４日目までの２つのモデルで分析された。患者は、ＰＣＴの全体的な変化およびＭＲ−ｐｒｏＡＤＭの重症度レベルに従って、グループ分けされた。
【０３４２】
その後、１、２、３、および４日目（表３０）の緊急手術の要件／事象の数を、１日目に存在する各患者で計算した。一部の場合に、観察期間中に患者は退院した。
【０３４３】
実施例１０：抗生物質の変更または修正の要件
ＰＣＴガイド付き抗生物質アルゴリズム内で組み合わせると、ＭＲ−ｐｒｏＡＤＭは、抗生物質療法の将来の変更または修正を必要とする患者とそうでない患者を層別化することができる。
【０３４４】
ＰＣＴおよびＭＲ−ｐｒｏＡＤＭの変化は、ベースラインから１日目まで、またはベースラインから４日目までの２つのモデルで分析された。患者は、ＰＣＴの全体的な変化およびＭＲ−ｐｒｏＡＤＭの重症度レベルに従って、グループ分けされた。
【０３４５】
その後、各患者グループに必要な４日目の抗生物質の変更の割合を計算した（表３１および表３２）。
【０３４６】
ＰＣＴ値が５０％以上減少している患者
低度から中程度の重症度レベルまでＭＲ−ｐｒｏＡＤＭ濃度が増加している患者は、継続的に低レベルであった患者よりも４日目に抗生物質療法の変更を必要とする可能性が高かった（オッズ比［９５％Ｃｌ］：１．５［０．６−４．１］）。
【０３４７】
ＰＣＴ値が５０％未満減少している患者
中程度から高重症度レベルまで継続的にＭＲ−ｐｒｏＡＤＭ濃度が増加した患者、または継続的に高濃度の患者は、ＭＲ−ｐｒｏＡＤＭ濃度が継続的に低い患者よりも４日目に抗生物質療法の変更を必要とする可能性が高かった（オッズ比［９５％Ｃｌ］：それぞれ５．９［１．９−１８．１］および２．９［０．８−１０．４］）。
【０３４８】
結論
ベースラインから１日目、またはベースラインから４日目までのＰＣＴ濃度の増加にもかかわらず、ＭＲ−ｐｒｏＡＤＭ濃度が継続的に低い患者は、継続的な中または高濃度の患者よりも処方された抗生物質治療に対する修正が有意に低かった。臨床的結果として、ＰＣＴ濃度の増加に直面した場合、医師は、抗生物質の変更を決定する前に患者のＭＲ−ｐｒｏＡＤＭレベルを確認する必要がある。ＭＲ−ｐｒｏＡＤＭの濃度が低い患者は、変更を検討する前に、同じ抗生物質の用量を増やすか、または強度を高めるかを検討する必要がある。より高いＭＲ−ｐｒｏＡＤＭ濃度を有する患者は、早期の抗生物質の変更（すなわち、４日目とは対照的に１〜３日目）について考慮すべきである。
【０３４９】
実施例１１：異常な血小板レベルの患者の識別および血小板減少症の高リスク患者の識別（表３３、表３４、および表３５）。
プロードレノジュリンおよびプロカルシトニンのレベルを測定し、ベースラインおよび１日目の栓球数、死亡率、および血小板輸血に関して分析した。ｐｒｏＡＤＭおよびＰＣＴ濃度の増加は、血小板減少症を反映する血小板数の減少および血小板数（μｌあたり１５０．０００未満）と相関している。血小板数の最大の減少は、ベースラインで最高のｐｒｏＡＤＭレベルを有する患者で観察された。さらに、増加したｐｒｏＡＤＭおよびＰＣＴ濃度は、血小板輸血療法を必要とする患者と一致していた。死亡率が高いことは、血小板減少症ならびにｐｒｏＡＤＭ（＞６ｎｍｏｌ／Ｌ）およびＰＣＴ（＞７ｎｇ／ｍｌ）レベルの増加を伴う患者に関連していることも確認することができた。
【０３５０】
ｐｒｏ−ＡＤＭのレベルは、ｐｒｏＡＤＭの増加が血小板減少症を予測することができるかどうかを確認するために、ベースラインで正常な血小板レベルを有していた患者で調査された。ベースライン時および１日目（ｐｒｏＡＤＭ＞１０．９ｎｍｏｌ／ｌ）にｐｒｏＡＤＭレベルが継続的に上昇した患者の３９．４％が、血小板減少症を発症した。ベースライン（ｐｒｏＡＤＭ＞２．７５  ｎｍｏｌ／Ｌ）および１日目（ｐｒｏＡＤＭ＞９．５ｎｍｏｌ／Ｌ）でｐｒｏＡＤＭレベルが増加した患者の２５．６％が、血小板減少症を発症した。ベースラインおよび１日目でｐｒｏＡＤＭレベルが継続的に低い患者の１４．７％（ｐｒｏＡＤＭ≦２．７５ｎｍｏｌ／Ｌ）が、血小板減少症を発症した。ｐｒｏＡＤＭのレベルの増加は、血小板減少症事象の重症度および関連する死亡率の増加と相関していた（ｐｒｏＡＤＭ＞１０．９ｎｍｏｌ／Ｌ  死亡率５１％；ｐｒｏＡＤＭ≦２．７５ｎｍｏｌ／Ｌ  死亡率９．１％）。
【０３５１】
実施例１１は、表３３〜表３５を参照している。
【０３５２】
実施例の議論
疾患の重症度の正確かつ迅速な評価は、最も早い機会に最も適切な治療を開始するために重要である。実際、治療が遅れたり、または不十分だったりすると、患者の臨床状態が全般的に悪化し、それは治療の効果がさらに低下し、全体的な結果が悪化する可能性が高くなることをもたらす（８、２７）。その結果、多くのバイオマーカーおよび臨床的重症度スコアが、この満たされていない臨床的ニーズを満たすために提案されており、現在最も適切なツールとして強調されている逐次器官不全評価（ＳＯＦＡ）スコアにより、２０１６年の敗血症−３の定義（４）における中心的な役割がもたらされている。ＳＩＳＰＣＴ試験（２６）のこの二次分析は、初めて、乳酸、プロカルシトニン（ＰＣＴ）、およびＳＯＦＡなどの従来のバイオマーカーおよび臨床スコアの連続測定を、重症敗血症および敗血症性ショックを有する大規模な患者集団における微小循環機能不全マーカー、ＭＲ−ｐｒｏＡＤＭのそれらと比較した。
【０３５３】
我々の結果は、敗血症診断後最初の２４時間以内にＭＲ−ｐｒｏＡＤＭを最初に使用すると、他のすべてのバイオマーカーまたはスコアと比較して、短期、中期および長期の死亡率と最も強い関連性が生じることを示している。これまでの研究では主に調査結果が確認されている（１７、２８、２９）が、矛盾する結果（３０）は、分析対象の試料サイズが小さいことや、微生物種、感染源、および敗血症発症に先行する以前の手術歴など、この研究で強調された他の要因によって一部説明される場合があり、これらはすべて、バイオマーカーの性能に影響を与える可能性があり、したがって、小規模な研究集団での結果の潜在的な変動性を増大させる。さらに、我々の研究はまた、以前の調査の結果も綿密に確認し（１７）、低および中度の器官機能不全重症度患者におけるＭＲ−ｐｒｏＡＤＭの優れた性能を強調している。実際、Ａｎｄａｌｕｚ−Ｏｊｅｄａら（１７）は、器官機能不全のレベルが低い患者グループを非常に重要視しており、なぜなら、「このグループは、敗血症の臨床経過における最も初期の症状および／または疾患のより重症度の低い形態のいずれかを表わす」からである。それにもかかわらず、死亡率予測に関してすべての重症度グループにわたって合理的な性能を維持することができ、これは、敗血症−３および敗血症性ショック−３基準に従って定義された両方の患者グループにわたっても当てはまる。
【０３５４】
敗血症の発症後に行われた連続測定の分析により、疾患の重症度に基づいて特定の患者グループを識別することができた。低リスク患者および高リスク患者の両方を識別することは、我々の分析で大きな関心を集めた。多くのＩＣＵでは、ＩＣＵベッドの需要が定期的に可用性を超えている可能性があり、これにより、不適切なトリアージ、リソースの配分、およびその後の正しいＩＣＵ入院の可能性の低下につながる可能性がある（３２〜３５）。その結果、退院ユニットへの早期ＩＣＵ退院に適格である可能性のある病院死亡のリスクが低い患者の正確な評価は、大きな利益になる可能性がある。我々の研究で測定した各時点で、ＭＲ−ｐｒｏＡＤＭは、ＩＣＵ、病院、および２８日間の死亡率が最も低い重症度の低い患者の数をより多く特定することができた。重症度が低く、さらにＩＣＵ特有の療法が行われていない患者グループをさらに分析すると、バイオマーカー測定を行った後の各時点で、追加的に４日間のＩＣＵ滞在が示された。各時点で実際に退院した患者集団と比較すると、重症度の低い患者を正確に識別するバイオマーカー駆動手法により、２８日および９０日の死亡率の低下がもたらされた。実際、退院した患者は、様々な低、中、高重症度のＭＲ−ｐｒｏＡＤＭ濃度を有していたため、その後、死亡率の上昇に反映された。しかしながら、このグループ内の多くの患者が非微小循環、生命を脅かす問題のためにさらにＩＣＵ治療を必要とするのか、またはステップダウンユニットのベッドが利用可能であったのかは不明である。それにもかかわらず、臨床医の判断に加えて、このようなバイオマーカー駆動のＩＣＵ退院への手法は、患者の正しい層別化を改善し、付随する臨床的利点および潜在的なコスト削減をもたらし得る。
【０３５５】
逆に、その後の臨床的悪化を防ぐために早期かつ的を絞った治療を必要とする可能性のある高リスク患者の識別は、さらに大きな臨床的関連性があるかもしれない。ＳＩＳＰＣＴの研究およびその他の試験でＰＣＴガイド付きアルゴリズムを使用すると、大幅なコスト削減および抗生物質使用の削減がすでに観察されている（２６、３６、３７）が、ＰＣＴ値が着実に減少しているように見える場合であっても、比較的高い死亡率が依然として観察され得る。我々の研究は、ＰＣＴのモデルへのＭＲ−ｐｒｏＡＤＭの追加がその後のＩＣＵ日に減少し、ベースラインから１日目までのＭＲ−ｐｒｏＡＤＭ重症度レベルの増減により、低、中、高リスクの患者グループの識別が可能になり、治療の成功に関して敏感かつ早期の適応を提供することを明らかにした。さらに、将来の集中洗浄または緊急手術の要求の予測、ならびに新しい感染の発症の可能性は、追加の治療および介入戦略を開始する際に実質的な利点があり、したがって初期段階でいくつかの将来の臨床的合併症の予防を試みることができる。
【０３５６】
我々の研究の強みは、無作為化試験データベースからの疾患重症度の低いおよび高いいくつかの異なるサブグループの徹底的な検査、潜在的な交絡因子の調整、ＳＥＰＳＩＳ１および３の定義の両方で特徴付けられる敗血症を有する患者の最大試料サイズの包含、ならびにＭＲ−ｐｒｏＡＤＭ動態に関する情報を含む。結論として、ＭＲ−ｐｒｏＡＤＭは、初期診断時およびＩＣＵ治療中のいずれにおいても、敗血症を有する患者の死亡リスクを識別する能力において、他のバイオマーカーおよび臨床的重症度スコアよりも優れている。したがって、ＭＲ−ｐｒｏＡＤＭは、代替の診断および治療介入を必要とする可能性のある重症度の高い患者と、ＩＣＵ特有の療法の不在に関連して早期のＩＣＵ退院に適格である可能性のある重症度の低い患者と、を識別するツールとして使用され得る。
表
【表１−１】
2020533593.tif 000002
【表１−２】
2020533593.tif 000003
【表２】
2020533593.tif 000004
【表３】
2020533593.tif 000005
【表４】
2020533593.tif 000006
【表５】
2020533593.tif 000007
【表６】
2020533593.tif 000008
【表７】
2020533593.tif 000009
【表８】
2020533593.tif 000010
【表９】
2020533593.tif 000011
【表１０】
2020533593.tif 000012
【表１１】
2020533593.tif 000013
【表１２】
2020533593.tif 000014
【表１３】
2020533593.tif 000015
【表１４】
2020533593.tif 000016
【表１５】
2020533593.tif 000017
【表１６】
2020533593.tif 000018
【表１７】
2020533593.tif 000019
【表１８】
2020533593.tif 000020
【表１９】
2020533593.tif 000021
【表２０】
2020533593.tif 000022
【表２１】
2020533593.tif 000023
【表２２】
2020533593.tif 000024
【表２３】
2020533593.tif 000025
【表２４】
2020533593.tif 000026
【表２５】
2020533593.tif 000027
【表２６】
2020533593.tif 000028
【表２７】
2020533593.tif 000029
【表２８】
2020533593.tif 000030
【表２９】
2020533593.tif 000031
【表３０】
2020533593.tif 000032
【表３１】
2020533593.tif 000033
【表３２】
2020533593.tif 000034
【表３３】
2020533593.tif 000035
【表３４】
2020533593.tif 000036
【表３５】
2020533593.tif 000037
参考文献
1.  Martin GS,Mannino DM,Eaton S,Moss M.The epidemiology of sepsis in the United States from 1979 through 2000.N Engl J Med.Apr 17 2003;348(16):1546-1554.
2.  Kaukonen KM,Bailey M,Suzuki S,Pilcher D,Bellomo R.Mortality related to severe sepsis and septic shock among critically ill patients in Australia and New Zealand,2000-2012.JAMA.Apr 02 2014;311(13):1308-1316.
3.  Vincent JL,Sakr Y,Sprung CL,et al.Sepsis in European intensive care units:results of the SOAP study.(13):1308-1316.Crit Care Med.Feb 2006;34(2):344-353.
4.  Singer M,Deutschman CS,Seymour CW,et al.The Third International Consensus Definitions for Sepsis and Septic Shock (Sepsis-3).JAMA.Feb 23 2016;315(8):801-810.
5.  Kopterides P,Siempos,II,Tsangaris I,Tsantes A,Armaganidis A.Procalcitonin-guided algorithms of antibiotic therapy in the intensive care unit:a systematic review and meta-analysis of randomized controlled trials.Crit Care Med.Nov 2010;38(11):2229-2241.
6.  de Jong E,van Oers JA,Beishuizen A,et al.Efficacy and safety of procalcitonin guidance in reducing the duration of antibiotic treatment in critically ill patients:a randomised,controlled,open-label trial.Lancet Infect Dis.Jul 2016;16(7):819-827.
7.  Harbarth S,Holeckova K,Froidevaux C,et al.Diagnostic value of procalcitonin,interleukin-6,and interleukin-8 in critically ill patients admitted with suspected sepsis.Am J Respir Crit Care Med.Aug 1 2001;164(3):396-402.
8.  Andriolo BN,Andriolo RB,Salomao R,Atallah AN.Effectiveness and safety of procalcitonin evaluation for reducing mortality in adults with sepsis,severe sepsis or septic shock.Cochrane Database Syst Rev.Jan 18 2017;1:CD010959.
9.  Temmesfeld-Wollbruck B,Brell B,David I,et al.Adrenomedullin reduces vascular hyperpermeability and improves survival in rat septic shock.Intensive Care Med.Apr 2007;33(4):703-710.
10.  Muller-Redetzky HC,Will D,Hellwig K,et al.Mechanical ventilation drives pneumococcal pneumonia into lung injury and sepsis in mice:protection by adrenomedullin.Crit Care.2014;18(2):R73.
11.  Vallet B.Endothelial cell dysfunction and abnormal tissue perfusion.Crit Care Med.May 2002;30(5 Suppl):S229-234.
12.  Gonzalez-Rey E,Chorny A,Varela N,Robledo G,Delgado M.Urocortin and adrenomedullin prevent lethal endotoxemia by down-regulating the inflammatory response.Am J Pathol.Jun 2006;168(6):1921-1930.
13.  Carrizo GJ,Wu R,Cui X,Dwivedi AJ,Simms HH,Wang P.Adrenomedullin and adrenomedullin-binding protein-1 downregulate inflammatory cytokines and attenuate tissue injury after gut ischemia-reperfusion.
Surgery.Feb 2007;141(2):245-253.
14.  Brell B,Hippenstiel S,David I,et al.Adrenomedullin treatment abolishes ileal mucosal hypoperfusion induced by Staphylococcus aureus alpha-toxin--an intravital microscopic study on an isolated rat ileum.Crit Care Med.Dec 2005;33(12):2810-2016.
15.  Brell B,Temmesfeld-Wollbruck B,Altzschner I,et al.Adrenomedullin reduces Staphylococcus aureus alpha-toxin-induced rat ileum microcirculatory damage.Crit Care Med.Apr 2005;33(4):819-826.
16.  Vigue B,Leblanc PE,Moati F,et al.Mid-regional pro-adrenomedullin (MR-proADM),a marker of positive fluid balance in critically ill patients:results of the ENVOL study.Crit Care.Nov 09 2016;20(1):363.
17.  Andaluz-Ojeda D,Cicuendez R,Calvo D,et al.Sustained value of proadrenomedullin as mortality predictor in severe sepsis.J Infect.Jul 2015;71(1):136-139.
18.  Hartmann O,Schuetz P,Albrich WC,Anker SD,Mueller B,Schmidt T.Time-dependent Cox regression:serial measurement of the cardiovascular biomarker proadrenomedullin improves survival prediction in patients with lower respiratory tract infection.Int J Cardiol.Nov 29 2012;161(3):166-173.
19.  Albrich WC,Dusemund F,Ruegger K,et al.Enhancement of CURB65 score with proadrenomedullin (CURB65-A) for outcome prediction in lower respiratory tract infections:derivation of a clinical algorithm.BMC Infect Dis.2011;11:112.
20.  Albrich WC,Ruegger K,Dusemund F,et al.Optimised patient transfer using an innovative multidisciplinary assessment in Kanton Aargau (OPTIMA I):an observational survey in lower respiratory tract infections.Swiss Med Wkly.2011;141:w13237.
21.  Albrich WC,Ruegger K,Dusemund F,et al.Biomarker-enhanced triage in respiratory infections:a proof-of-concept feasibility trial.Eur RespirJ.Oct 2013;42(4):1064-1075.
22.  Riera J,Senna A,Cubero M,Roman A,Rello J,Study Group Investigators TV.Primary Graft Dysfunction and Mortality Following Lung Transplantation:A Role for Proadrenomedullin Plasma Levels.Am J Transplant.Oct 13 2015.
23.  Schoe A,Schippers EF,Struck J,et al.Postoperative pro-adrenomedullin levels predict mortality in thoracic surgery patients:comparison with Acute Physiology and Chronic Health Evaluation IV Score*.Crit Care Med.Feb 2015;43(2):373-381.
24.  Tyagi A,Sethi AK,Girotra G,Mohta M.The microcirculation in sepsis.Indian J Anaesth.Jun 2009;53(3):281-293.
25.  Hernandez G,Bruhn A,Ince C.Microcirculation in sepsis:new perspectives.Curr Vasc Pharmacol.Mar 01 2013;11(2):161-169.
26.  Bloos F,Trips E,Nierhaus A,et al.Effect of Sodium Selenite Administration and Procalcitonin-Guided Therapy on Mortality in Patients With Severe Sepsis or Septic Shock:A Randomized Clinical Trial.JAMA Intern Med.Sep 01 2016;176(9):1266-1276.
27.  Bloos F,Ruddel H,Thomas-Ruddel D,et al.Effect of a multifaceted educational intervention for anti-infectious measures on sepsis mortality:a cluster randomized trial.Intensive Care Med.May 02 2017.
28.  Enguix-Armada A,Escobar-Conesa R,La Torre AG,De La Torre-Prados MV.Usefulness of several biomarkers in the management of septic patients:C-reactive protein,procalcitonin,presepsin and mid-regional pro-adrenomedullin.Clin Chem Lab Med.Jun 17 2015.
29.  Christ-Crain M,Morgenthaler NG,Struck J,Harbarth S,Bergmann A,Muller B.Mid-regional pro-adrenomedullin as a prognostic marker in sepsis:an observational study.Crit Care.2005;9(6):R816-824.
30.  Suberviola B,Castellanos-Ortega A,Ruiz Ruiz A,Lopez-Hoyos M,Santibanez M.Hospital mortality prognostication in sepsis using the new biomarkers suPAR and proADM in a single determination on ICU admission.Intensive Care Med.Nov 2013;39(11):1945-1952.
31.  Gillmann HJ,Meinders A,Larmann J,et al.Adrenomedullin Is Associated With Surgical Trauma and Impaired Renal Function in Vascular Surgery Patients.J Intensive Care Med.Jan 01 2017:885066616689554.
32.  Garrouste-Orgeas M,Montuclard L,Timsit JF,Misset B,Christias M,CarletJ.Triaging patients to the ICU:a pilot study of factors influencing admission decisions and patient outcomes.Intensive Care Med.May 2003;29(5):774-781.
33.  Garrouste-Orgeas M,Montuclard L,Timsit JF,et al.Predictors of intensive care unit refusal in French intensive care units:a multiple-center study.Crit Care Med.Apr 2005;33(4):750-755.
34.  Mery E,Kahn JM.Does space make waste?The influence of ICU bed capacity on admission decisions.Crit Care.May 08 2013;17(3):315.
35.  Orsini J,Blaak C,Yeh A,et al.Triage of Patients Consulted for ICU Admission During Times of ICU-Bed Shortage.J Clin Med Res.Dec 2014;6(6):463-468.
36.  Kip MM,Kusters R,MJ IJ,Steuten LM.A PCT algorithm for discontinuation of antibiotic therapy is a cost-effective way to reduce antibiotic exposure in adult intensive care patients with sepsis.J Med Econ.
2015;18(11):944-953.
37.  Wilke MH,Grube RF,Bodmann KF.The use of a standardized PCT-algorithm reduces costs in intensive care in septic patients - a DRG-based simulation model.Eur J Med Res.Dec 02 2011;16(12):543-548.
38.  Baughman RP,Lower EE,Flessa HC,Tollerud DJ.Thrombocytopenia in the intensive care unit.Chest.1993;104(4):1243-7.7.
39.  Drews RE,Weinberger SE.Thrombocytopenic disorders in critically ill patients.Am J Respir Crit Care Med.2000;162(2 Pt 1):347-51.
40.  Vanderschueren S,De Weerdt A,Malbrain M,Vankersschaever D,Frans E,Wilmer A,et al. Thrombocytopenia and prognosis in intensive care.Crit Care Med.2000;28(6):1871-6.9.
41.  Strauss R,Wehler M,Mehler K,Kreutzer D,Koebnick C,Hahn EG.Thrombocytopenia in patients in the medical intensive care unit:bleeding prevalence,transfusion requirements,and outcome.Crit Care Med. 2002;30(8):1765-71.10.
42.  Smith-Erichsen N.Serial determinations of platelets,leucocytes and coagulation parameters in surgical septicemia.Scand J Clin Lab Invest Suppl.1985;178:7-14.11.
43.  Akca S,Haji-Michael P,de Mendonca A,Suter P,Levi M,Vincent JL.Time course of platelet counts in critically ill patients.Crit Care Med.2002;30(4):753-6.12.
44.  Crowther MA,Cook DJ,Meade MO,Grifth LE,Guyatt GH,Arnold DM,et al.Thrombocytopenia in medical-surgical critically ill patients:prevalence,incidence,and risk factors.J Crit Care.2005;20(4):348-53.13.
45.  Moreau D,Timsit JF,Vesin A,Garrouste-Orgeas M,de Lassence A,Zahar JR,et al.Platelet count decline:an early prognostic marker in critically ill patients with prolonged ICU stays.Chest.2007;131(6):1735-41.14.
46.  Hui P,Cook DJ,Lim W,Fraser GA,Arnold DM.The frequency and clinical signifcance of thrombocytopenia complicating critical illness:a systematic review.Chest.2011;139(2):271-8.15.
47.  Venkata C,Kashyap R,Farmer JC,Afessa B.Thrombocytopenia in adult patients with sepsis:incidence,risk factors,and its association with clinical outcome.J Intensive Care.2013;1(1):9.
48.  Semple JW,FreedmanJ.Platelets and innate immunity.Cell Mol Life Sci.2010;67(4):499-511.17.
49.  Semple JW,Italiano JE Jr,FreedmanJ.Platelets and the immune continuum.Nat Rev Immunol. 2011;11(4):264-74.18.
50.  Vieira-de-Abreu A,Campbell RA,Weyrich AS,Zimmerman GA.Platelets:versatile efector cells in hemostasis,infammation,and the immune continuum.Semin Immunopathol.2012;34(1):5-30.19.
51.  Herter JM,Rossaint J,Zarbock A.Platelets in infammation and immunity.J Thromb Haemost.2014;12(11):1764-75.20.
52.  Morrell CN,Aggrey AA,Chapman LM,Modjeski KL.Emerging roles for platelets as imune and infammatory cells.Blood.2014;123(18):2759-67.21.
53.  Xu XR,Zhang D,Oswald BE,Carrim N,Wang X,Hou Y,et al.Platelets are versatile cells:new discoveries in hemostasis,thrombosis,immune responses,tumor metastasis and beyond.Crit Rev Clin Lab Sci.2016;53(6):409-30.
54.  Yu-Min Shen et al.Evaluating Thrombocytopenia during heparin therapy.Jama.Feb 2018;Egede Johansen et al.The potential of antimicrobials to induce thrombocytopenia in critically ill patients:data froma arandomized controlled trial.PLOS one.Nov.2013;Vol.8.
55.  Van der Poll et al.Pathogenisis of DIC in sepsis.Sepsis.1999;103- 109;Koyama et al.Time course of immature platelet count and its relation to thrombocytopenia and mortality in patients with sepsis.PLOS one.Jan.2018.
56.  Guru et al.Association of Thrombocytopenia and Mortality in Critically III Patients on Continuous Renal Replacement Therapy.Nephron.2016;133:175-182.
57.  Larkin et al.Sepsis-associated thrombocytopenia.Thrombosis Reserch.2016;
58.  Ali N.,Auerbach H.(2017),New-onset acute thrombocytopenia in hospitalized patients:pathophysiology and diagnostic approach,Journal of Community Hospital Internal Medicine Perspectives,7:3,157-167.
59.  Dewitte et al.Blood platelets and sepsis pathophysiology:A new therapeutic prospect in critical ill patients?.Ann.Intensive Care.2017;7:115.
【配列表】
2020533593000001.app
【国際調査報告】
2020533593.tif 000038
2020533593.tif 000039
2020533593.tif 000040